(57)【要約】【課題】より手軽に、用途に合った電子履歴書を作成する。【解決手段】証明写真作成装置は、利用者を被写体として行われる撮影として、利用者の動画像を得る撮影を行い、動画像を得る撮影が行われた場合、動画像を証明写真用画像としてサーバに送信し、サーバが、証明写真作成装置から、証明写真用画像として動画像が送信されてきた場合、動画像と、利用者が操作する端末から入力された入力情報とを用いて、利用者の電子履歴書を作成する。本発明は、例えば、写真シール作成装置を含む画像提供システムに適用することができる。【選択図】図８６
2015165259.tif 000002
【特許請求の範囲】
【請求項１】
利用者を被写体として撮影し、得られた撮影画像を証明写真用画像として印刷するとともに、前記証明写真用画像をサーバへ送信する証明写真作成装置と、前記証明写真作成装置から送信されてくる前記証明写真用画像を用いて、前記利用者の電子履歴書を作成するサーバとからなる電子履歴書作成システムであって、
前記証明写真作成装置は、
前記利用者を被写体として行われる撮影として、前記利用者の動画像を得る撮影を行う撮影手段と、
前記動画像を得る撮影が行われた場合、前記動画像を前記証明写真用画像として前記サーバに送信する送信手段と
を備え、
前記サーバは、
前記証明写真作成装置から、前記証明写真用画像として前記動画像が送信されてきた場合、前記動画像と、前記利用者が操作する端末から入力された入力情報とを用いて、前記利用者の前記電子履歴書を作成する作成手段と
を備える電子履歴書作成システム。
【請求項２】
前記証明写真作成装置は、
前記利用者に、前記証明写真用画像の用途を選択させるための選択画面を表示する表示手段をさらに備え、
前記証明写真作成装置の前記撮影手段は、前記利用者を被写体として行われる撮影として、選択された前記用途によって、前記利用者の静止画像を得る撮影に加えて、前記利用者の動画像を得る撮影を行い、
前記証明写真作成装置の前記送信手段は、前記静止画像を得る撮影に加えて前記動画像を得る撮影が行われた場合、前記静止画像および前記動画像を、前記証明写真用画像として前記サーバに送信し、
前記サーバの作成手段は、前記証明写真作成装置から、前記証明写真用画像として前記静止画像および前記動画像が送信されてきた場合、前記静止画像および前記動画像と、前記入力情報とを用いて、前記利用者の前記電子履歴書を作成する
請求項１に記載の電子履歴書作成システム。
【請求項３】
前記サーバは、
前記利用者毎に、複数の前記静止画像および前記動画像と、前記電子履歴書とを対応付けて記憶する記憶手段をさらに備え、
前記サーバの作成手段は、前記端末からの指示に応じて、前記電子履歴書に用いられる前記静止画像および前記動画像の少なくともいずれか一方を、前記記憶手段に記憶されている前記静止画像および前記動画像を用いて更新する
請求項２に記載の電子履歴書作成システム。
【請求項４】
前記サーバは、
前記端末からの指示に応じて、前記電子履歴書を、所定の送信先に送信する送信手段をさらに備える
請求項２または３に記載の電子履歴書作成システム。
【請求項５】
前記証明写真作成装置の送信手段は、異なるサイズの前記静止画像を、前記サーバに送信し、
前記サーバの作成手段は、前記電子履歴書の送信先に応じたサイズの前記静止画像を用いて、前記利用者の前記電子履歴書を作成する
請求項４に記載の電子履歴書作成システム。
【請求項６】
前記サーバは、
前記端末からの指示に応じて、前記電子履歴書を印刷するための印刷データを前記端末に送信する送信手段をさらに備える
請求項１乃至５のいずれかに記載の電子履歴書作成システム。
【請求項７】
前記証明写真作成装置は、
前記利用者による入力を受け付けることで、前記入力情報を生成する入力受付手段をさらに備え、
前記証明写真作成装置の前記送信手段は、前記動画像撮影が行われた場合、前記入力情報とともに、前記動画像を前記サーバに送信し、
前記サーバの作成手段は、前記動画像と、前記端末から入力された前記入力情報および前記証明写真作成装置から送信されてきた前記入力情報とを用いて、前記利用者の前記電子履歴書を作成する
請求項１乃至６のいずれかに記載の電子履歴書作成システム。
【請求項８】
前記表示手段は、前記用途として、前記証明写真の提出先の分類を選択させるための選択画面を表示する
請求項２に記載の電子履歴書作成システム。
【請求項９】
利用者を被写体として撮影し、得られた撮影画像を証明写真用画像として印刷するとともに、前記証明写真用画像をサーバへ送信する証明写真作成装置と、前記証明写真作成装置から送信されてくる前記証明写真用画像を用いて、前記利用者の電子履歴書を作成するサーバとからなる電子履歴書作成システムの電子履歴書作成方法であって、
前記証明写真作成装置が、
前記利用者を被写体として行われる撮影として、前記利用者の動画像を得る撮影を行い、
前記動画像を得る撮影が行われた場合、前記動画像を前記証明写真用画像として前記サーバに送信し、
前記サーバが、
前記証明写真作成装置から、前記証明写真用画像として前記動画像が送信されてきた場合、前記動画像と、前記利用者が操作する端末から入力された入力情報とを用いて、前記利用者の前記電子履歴書を作成する
ステップを含む電子履歴書作成方法。
【発明の詳細な説明】
【技術分野】
【０００１】
本発明は、電子履歴書作成システムおよび電子履歴書作成方法に関し、特に、より手軽に、電子履歴書を作成することができるようにした電子履歴書作成システムおよび電子履歴書作成方法に関する。
【背景技術】
【０００２】
履歴書などに貼るための証明写真を用意するのにボックス型の証明写真機が用いられることが多い。
【０００３】
利用者は、鉄道駅の構内などに設置されている証明写真機のブース内に入り、用意された椅子に座って、画面の案内に従って用途やサイズを選択したり、撮影を行ったりする。撮影した画像に対して画質の調整などを行った後、印刷の開始を指示し、光沢紙などに印刷された写真を受け取ることになる（例えば特許文献１）。
【０００４】
また近年、証明写真を貼る履歴書を電子データ化した電子履歴書を作成し、企業などに送付するシステムが提案されている（例えば特許文献２）。このような電子履歴書システムにおいては、例えば、あらかじめ決められた入力フォームに従って必要な情報が入力されることで電子履歴書が作成される。作成された電子履歴書には、応募者の証明写真データが対応付けられる。
【先行技術文献】
【特許文献】
【０００５】
【特許文献１】特開２０１３−３８４５９号公報
【特許文献２】特開２００６−１６３６７７号公報
【発明の概要】
【発明が解決しようとする課題】
【０００６】
ところで、近年、モデルやタレントのオーディションにおいては、応募者が、写真を提出する他に、自己ＰＲをしている自身の動画像を提出することが行われている。
【０００７】
しかしながら、従来の電子履歴書システムとして、動画像の撮影から電子履歴書の作成までを行うようにしたものは提案されていなかった。
【０００８】
本発明はこのような状況に鑑みてなされたものであり、より手軽に、用途に合った電子履歴書を作成することができるようにするものである。
【課題を解決するための手段】
【０００９】
本発明の一側面の電子履歴書作成システムは、利用者を被写体として撮影し、得られた撮影画像を証明写真用画像として印刷するとともに、前記証明写真用画像をサーバへ送信する証明写真作成装置と、前記証明写真作成装置から送信されてくる前記証明写真用画像を用いて、前記利用者の電子履歴書を作成するサーバとからなる電子履歴書作成システムであって、前記証明写真作成装置が、前記利用者を被写体として行われる撮影として、前記利用者の動画像を得る撮影を行う撮影手段と、前記動画像を得る撮影が行われた場合、前記動画像を前記証明写真用画像として前記サーバに送信する送信手段とを備え、前記サーバが、前記証明写真作成装置から、前記証明写真用画像として前記動画像が送信されてきた場合、前記動画像と、前記利用者が操作する端末から入力された入力情報とを用いて、前記利用者の前記電子履歴書を作成する作成手段とを備える。
【００１０】
前記証明写真作成装置には、前記利用者に、前記証明写真用画像の用途を選択させるための選択画面を表示する表示手段をさらに設け、前記証明写真作成装置の前記撮影手段には、前記利用者を被写体として行われる撮影として、選択された前記用途によって、前記利用者の静止画像を得る撮影に加えて、前記利用者の動画像を得る撮影を行わせ、前記証明写真作成装置の前記送信手段には、前記静止画像を得る撮影に加えて前記動画像を得る撮影が行われた場合、前記静止画像および前記動画像を、前記証明写真用画像として前記サーバに送信させ、前記サーバの作成手段には、前記証明写真作成装置から、前記証明写真用画像として前記静止画像および前記動画像が送信されてきた場合、前記静止画像および前記動画像と、前記入力情報とを用いて、前記利用者の前記電子履歴書を作成させることができる。
【００１１】
前記サーバには、前記利用者毎に、複数の前記静止画像および前記動画像と、前記電子履歴書とを対応付けて記憶する記憶手段をさらに設け、前記サーバの作成手段には、前記端末からの指示に応じて、前記電子履歴書に用いられる前記静止画像および前記動画像の少なくともいずれか一方を、前記記憶手段に記憶されている前記静止画像および前記動画像を用いて更新させることができる。
【００１２】
前記サーバには、前記端末からの指示に応じて、前記電子履歴書を、所定の送信先に送信する送信手段をさらに設けることができる。
【００１３】
前記証明写真作成装置の送信手段には、異なるサイズの前記静止画像を、前記サーバに送信させ、前記サーバの作成手段には、前記電子履歴書の送信先に応じたサイズの前記静止画像を用いて、前記利用者の前記電子履歴書を作成させることができる。
【００１４】
前記サーバには、前記端末からの指示に応じて、前記電子履歴書を印刷するための印刷データを前記端末に送信する送信手段をさらに設けることができる。
【００１５】
前記証明写真作成装置には、前記利用者による入力を受け付けることで、前記入力情報を生成する入力受付手段をさらに設け、前記証明写真作成装置の前記送信手段には、前記動画像撮影が行われた場合、前記入力情報とともに、前記動画像を前記サーバに送信させ、前記サーバの作成手段には、前記動画像と、前記端末から入力された前記入力情報および前記証明写真作成装置から送信されてきた前記入力情報とを用いて、前記利用者の前記電子履歴書を作成させることができる。
【００１６】
前記表示手段には、前記用途として、前記証明写真の提出先の分類を選択させるための選択画面を表示させることができる。
【００１７】
本発明の一側面の電子履歴書作成方法は、利用者を被写体として撮影し、得られた撮影画像を証明写真用画像として印刷するとともに、前記証明写真用画像をサーバへ送信する証明写真作成装置と、前記証明写真作成装置から送信されてくる前記証明写真用画像を用いて、前記利用者の電子履歴書を作成するサーバとからなる電子履歴書作成システムの電子履歴書作成方法であって、前記証明写真作成装置が、前記利用者を被写体として行われる撮影として、前記利用者の動画像を得る撮影を行い、前記動画像を得る撮影が行われた場合、前記動画像を前記証明写真用画像として前記サーバに送信し、前記サーバが、前記証明写真作成装置から、前記証明写真用画像として前記動画像が送信されてきた場合、前記動画像と、前記利用者が操作する端末から入力された入力情報とを用いて、前記利用者の前記電子履歴書を作成するステップを含む。
【００１８】
本発明の一側面においては、利用者を被写体として行われる撮影として、利用者の動画像を得る撮影が行われ、動画像を得る撮影が行われた場合、動画像が証明写真用画像としてサーバに送信され、証明写真用画像として動画像が送信されてきた場合、動画像と、利用者が操作する端末から入力された入力情報とを用いて、利用者の電子履歴書が作成される。
【発明の効果】
【００１９】
本発明によれば、より手軽に、用途に合った電子履歴書を作成することができる。
【図面の簡単な説明】
【００２０】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】画像処理ユニットの背面の構成例を示す図である。
【図７】画像処理ユニットの側面の構成例を示す図である。
【図８】編集画像が印刷されたシール紙の例を示す図である。
【図９】編集画像のレイヤ構造の例を示す図である。
【図１０】証明写真用画像が印刷されたシール紙の例を示す図である。
【図１１】証明写真用画像のレイヤ構造の例を示す図である。
【図１２】写真シール作成装置の内部の構成例を示すブロック図である。
【図１３】制御部の機能構成例を示すブロック図である。
【図１４】図１３の撮影管理部の構成例を示すブロック図である。
【図１５】図１３の画像処理管理部の構成例を示すブロック図である。
【図１６】図１３の印刷管理部の構成例を示すブロック図である。
【図１７】図１３の事後接客管理部の構成例を示すブロック図である。
【図１８】シール作成ゲーム処理について説明するフローチャートである。
【図１９】コース選択画面の例を示す図である。
【図２０】コース選択画面の他の例を示す図である。
【図２１】証明写真コースにおける撮影処理について説明するフローチャートである。
【図２２】撮影前ガイダンス画面の例を示す図である。
【図２３】ライブビュー表示画面の例を示す図である。
【図２４】ライブビュー表示画面の例を示す図である。
【図２５】撮影結果確認画面の例を示す図である。
【図２６】証明写真用画像の調整処理について説明するフローチャートである。
【図２７】画像選択画面の例を示す図である。
【図２８】画像選択画面の他の例を示す図である。
【図２９】警告画面の例を示す図である。
【図３０】調整前ガイダンス画面の例を示す図である。
【図３１】調整画面の例を示す図である。
【図３２】図３１の調整画面の一部の拡大図である。
【図３３】調整画面の例を示す図である。
【図３４】画像処理の例を示す図である。
【図３５】図３１の調整画面の他の一部の拡大図である。
【図３６】写りの組み合わせの例を示す図である。
【図３７】調整画面の例を示す図である。
【図３８】調整画面の例を示す図である。
【図３９】調整画面の例を示す図である。
【図４０】確認画面の例を示す図である。
【図４１】証明写真用画像の印刷処理について説明するフローチャートである。
【図４２】事後接客処理について説明するフローチャートである。
【図４３】メールアドレスの入力画面の例を示す図である。
【図４４】紹介画面の例を示す図である。
【図４５】通常コースにおける撮影処理について説明するフローチャートである。
【図４６】ライブビュー表示画面の例を示す図である。
【図４７】撮影画像の編集処理について説明するフローチャートである。
【図４８】目＆顔サイズ調整画面の例を示す図である。
【図４９】明るさ調整画面の例を示す図である。
【図５０】背景選択画面の例を示す図である。
【図５１】編集画面の例を示す図である。
【図５２】分割数選択画面の例を示す図である。
【図５３】編集画像の印刷処理について説明するフローチャートである。
【図５４】事後接客処理について説明するフローチャートである。
【図５５】ライブビュー表示画面の例を示す図である。
【図５６】名前入力画面の例を示す図である。
【図５７】証明写真用画像が印刷されたシール紙の例を示す図である。
【図５８】領収証印刷の確認画面の例を示す図である。
【図５９】証明写真用画像が印刷されたシール紙の例を示す図である。
【図６０】証明写真用画像が印刷されたシール紙の例を示す図である。
【図６１】証明写真用画像が印刷されたシール紙の例を示す図である。
【図６２】証明写真用画像が印刷されたシール紙の例を示す図である。
【図６３】証明写真コースにおける撮影処理について説明するフローチャートである。
【図６４】撮影経験確認画面の例を示す図である。
【図６５】シールID入力画面の例を示す図である。
【図６６】証明写真用画像の調整処理について説明するフローチャートである。
【図６７】画像比較画面の例を示す図である。
【図６８】画像比較画面の例を示す図である。
【図６９】画像比較画面の例を示す図である。
【図７０】シール作成ゲーム処理について説明するフローチャートである。
【図７１】焼き増しコース選択画面の例を示す図である。
【図７２】焼き増し準備処理について説明するフローチャートである。
【図７３】焼き増し確認画面の例を示す図である。
【図７４】焼き増し確認画面の例を示す図である。
【図７５】証明写真コースにおける調整処理について説明するフローチャートである。
【図７６】通常コースにおける編集処理について説明するフローチャートである。
【図７７】利用者の動きを説明するタイミングチャートの例を示す図である。
【図７８】利用者の動きを説明するタイミングチャートの例を示す図である。
【図７９】利用者の動きを説明するタイミングチャートの例を示す図である。
【図８０】利用者の動きを説明するタイミングチャートの例を示す図である。
【図８１】利用者の動きを説明するタイミングチャートの例を示す図である。
【図８２】画像提供システムの構成例を示すブロック図である。
【図８３】サーバのハードウェア構成例を示すブロック図である。
【図８４】携帯端末の機能構成例を示すブロック図である。
【図８５】画像提供システムの一連の処理について説明するフローチャートである。
【図８６】電子履歴書システムの構成例を示すブロック図である。
【図８７】サーバの機能構成例を示すブロック図である。
【図８８】電子履歴書の作成処理について説明するフローチャートである。
【図８９】電子履歴書の例を示す図である。
【図９０】証明写真用画像の更新処理について説明するフローチャートである。
【図９１】証明写真コースにおける撮影処理について説明するフローチャートである。
【図９２】用途選択画面の例を示す図である。
【図９３】業種選択画面の例を示す図である。
【図９４】記憶部の構成例を示すブロック図である。
【図９５】動画再生可能な電子履歴書の例を示す図である。
【図９６】サーバにおける証明写真用画像の調整処理について説明するフローチャートである。
【図９７】携帯端末に表示される調整画面の例を示す図である。
【図９８】携帯端末の画面表示について説明する図である。
【図９９】携帯端末の画面表示について説明する図である。
【図１００】携帯端末の画面表示について説明する図である。
【図１０１】携帯端末の画面表示について説明する図である。
【図１０２】携帯端末の画面表示について説明する図である。
【図１０３】携帯端末の画面表示について説明する図である。
【図１０４】携帯端末の画面表示について説明する図である。
【発明を実施するための形態】
【００２１】
＜写真シール作成装置の外観構成＞
［全体の構成］
図１は、写真シール作成装置１の外観の構成例を示す斜視図である。
【００２２】
写真シール作成装置１は、撮影や編集等の作業を利用者にゲームとして行わせ、画像を提供するゲーム機である。画像の提供は、シール紙に印刷した形で行われるだけでなく、サーバに送信した画像を利用者の携帯端末上で閲覧可能にする形で行われることもある。
写真シール作成装置１はゲームセンターなどの店舗に設置される。
【００２３】
写真シール作成装置１で遊ぶ利用者は、編集画像の提供を受けるため、自身が被写体となって好みのポーズをとって撮影を行い、撮影によって得られた撮影画像に手書きの文字やスタンプ画像などの合成用画像を合成させるなどして、撮影画像を彩り豊かな画像に編集する。利用者は、編集済みの撮影画像である編集画像が印刷されたシール紙を受け取って一連のゲームを終了させる。
【００２４】
また、写真シール作成装置１は、証明写真として用いるための画像である証明写真用画
像を利用者に提供する機能をも有する。利用者は、写真シール作成装置１の利用を開始するとき、はじめに、編集画像の提供を受けるためのゲームを行うのか、証明写真に利用可能な証明写真用画像の提供を受けるためのゲームを行うのかを選択することになる。
【００２５】
証明写真用画像の提供を受ける利用者は、自身が被写体となって撮影を行い、撮影によって得られた撮影画像の写りを調整することにより、証明写真用画像を生成する。利用者は、証明写真用画像が印刷されたシール紙を受け取って一連のゲームを終了させる。
【００２６】
編集画像が印刷されたシール紙を受け取ろうとする利用者は、主に２人または３人等の複数人からなる利用者のグループである。これに対し、証明写真用画像が印刷されたシール紙を受け取ろうとする利用者は、主に１人の利用者である。
【００２７】
以下、適宜、写真シール作成装置１に用意されたコースのうち、編集画像の提供を受けるためのコースを通常コースといい、証明写真用画像の提供を受けるためのコースを証明写真コースという。
【００２８】
通常コースの一連の処理には、好みのポーズをとって行う撮影と、その撮影によって得られた撮影画像の編集と、編集によって得られた編集画像の印刷が含まれる。撮影画像の編集には、被写体の明るさや肌の色などの写りを調整する処理の他に、あらかじめ用意された編集ツールを用いた所定の合成用画像を、編集対象の撮影画像上の、タッチペンなどによって利用者により指示された位置に合成する処理が含まれる。
【００２９】
一方、証明写真コースの一連の処理には、証明写真のためにあらかじめ決められたポーズをとって行う撮影と、その撮影によって得られた撮影画像の中から選択した証明写真用画像の調整と、調整後の証明写真用画像の印刷が含まれる。証明写真用画像の調整には、被写体として写る人物の位置と大きさを調整する処理、および／または肌の明るさや髪の色などの写りを調整する処理がある。
【００３０】
図１に示すように、写真シール作成装置１は、基本的に、撮影ユニット１１と画像処理ユニット１２が接した状態で設置されることによって構成される。
【００３１】
撮影ユニット１１は、撮影部２１と背景部２２から構成される。撮影部２１と背景部２２は離して設置され、撮影部２１と背景部２２の間に設けられる空間が、利用者が撮影を行う撮影空間となる。
【００３２】
撮影部２１は、利用者を被写体とした撮影処理を行う装置である。撮影部２１は、撮影空間に入った利用者が撮影処理を行うために向く方向である正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図３）により構成される。
【００３３】
背景部２２は、正面を向いて撮影を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図３）から構成される。
【００３４】
撮影部２１の右側面を構成する側面パネル４２Ａと背景部２２の側面パネル５２Ａは、ほぼ同一平面に設けられる。側面パネル４２Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４２Ｂと背景部２２の側面パネル５２Ｂも同様に、ほぼ同一平面に設けられ、上部において連結部２３Ｂによって連結され、下部において、床面に設けた金属製の部材である連結部２３Ｂ’（図示せず）によって連結される。
【００３５】
撮影部２１の側面パネル４２Ａ、連結部２３Ａ、および背景部２２の側面パネル５２Ａに囲まれることによって形成される開口が撮影空間の出入り口となる。また、撮影部２１の側面パネル４２Ｂ、連結部２３Ｂ、および背景部２２の側面パネル５２Ｂに囲まれることによって形成される開口も撮影空間の出入り口となる。撮影空間の内部には床材２７が設置される。利用者は、撮影空間に入り、床材２７の上に立って撮影を行うことになる。
【００３６】
背景部２２の上部には、背面パネル５１、側面パネル５２Ａ、および側面パネル５２Ｂに支持される形で背景カーテンユニット２５が設けられる。背景カーテンユニット２５には、クロマキー用の緑色の背景に利用される巻き取り式の背景カーテンが収納される。背景カーテンユニット２５は、撮影部２１に設けられたカメラ等による撮影と連動して動作し、撮影の際に、カーテンを下ろし、撮影が終了したらカーテンを巻き取る。なお、前記背景カーテンの代わりに、または、前記背景カーテンに加え、色または模様の異なる、背景に利用される巻き取り式の背景カーテンが複数収納されるようにし、背景カーテンユニット２５が、撮影部２１に設けられたカメラ等による撮影と連動して動作し、撮影の際に、例えば利用者により選択された色のカーテンを下ろし、その他のカーテンを巻き取るようにしてもよい。なお、カーテンは、背面パネル５１に貼り付けられるようにしてもよい。
【００３７】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３８】
画像処理ユニット１２は、通常コース時の撮影画像の編集処理、および証明写真コース時の証明写真用画像の調整処理を行う装置である。以下、適宜、撮影画像の編集と証明写真用画像の調整を区別する必要がない場合、まとめて画像処理という。
【００３９】
画像処理ユニット１２は、一方の側面が撮影部２１の背面に接するように撮影ユニット１１に連結して設けられる。画像処理ユニット１２には、画像処理時に利用者により用いられるタブレット内蔵モニタなどの構成が設けられる。
【００４０】
図１に一部が見える画像処理ユニット１２の構成を正面側の構成とすると、２組の利用者が同時に画像処理を行うことができるように、画像処理ユニット１２の正面側と背面側には画像処理に用いられる構成がそれぞれ設けられる。
【００４１】
画像処理ユニット１２の正面側は、床面に対して垂直な面であり、側面パネル４２Ａとほぼ平行な面である面７１と、面７１の上方に形成された斜面７２から構成される。斜面７２には、画像処理の作業に用いられる構成が設けられる。斜面７２の右側には、照明装置７４（図２）の一端を支持する柱状の支持部７３Ａが設けられる。斜面７２の左側にも、照明装置７４の他端を支持する柱状の支持部７３Ｂ（図２）が設けられる。支持部７３Ａの右側には、画像処理ユニット１２の側面を構成する板状のパネル７３Ｃが設けられる。パネル７３Ｃの上面にはカーテンレール２６を支持する支持部７５が設けられる。
【００４２】
画像処理ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａとレール２６Ｂの一端は、連結部２３Ａと連結部２３Ｂにそれぞれ固定され、他端にレール２６Ｃの両端が接合される。
【００４３】
カーテンレール２６には、画像処理ユニット１２の正面前方の空間と背面前方の空間の内部が外から見えないようにカーテンが取り付けられる。カーテンレール２６に取り付けられたカーテンにより囲まれる画像処理ユニット１２の正面前方の空間と背面前方の空間が、利用者が撮影画像の編集を行ったり、証明写真用画像の調整を行ったりする画像処理空間となる。
【００４４】
図２は、写真シール作成装置１を別の角度から見た斜視図である。
【００４５】
後述するように、画像処理ユニット１２の右側面には、タブレット内蔵モニタや、印刷済みのシール紙が排出されるシール紙排出口などが設けられる。画像処理ユニット１２の側面に設けられるタブレット内蔵モニタは、画像の印刷が終わるのを待っている利用者が事後接客機能を利用するときに用いられる。事後接客機能には、編集画像や証明写真用画像をサーバに送信する機能などが含まれる。画像処理ユニット１２の右側面前方の空間が、利用者が事後接客機能を利用する事後接客空間となる。
【００４６】
ここで、写真シール作成ゲームの流れと、それに伴う利用者の移動について説明する。通常コース時、証明写真コース時のいずれの場合も利用者の移動は同じである。
【００４７】
図３は、写真シール作成装置１を上から見た平面図である。
【００４８】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、コースを選択した後、撮影部２１に設けられたカメラやタッチパネルモニタなど利用してコースに応じた撮影を行う。
【００４９】
撮影を終えた利用者は、白抜き矢印＃３で示すように出入り口Ｇ１を使って撮影空間Ａ１から出て画像処理空間Ａ２−１に移動するか、白抜き矢印＃４で示すように出入り口Ｇ２を使って撮影空間Ａ１から出て画像処理空間Ａ２−２に移動する。
【００５０】
画像処理空間Ａ２−１は、画像処理ユニット１２の正面側の画像処理空間であり、画像処理空間Ａ２−２は、画像処理ユニット１２の背面側の画像処理空間である。画像処理空間Ａ２−１と画像処理空間Ａ２−２のいずれの空間に移動するのかが、撮影部２１のタッチパネルモニタの画面表示などによって案内される。例えば２つの画像処理空間のうちの空いている方の空間が移動先として案内される。
【００５１】
画像処理空間Ａ２−１または画像処理空間Ａ２−２に移動した利用者は、通常コースを選択している場合には撮影画像の編集を開始し、証明写真コースを選択している場合には証明写真用画像の調整を開始する。画像処理空間Ａ２−１の利用者と、画像処理空間Ａ２−２の利用者は同時に画像処理を行うことができる。
【００５２】
画像処理が終了した後、編集画像や証明写真用画像の印刷が開始される。画像の印刷中、画像処理空間Ａ２−１での画像処理を終えた利用者は、白抜き矢印＃５で示すように画像処理空間Ａ２−１から事後接客空間Ａ３に移動して事後接客機能を利用する。また、画像処理空間Ａ２−２での画像処理を終えた利用者は、白抜き矢印＃６で示すように画像処理空間Ａ２−２から事後接客空間Ａ３に移動して事後接客機能を利用する。
【００５３】
画像の印刷が終了したとき、利用者は、シール紙排出口からシール紙を受け取り、一連の写真シール作成ゲームを終えることになる。
【００５４】
［撮影部の構成］
図４は、撮影部２１の正面の構成例を示す図である。
【００５５】
撮影部２１は、正面パネル４１、側面パネル４２Ａ、および側面パネル４２Ｂが、箱状の形状を有するベース部４３に取り付けられることによって構成される。
【００５６】
正面パネル４１の中央からやや上側には撮影・表示ユニット８１が設けられる。撮影・表示ユニット８１は、カメラ９１、タッチパネルモニタ９２、および正面ストロボ９３から構成される。
【００５７】
カメラ９１は、例えば一眼レフカメラであり、レンズが露出するように撮影・表示ユニット８１の内部に取り付けられる。カメラ９１はCCD(Charge Coupled Device)などの撮像素子を有し、撮影空間Ａ１にいる利用者を撮影する。カメラ９１により取り込まれた動画は、タッチパネルモニタ９２にリアルタイムで表示される。また、所定のタイミングでカメラ９１により取り込まれた静止画は撮影画像として保存される。
【００５８】
カメラ９１の下に設けられたタッチパネルモニタ９２は、LCD(Liquid Crystal Display)などのモニタと、それに積層されたタッチパネルにより構成される。タッチパネルモニタ９２は、カメラ９１により取り込まれた動画を表示するライブビューモニタとしての機能と、各種のGUI(Graphical User Interface)画像を表示し、利用者の選択操作をタッチパネルにより受け付ける機能とを備えている。タッチパネルモニタ９２には、適宜、カメラ９１により取り込まれた動画（ライブビュー）や撮影画像が表示される。
【００５９】
カメラ９１の上側および左右を半円状の乳白アクリル板よりなる発光面で囲む正面ストロボ９３は、カメラ９１による撮影に合わせて発光し、被写体としての利用者の顔付近を正面から照射する。
【００６０】
撮影・表示ユニット８１の上方には、曲面の発光面を利用者に向けた右上ストロボ８２および左上ストロボ８３が設置される。右上ストロボ８２および左上ストロボ８３は、カメラ９１による撮影に合わせて発光することで、上方から利用者を照射する。
【００６１】
ベース部４３の正面には利用者の足元を照射する足元ストロボ８４が設けられる。足元ストロボ８４の右側には、利用者が硬貨を入れる硬貨投入返却口８５が設けられる。
【００６２】
ベース部４３の上面には、足元ストロボ８４の上面を挟んでスペース４３Ａおよび４３Ｂが左右に形成される。スペース４３Ａおよび４３Ｂは、撮影を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６３】
［背景部の構成］
図５は、背景部２２の撮影空間Ａ１側の構成例を示す図である。
【００６４】
背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６５】
背面パネル５１の出入り口Ｇ１側の位置には、撮影空間Ａ１内で撮影処理を行っている利用者を右後方から照射する背面右ストロボ１０２が取り付けられる。また、背面パネル５１の出入り口Ｇ２側の位置には、撮影空間Ａ１内で撮影処理を行っている利用者を左後方から照射する背面左ストロボ１０３が取り付けられる。
【００６６】
［画像処理ユニットの構成］
図６は、画像処理ユニット１２の背面側（画像処理空間Ａ２−２側）の構成例を示す図である。
【００６７】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６８】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、通常コース時には例えば編集画面が表示される。編集画面は、撮影画像の編集に用いられる画面である。２人で同時に編集を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６９】
また、タブレット内蔵モニタ１３１には、証明写真コース時には例えば調整画面が表示される。調整画面は、証明写真用画像の調整に用いられる画面である。例えばタッチペン１３２Ａとタッチペン１３２Ｂのいずれかを用いて調整が行われる。
【００７０】
図７は、画像処理ユニット１２の右側面の構成例を示す図である。
【００７１】
画像処理ユニット１２の側面にはタブレット内蔵モニタ１６１が設けられる。タブレット内蔵モニタ１６１には、事後接客機能を利用するときに用いられる画面が表示される。
【００７２】
タブレット内蔵モニタ１６１の下には、事後接客機能の案内音声、BGM、効果音等などを出力するスピーカ１６２が設けられる。スピーカ１６２の下にはシール紙排出口１６３が設けられる。画像処理ユニット１２の内部にはプリンタが設けられており、編集画像または証明写真用画像が所定のレイアウトでシール紙に印刷され、シール紙排出口１６３から排出される。
【００７３】
＜シール紙の例＞
図８は、編集画像が印刷されたシール紙の例を示す図である。
【００７４】
図８Ａは、６枚の編集画像が２行３列のレイアウトに配置されて印刷されたシール紙を示し、図８Ｂは、６枚の編集画像が３行２列のレイアウトに配置されて印刷されたシール紙を示す。
【００７５】
６枚の編集画像は、それぞれ、２人の利用者が異なる構図で写る６種類の画像である。通常コース時には、例えば静止画の撮影が６回行われ、６枚の撮影画像に対してそれぞれ編集が施された後、シール紙に印刷される。図８の例においては、それぞれの撮影画像は若干傾いて印刷されている。
【００７６】
撮影画像に写る利用者の背景には所定の色や模様の画像である背景画像が合成され、前景には、手書きの文字やスタンプ画像などの合成用画像が合成される。例えば図８Ａの６枚のうちの上段左端の編集画像に含まれる「Love my friend」の文字は手書きの文字であり、下段中央の編集画像に含まれるハート型の画像はスタンプ画像である。
【００７７】
シール紙の縁の余白領域には、機種名、撮影日の他に、メールアドレスとIDが印刷される。余白領域に印刷されたメールアドレスとIDは、サーバに送信された編集画像を携帯電話機などの携帯端末で閲覧するときに利用される。
【００７８】
図９は、編集画像のレイヤ構造の例を示す図である。
【００７９】
編集画像Ｐ１は、背景画像Ｐ１１、撮影画像Ｐ１２、前景画像Ｐ１３の各レイヤから構成される。図９の背景画像Ｐ１１は、所定の色の地にハートや星などの模様が表された画像であり、前景画像Ｐ１３は、落書きによって入力された「Love my friend」の手書き文字を含む画像である。
【００８０】
編集画像Ｐ１は、撮影画像Ｐ１２の被写体の領域を背景画像Ｐ１１に重ね、その上に前景画像Ｐ１３を重ねることによって生成される。
【００８１】
図１０は、証明写真用画像が印刷されたシール紙の例を示す図である。
【００８２】
図１０のシール紙は、６枚の証明写真用画像が２行３列のレイアウトに配置されて印刷されたシール紙である。
【００８３】
６枚の証明写真用画像は、１人の利用者の、略胸から上、頭より若干上までの範囲がほぼ中央に写る、構図が同じ１種類の画像である。証明写真コース時には、例えば静止画の撮影が４回行われ、４枚の撮影画像の中から選択された１枚の撮影画像を証明写真用画像として、調整が施された後にシール紙に印刷される。
【００８４】
シール紙の左下には、金額、日にちなどからなる領収証が印刷され、右下には、証明写真用画像の使い方などに関する注意書きが印刷される。注意書きの下には、サーバに送信された証明写真用画像を携帯電話機で閲覧するときに利用されるメールアドレスとIDが印刷される。以下、適宜、編集画像または証明書用画像を携帯電話機で見ることができるようにサーバに送信する仕組みのことを「携帯送信」という。
【００８５】
利用者は、シール紙に印刷された証明写真用画像をはさみなどで切り取り、履歴書などの書類に貼り付けて使うことになる。印刷媒体がシール紙であるから、履歴書などに貼り付けるときに糊付けが不要となる。
【００８６】
図１１は、証明写真用画像のレイヤ構造の例を示す図である。
【００８７】
証明写真用画像Ｐ２１は、背景画像Ｐ３１と撮影画像Ｐ３２の各レイヤから構成される。図１１の背景画像Ｐ３１は、所定の色の無地の画像であり、通常コース時に用いられる背景画像にあるような模様などは含まれない。
【００８８】
証明写真用画像Ｐ２１は、撮影画像Ｐ３２の被写体の領域を背景画像Ｐ３１に重ねることによって生成される。
【００８９】
以上のような外観構成を有する写真シール作成装置１によっては、このような編集画像が印刷されたシール紙、あるいは証明写真用画像が印刷されたシール紙が生成される。なお、編集画像や証明写真用画像は、シール紙に印刷されるものとしたが、特に、証明写真用画像が印刷される印刷媒体は、シール紙に限らず、写真が印刷可能な写真用紙とすることができる。
【００９０】
＜写真シール作成装置の内部構成＞
［ハードウェア構成］
図１２は、写真シール作成装置１の内部の構成例を示すブロック図である。上述した構成と同じ構成には同じ符号を付してある。重複する説明については適宜省略する。
【００９１】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、画像処理部２０９Ａ、画像処理部２０９Ｂ、および事後接客部２１０の各構成も接続される。
【００９２】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００９３】
通信部２０３は、インターネットなどのネットワークのインタフェースであり、制御部２０１による制御に従って外部の装置と通信を行う。通信部２０３は、編集画像や証明写真用画像をサーバに送信する。
【００９４】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００９５】
ROM２０６には、制御部２０１において実行されるプログラムやデータが記憶されている。RAM２０７は、制御部２０１が処理するデータやプログラムを一時的に記憶する。
【００９６】
撮影部２０８は、撮影空間Ａ１にいる利用者を対象とした撮影処理を行う。撮影部２０８は、硬貨処理部２２１、背景制御部２２２、照明装置２２３、カメラ９１、タッチパネルモニタ９２、およびスピーカ２２４から構成される。
【００９７】
硬貨処理部２２１は、硬貨投入返却口８５に対する硬貨の投入を検出する。硬貨処理部２２１は、４００円などの所定の金額分の硬貨が投入されたことを検出した場合、そのことを表す起動信号を制御部２０１に出力する。
【００９８】
背景制御部２２２は、制御部２０１より供給される背景制御信号に従って背景カーテンユニット２５を制御し、背景カーテンの上げ下げを行う。背景カーテンの上げ下げが利用者により手動で行われるようにしてもよい。
【００９９】
例えば、証明写真コースと通常コースとで、異なる背景カーテンが用いられる。
【０１００】
照明装置２２３は、制御部２０１から供給される照明制御信号に従って、撮影空間Ａ１内の各ストロボの発光を制御する。撮影空間Ａ１には、天井ストロボユニット２４のストロボの他に、撮影部２１の右上ストロボ８２、左上ストロボ８３、足元ストロボ８４、正面ストロボ９３、背景部２２の背面中央ストロボ１０１、背面右ストロボ１０２、背面左ストロボ１０３が設けられる。
【０１０１】
例えば、証明写真コースと通常コースとで、異なるストロボが静止画の撮影時に動作する。また、ストロボの発光量や光の色味が、証明写真コースと通常コースとで切り替えられる。
【０１０２】
カメラ９１は、制御部２０１による制御に従って撮影を行い、撮影によって得られた画像を制御部２０１に出力する。
【０１０３】
画像処理部２０９Ａは、画像処理空間Ａ２−１にいる利用者を対象とした画像処理を行う。画像処理部２０９Ａは、タブレット内蔵モニタ１３１、タッチペン１３２Ａ，１３２Ｂ、およびスピーカ２３１から構成される。画像処理部２０９Ｂは、画像処理部２０９Ａと同一の構成を有しており、画像処理空間Ａ２−２にいる利用者を対象とした画像処理を行う。
【０１０４】
タブレット内蔵モニタ１３１は、制御部２０１による制御に従って編集画面または調整画面を表示し、画面に対する利用者の操作を検出する。利用者の操作の内容を表す信号は制御部２０１に供給され、利用者の操作に応じて画像処理が行われる。
【０１０５】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６２、およびプリンタ２４１から構成される。プリンタ２４１にはシール紙ユニット２４２が装着される。
【０１０６】
プリンタ２４１は、制御部２０１から供給された印刷データに基づいて、編集画像や証明写真用画像をシール紙ユニット２４２に収納されているシール紙に印刷し、シール紙排出口１６３に排出する。制御部２０１からプリンタ２４１に対しては、各画像が配置されたイメージデータが印刷データとして供給される。
【０１０７】
［制御部の構成］
図１３は、図１２の制御部２０１の機能構成例を示すブロック図である。図１３に示す機能部のうちの少なくとも一部は、制御部２０１内のCPUにより所定のプログラムが実行されることによって実現される。
【０１０８】
制御部２０１においては、撮影管理部３０１、画像処理管理部３０２、印刷管理部３０３、事後接客管理部３０４、およびシーケンス管理部３０５が実現される。
【０１０９】
撮影管理部３０１は、撮影部２０８の各部を制御し、写真シール作成装置１を利用する際に投入される代金に関する処理や撮影処理を行う。画像処理管理部３０２は、画像処理部２０９Ａ、画像処理部２０９Ｂの各部を制御し、画像処理を行う。印刷管理部３０３は、事後接客部２１０のプリンタ２４１を制御し、印刷処理を行う。事後接客管理部３０４は、事後接客部２１０のタブレット内蔵モニタ１６１を制御するなどして事後接客処理を行う。シーケンス管理部３０５は、利用者が行うゲームの全体のシーケンスを管理する。
【０１１０】
図１４は、撮影管理部３０１の構成例を示すブロック図である。
【０１１１】
撮影管理部３０１は、ガイダンス出力制御部３２１、表示制御部３２２、カメラ制御部３２３、および撮影画像記憶部３２４から構成される。
【０１１２】
ガイダンス出力制御部３２１は、撮影の進め方などを説明するガイダンスの出力を制御する。ガイダンス出力制御部３２１は、表示制御部３２２を制御し、撮影の進め方などを説明する画面を表示させたり、音声をスピーカ２２４から出力させたりする。
【０１１３】
表示制御部３２２は、タッチパネルモニタ９２の表示を制御する。例えば、表示制御部３２２は、カメラ制御部３２３から供給された動画に基づいてライブビューをタッチパネルモニタ９２に表示させる。
【０１１４】
カメラ制御部３２３は、撮影処理が開始されたとき、カメラ９１を制御して動画を撮影する。カメラ制御部３２３により撮影された動画はライブビューの表示に用いられる。また、カメラ制御部３２３は、所定のタイミングで静止画の撮影を行い、撮影画像を表示制御部３２２と撮影画像記憶部３２４に出力する。表示制御部３２２に出力された撮影画像は撮影結果の確認に用いられる。
【０１１５】
撮影画像記憶部３２４は、カメラ制御部３２３から供給された撮影画像を記憶する。撮影画像記憶部３２４に記憶された撮影画像は、編集処理の開始時、または調整処理の開始時に画像処理管理部３０２により読み出される。
【０１１６】
図１５は、画像処理管理部３０２の構成例を示すブロック図である。
【０１１７】
画像処理管理部３０２は、ガイダンス出力制御部３３１、表示制御部３３２、編集部３３３、調整部３３４、および画像記憶部３３５から構成される。
【０１１８】
ガイダンス出力制御部３３１は、編集や調整の進め方などを説明するガイダンスの出力を制御する。ガイダンス出力制御部３３１は、表示制御部３３２を制御し、編集や調整の進め方などを説明する画面を表示させたり、音声をスピーカ２３１から出力させたりする。
【０１１９】
表示制御部３３２は、タブレット内蔵モニタ１３１の表示を制御する。例えば、表示制御部３２２は、通常コースを選択した利用者が撮影を終えた場合には編集画面をタブレット内蔵モニタ１３１に表示させ、証明写真コースを選択した利用者が撮影を終えた場合には調整画面をタブレット内蔵モニタ１３１に表示させる。
【０１２０】
編集部３３３は、撮影画像の編集（落書き）を行う。編集部３３３は、画像処理空間Ａ２−１または画像処理空間Ａ２−２にいる利用者が、通常コースを選択した利用者である場合に処理を行うことになる。
【０１２１】
撮影画像の編集は、利用者の操作に応じて、手書きの文字やスタンプ画像などの合成用画像を撮影画像に重ねるなどして進められる。タブレット内蔵モニタ１３１からは、利用者の操作の内容を表す信号が供給される。編集部３３３による処理の結果は表示制御部３３２に供給され、編集画面に表示される。編集部３３３は、編集済みの撮影画像である編集画像を画像記憶部３３５に出力する。
【０１２２】
調整部３３４は、証明写真用画像の調整を行う。調整部３３４は、画像処理空間Ａ２−１または画像処理空間Ａ２−２にいる利用者が、証明写真用コースを選択した利用者である場合に処理を行うことになる。
【０１２３】
証明写真用画像の調整は、利用者の操作に応じて、被写体の位置、明るさ、背景画像の色を変えるなどして進められる。タブレット内蔵モニタ１３１からは、利用者の操作の内容を表す信号が供給される。調整部３３４による処理の結果は表示制御部３３２に供給され、調整画面に表示される。調整部３３４は、調整済みの証明写真用画像を画像記憶部３３５に出力する。
【０１２４】
画像記憶部３３５は、編集部３３３から供給された編集画像、または調整部３３４から供給された証明写真用画像を記憶する。画像記憶部３３５に記憶された画像は、印刷処理の開始時に印刷管理部３０３により読み出される。
【０１２５】
図１６は、印刷管理部３０３の構成例を示すブロック図である。
【０１２６】
印刷管理部３０３は、印刷データ生成部３４１とプリンタ制御部３４２から構成される。
【０１２７】
印刷データ生成部３４１は、通常コースにおける印刷処理の開始時、画像記憶部３３５に記憶されている編集画像を読み出し、所定のレイアウトに配置することによってイメージデータを生成する。また、印刷データ生成部３４１は、証明写真コースにおける印刷処理の開始時、画像記憶部３３５に記憶されている証明写真用画像を読み出し、所定のレイアウトに配置することによってイメージデータを生成する。印刷データ生成部３４１は、生成したイメージデータを印刷データとしてプリンタ制御部３４２に出力する。
【０１２８】
プリンタ制御部３４２は、プリンタ２４１を制御し、印刷データ生成部３４１により生成された印刷データに基づいて画像をシール紙に印刷させる。
【０１２９】
図１７は、事後接客管理部３０４の構成例を示すブロック図である。
【０１３０】
事後接客管理部３０４は、表示制御部３５１と通信制御部３５２から構成される。
【０１３１】
表示制御部３５１は、タブレット内蔵モニタ１６１の表示を制御する。例えば、表示制御部３５１は、携帯送信の機能を利用することが選択された場合、利用者が使う携帯端末のメールアドレスの入力画面をタブレット内蔵モニタ１６１に表示させる。
【０１３２】
通信制御部３５２は、通信部２０３を制御し、編集画像や証明写真用画像をサーバに送信する。また、通信制御部３５２は、利用者により入力されたメールアドレスをサーバに送信する。
【０１３３】
＜写真シール作成装置の動作＞
次に、以上のような構成を有する写真シール作成装置１の動作について説明する。
【０１３４】
［シール作成ゲーム提供処理］
はじめに、図１８のフローチャートを参照して、シール作成ゲームを提供する写真シール作成装置１の一連の処理について説明する。
【０１３５】
ステップＳ１において、写真シール作成装置１の制御部２０１は、所定の金額分の硬貨が投入されたか否かを硬貨処理部２２１から供給される信号に基づいて判定し、投入されたと判定するまで待機する。
【０１３６】
硬貨が投入されたとステップＳ１において判定した場合、ステップＳ２において、撮影管理部３０１の表示制御部３２２は、コース選択画面をタッチパネルモニタ９２に表示させる。
【０１３７】
このように、写真シール作成装置１においては、代金の投入後にコースの選択が行われる。すなわち、証明写真コースによって証明写真用画像の提供を受ける場合でも、その金額は通常コースで遊ぶ場合と同じ金額になる。
【０１３８】
図１９は、コース選択画面の例を示す図である。
【０１３９】
コース選択画面の上方には「撮りたいコースを選んでね」のメッセージが表示される。
メッセージの隣に表示される数字はコースの選択に設定された制限時間である。
【０１４０】
コース選択画面の中央左側には、２人用コースを選択するときに操作される大きな略正方形のボタンである２人用コース選択ボタン４０１が表示される。２人用コース選択ボタン４０１の内側には、２人用コースで撮影を行ったときに得られる画像のサンプルが表示される。
【０１４１】
２人用コース選択ボタン４０１の右側には、３人用コースを選択するときに操作される長方形のボタンである３人用コース選択ボタン４０２と、４人用コースを選択するときに操作される長方形のボタンである４人用コース選択ボタン４０３が縦に並べて表示される。３人用コース選択ボタン４０２の内側には３人用コースで撮影を行ったときに得られる画像のサンプルが１枚表示され、４人用コース選択ボタン４０３の内側には４人用コースで撮影を行ったときに得られる画像のサンプルが１枚表示される。
【０１４２】
サンプル画像が表示されることにより、利用者はそれぞれのコースによって得られる画像の画角を確認することができる。図１９に示すように、少人数の撮影コースを選択したときに得られる画像より、大人数の撮影コースを選択したときに得られる画像の方が、垂直方向の長さに対する水平方向の長さが長い。
【０１４３】
コース選択画面の下方には、証明写真コースを選択するときに操作されるボタンである証明写真コース選択ボタン４０４が表示される。証明写真コース選択ボタン４０４の内側には、証明写真用画像のサンプルが１枚表示されるとともに、１人用のコースであることと、証明写真用画像の用途が履歴書用（横×縦が３cm×４cm）であることを表す情報が表示される。
【０１４４】
図２０は、証明写真コース選択ボタン４０４を操作したときにコース選択画面に重ねて表示されるポップアップの例を示す図である。
【０１４５】
証明写真コース選択ボタン４０４を操作したとき、コース選択画面に重ねてウインドウ４１１が表示される。ウインドウ４１１には、証明写真コースでゲームを開始してよいのかを確認する旨のメッセージが表示され、その下に、証明写真コースでゲームを開始するときに操作されるYESボタンであるボタン４１１Ａと、コースの選択をやり直すときに操作されるNOボタンであるボタン４１１Ｂが並べて表示される。
【０１４６】
ボタン４１１Ａとボタン４１１Ｂの下には、証明写真コースが１人用のコースであることと、証明写真用画像のサイズが履歴書や願書に使用できるサイズ（横×縦が３cm×４cm）であることを表す情報が表示される。また、証明写真用画像の写りに関する説明が表示される。このとき、履歴書や願書に使用できるサイズとして他のサイズが表示され、選択させるようにしてもよい。
【０１４７】
YESボタンであるボタン４１１Ａが操作されたとき、証明写真コースのゲームが開始される。一方、NOボタンであるボタン４１１Ｂが操作されたとき、ウインドウ４１１が閉じ、タッチパネルモニタ９２の表示は、図１９のコース選択画面が表示される状態に戻る。
【０１４８】
証明写真コースを選択したときにこのような確認画面を表示させることにより、通常コースで編集画像を作りたいと思っている利用者が間違って証明写真コースを選択してしまうことを防ぐことができる。
【０１４９】
また、証明写真コースを選択した利用者に、ゲームを進めることで得られる証明写真用画像のサイズなどを確認させることができる。
【０１５０】
このようなコース選択画面を用いて利用者により選択されたコースを表す情報は、シーケンス管理部３０５に供給される。なお、いずれのコースも選択せずに制限時間が経過したとき、例えば２人用コースが自動的に選択される。
【０１５１】
コース選択画面において証明写真コース選択ボタン４０４が操作され、続けて図２０のYESボタンであるボタン４１１Ａが操作されることによって証明写真用コースが選択された場合、ステップＳ３において、撮影管理部３０１は証明写真コースにおける撮影処理を行う。
【０１５２】
ステップＳ４において、画像処理管理部３０２は、画像処理空間Ａ２−１と画像処理空間Ａ２−２のうち、撮影を終えた利用者の移動先とした方の画像処理空間に対応する画像処理部２０９Ａまたは画像処理部２０９Ｂを制御して、証明写真コースにおける調整処理を行う。調整処理においては、証明写真用画像として用いる撮影画像が選択され、選択された証明写真用画像に対して調整が行われる。
【０１５３】
ステップＳ５において、印刷管理部３０３は、証明写真コースにおける印刷処理を行う。印刷処理により、調整後の証明写真用画像があらかじめ決められたレイアウトに従ってシール紙に印刷される。
【０１５４】
ステップＳ６において、事後接客管理部３０４は、印刷が終わるのを待っている利用者に対する事後接客処理を行う。事後接客処理は印刷処理と適宜並行して行われる。事後接客管理部３０４は、証明写真用画像を携帯端末に送信する処理を事後接客処理として行う。
【０１５５】
印刷が終了したとき、証明写真用画像が印刷されたシール紙がシール紙排出口１６３に排出される。利用者は、シール紙をシール紙排出口１６３から取り出して一連のゲームを終える。証明写真コースを選択した場合に行われる各処理の詳細については、後に詳述する。
【０１５６】
一方、コース選択画面において２人用コース選択ボタン４０１、３人用コース選択ボタン４０２、または４人用コース選択ボタン４０３が操作されることによって通常コースが選択された場合、ステップＳ７において、撮影管理部３０１は通常コースにおける撮影処理を行う。
【０１５７】
ステップＳ８において、画像処理管理部３０２は、画像処理空間Ａ２−１と画像処理空間Ａ２−２のうち、撮影を終えた利用者の移動先とした方の画像処理空間に対応する画像処理部２０９Ａまたは画像処理部２０９Ｂを制御して、通常コースにおける編集処理を行う。編集処理においては、編集対象とする画像を適宜切り替えて複数枚の撮影画像に対してそれぞれ編集が施される。
【０１５８】
ステップＳ９において、印刷管理部３０３は、通常コースにおける印刷処理を行う。印刷処理により、利用者により選択されたレイアウトに従って、複数の編集画像がシール紙に印刷される。
【０１５９】
ステップＳ１０において、事後接客管理部３０４は、印刷が終わるのを待っている利用者に対する事後接客処理を行う。事後接客管理部３０４は、編集画像を携帯端末に送信する処理を事後接客処理として行う。
【０１６０】
印刷が終了したとき、編集画像が印刷されたシール紙がシール紙排出口１６３に排出される。利用者は、シール紙をシール紙排出口１６３から取り出して一連のゲームを終える。通常コースを選択した場合に行われる各処理の詳細については、後に詳述する。
【０１６１】
各処理は、写真シール作成装置１を利用する利用者の数や写真シール作成装置１の利用を始めたタイミングなどに応じて適宜並行して行われる。各処理のタイミングがシーケンス管理部３０５により制御される。
【０１６２】
以上のように、利用者は、ゲームセンターなどに設置される写真シール作成装置１を用いて、証明写真用画像の撮影を行うことができる。また、編集画像が印刷されたシール紙を受け取るためのゲームを行ったついでに証明写真用画像の撮影を行うことができるため、専用機が設置されている場所や写真スタジオにわざわざ行く必要がない。
【０１６３】
写真シール作成装置１の主な利用者は女子中高生であるが、女子中高生の中には、証明写真を撮影するための専用機に入りづらいなどの印象を持っている人もいる。ゲームセンターなどに設置される写真シール作成装置１を用いて証明写真用画像を撮影できるようにすることにより、証明写真用画像の撮影を気軽に行うことが可能になる。
【０１６４】
編集画像が印刷されたシール紙を受け取るためのゲームの金額と同じ金額で証明写真用画像の撮影を行うことができることも、気軽に証明写真用画像の撮影を行うことにつながる。
【０１６５】
さらに、編集画像が印刷されたシール紙を受け取るためのゲームに慣れている利用者にとっては、そのゲームと同じように場所を移動しながら証明写真用画像の撮影や調整を行うことができるため、操作に迷うことなく、証明写真用画像の撮影などを進めることができる。撮影後の調整を、撮影空間Ａ１とは異なる空間で行うことができるため、同じ空間に居続けることに対する抵抗感も少ない。
【０１６６】
撮影空間Ａ１は、複数人で入って撮影を行うことができるような広い空間である。そのような広い空間が確保されていることから、１人がぎりぎり入れるような狭い空間で撮影を行う場合に較べて、入ることに対する抵抗感も少ない。
【０１６７】
なお、そのような撮影空間Ａ１へ１人で入ることにすら抵抗感を覚える利用者のために、撮影部２１の両側面に形成される２つの出入り口それぞれの近傍に表示部を設け、例えば、人目につかない方（例えば、人混みの少ない方など）の出入り口の表示部に、その出入り口が、証明写真コースを利用する利用者に向けての出入り口である旨を表示させるようにしてもよい。これにより、利用者は、人目を気にせずに撮影空間Ａ１へ入ることができる。この場合、２つの出入り口の両方から利用者が入ることができるようにするために、出入り口それぞれの近傍に赤外線などを用いた人感センサをさらに設け、反対側の出入り口に他の利用者が待機している場合には、表示部に「待機している人がいるよ」などのメッセージを表示させるようにしてもよい。また、証明写真コースを利用しようとする利用者が、人目につかない方の出入り口から入った場合、撮影中にもかかわらず、そのことを知らない利用者が、人目につく方の出入り口から入ってしまうことを避けるために、撮影空間Ａ１で撮影が行われている場合には、表示部に「撮影中」などのメッセージを表示させるようにしてもよい。
【０１６８】
［証明写真コースにおける撮影処理］
次に、図２１のフローチャートを参照して、図１８のステップＳ３において行われる証明写真コースにおける撮影処理について説明する。
【０１６９】
ステップＳ２１において、撮影管理部３０１のガイダンス出力制御部３２１は、表示制御部３２２を制御し、撮影の仕方を説明する画面をタッチパネルモニタ９２に表示させるなどして撮影前ガイダンスを出力する。
【０１７０】
図２２は、撮影前ガイダンス画面の例を示す図である。
【０１７１】
撮影前ガイダンス画面の略中央には、縦長長方形の領域である画像表示領域４３１が設けられる。画像表示領域４３１の横：縦の比は、例えば、証明写真用画像の横：縦の比と同じ３：４である。上述したように、証明写真用画像のサイズは横×縦の長さが３cm×４cmである。
【０１７２】
撮影前ガイダンス画面の画像表示領域４３１には、はじめに、モデルとなる人物Ｈ１が映る動画が表示される。図２２の例においては、人物Ｈ１の略胸より上、頭より若干上までの範囲が映っている。画像表示領域４３１に表示される動画は、人物Ｈ１が身だしなみを整える様子の動画である。
【０１７３】
動画の表示に合わせて、ガイダンス出力制御部３２１により、例えば「まずは身だしなみの確認です。前髪は目にかからないように整え、髪型のチェックをしましょう。襟元までしっかり確認し、衣服をまっすぐに整えましょう。」などの音声がスピーカ２２４から出力される。
【０１７４】
また、画像表示領域４３１には、身だしなみを整える様子の動画に続けて、人物Ｈ１の略胸より上、頭より若干上までの範囲の静止画が表示される。静止画ではなく、頭の位置などを調整する様子の人物Ｈ１の動画が表示されるようにしてもよい。
【０１７５】
図２２に示すように、人物Ｈ１の静止画に重ねて、顔の位置と大きさの目安を表すガイドラインが表示される。ガイドラインは、頭の一番上（てっぺん）の位置の目安となる高さを表す水平線４３１Ａ、あごの位置の目安となる高さを表す水平線４３１Ｂ、および、顔の中心の水平方向の目安となる位置を表す垂直線４３１Ｃから構成される。
【０１７６】
画像表示領域４３１に表示される静止画は、垂直線４３１Ｃが顔の中心を通るとともに、水平線４３１Ａの近くに頭の一番上の位置を合わせ、水平線４３１Ｂの近くにあごの一番下の位置を合わせた人物Ｈ１の静止画である。
【０１７７】
静止画の表示に合わせて、ガイダンス出力制御部３２１により、例えば「次に頭のてっぺんとあごの先を赤いガイドラインに合わせてください。背筋を伸ばし、肩を水平にしましょう。中心がずれないように注意してください。あごを少し引いてください。口角を上げて目をぱっちり開き、リラックスしてカメラを見てください。」などの音声がスピーカ２２４から出力される。
【０１７８】
画像表示領域４３１の隣には、適宜、撮影のポイントの説明として、「前髪を整えましょう」、「襟元をまっすぐにしましょう」、「背筋を伸ばし、肩を水平にしましょう」、「あごを少し引きましょう」、「口角を上げましょう」、「目をしっかり開きましょう」などの文字情報も表示される。
【０１７９】
画像表示領域４３１の右下には、撮影前ガイダンスを終えるときに操作されるSKIPボタン４３２が表示される。
【０１８０】
SKIPボタン４３２が操作されたとき、または、撮影前ガイダンスが最後まで終わったとき、ステップＳ２２において、表示制御部３２２は、ライブビューの表示を開始する。カメラ９１による動画の撮影が開始され、撮影によって得られた、利用者が映る動画がカメラ制御部３２３から表示制御部３２２に供給される。
【０１８１】
図２３は、ライブビュー表示画面の例を示す図である。
【０１８２】
ライブビュー表示画面の略中央に設けられた画像表示領域４３１には、人物Ｈ２が写る動画がリアルタイムで表示される。人物Ｈ２は利用者自身である。利用者は、画像表示領域４３１に表示される自分の写りを見て、身だしなみの確認などを行うことができる。
【０１８３】
画像表示領域４３１には、撮影前ガイダンス画面に表示されていたものと同じ、水平線４３１Ａ、水平線４３１Ｂ、および垂直線４３１Ｃからなるガイドラインが利用者の動画に重ねて表示される。利用者は、立ち位置を前後左右に変えるなどして、垂直線４３１Ｃが中心を通るように顔の位置を合わせるとともに、水平線４３１Ａに頭の一番上の位置を合わせ、水平線４３１Ｂにあごの一番下の位置を合わせることになる。
【０１８４】
ガイドラインが顔の位置と大きさの目安としてライブビューに重ねて表示されるため、利用者は、立ち位置をどこにして撮影を行えばいいのかを確認することができる。
【０１８５】
顔の位置と大きさの目安を表す線がガイドラインとして表示されるものとしたが、顔の位置と大きさの目安を表す画像は直線画像に限られるものではない。例えば、顔の位置と大きさの目安を曲線の画像によって表すようにしてもよいし、楕円形などの所定の形状の画像によって表すようにしてもよい。
【０１８６】
また、顔の位置と大きさの目安を表す画像が表示されるものとしたが、人物の、顔以外の部分の位置と大きさを表す画像が表示されるようにしてもよい。例えば、肩の位置と大きさ、目の位置と大きさ、鼻の位置と大きさを表す画像を表示するようにしてもよい。
【０１８７】
さらに、顔の位置と大きさの両方の目安となる画像が表示されるものとしたが、位置と大きさのうちのいずれかの目安となる画像が表示されるようにしてもよい。
【０１８８】
撮影が立った状態で行うものであるため、図２３に示すようなライブビューを見たとしても、人物（利用者自身）の位置と大きさを正確に調整することは困難である。後述するように、撮影画像に写る人物の位置と大きさの調整は、証明写真用画像の調整時にも行われ、そのときの調整によって最終的に決定されるようになされている。
【０１８９】
撮影時にライブビューを見ながら行われる人物の位置と大きさの一段階目の調整が、立った状態で行う粗い調整となり、証明写真用画像の調整時に行われる二段階目の調整が、最終的な微調整となる。利用者は、撮影時には、大体の大きさで、大体の位置に写るように自分の立ち位置を調整すればよいことになる。
【０１９０】
なお、カメラ９１の撮影範囲（画角）は、画像表示領域４３１に表示される範囲よりも広いものとされる。カメラ９１により撮影された動画のうち、所定の範囲が切り出され、画像表示領域４３１の表示に用いられる。
【０１９１】
ライブビューの表示に合わせて、身だしなみを整えたり、顔の位置を合わせたりすることを促す音声のガイダンスも出力される。このようなライブビューが所定の時間表示された後、撮影前のカウントダウンが開始される。カウントダウンは、例えば撮影タイミングの１０秒前から開始される。
【０１９２】
図２４は、カウントダウンの表示を含むライブビュー表示画面の例を示す図である。
【０１９３】
カウントダウンが開始されたとき、図２４に示すように、ガイドラインの表示が消え、画像表示領域４３１の左右には、撮影までの秒数を表す数字が音声によるカウントダウンに合わせて表示される。画像表示領域４３１の下には、「撮影します。カメラを見てください。」のメッセージが表示される。
【０１９４】
このようなライブビュー表示画面がタッチパネルモニタ９２に表示された状態で撮影のタイミングになったとき、ステップＳ２３において、カメラ制御部３２３は１回目の静止画の撮影を行う。
【０１９５】
ライブビューの表示を開始してから１回目の撮影までの時間として、通常コースにおける時間より、証明写真コースにおける時間の方を長く確保するようにしてもよい。カメラ制御部３２３は、図２３に示すライブビュー表示画面の表示が開始された場合、通常コース時における１回目の撮影までの時間より長い時間が経過した後に１回目の撮影を行うことになる。
【０１９６】
性質上、証明写真用画像の方が、通常コース時に得られる編集画像より、身だしなみや被写体の位置などの自由度が低い。ライブビューの表示開始後、１回目の撮影までの時間が長く確保されることにより、証明写真コースで撮影を行う利用者は、身だしなみを整えたり、立ち位置を適切な位置に調整したりすることを、より時間をかけて行うことができる。
【０１９７】
カメラ制御部３２３は、１回目の撮影によって得られた静止画である撮影画像を表示制御部３２２に出力するとともに、撮影画像記憶部３２４に出力し、記憶させる。
【０１９８】
ステップＳ２４において、カメラ制御部３２３は、１回目の撮影結果をタッチパネルモニタ９２に表示させる。
【０１９９】
図２５は、撮影結果確認画面の例を示す図である。
【０２００】
図２５Ａに示される撮影結果確認画面の画像表示領域４３１には、直前の撮影によって得られた撮影画像が表示される。画像表示領域４３１の下には「撮影結果です。」のメッセージが表示される。利用者は、このような撮影結果確認画面から、直前に撮影された撮影画像を確認することができる。
【０２０１】
撮影結果確認画面が所定の時間だけ表示された後、ライブビューの表示が再開され、２回目以降の撮影が行われる。
【０２０２】
すなわち、図２３、図２４のライブビュー表示画面が表示制御部３２２により表示され、２回目の撮影タイミングになったとき、ステップＳ２５において、カメラ制御部３２３は、２回目の静止画の撮影を行う。カメラ制御部３２３は、撮影によって得られた撮影画像を表示制御部３２２に出力するとともに、撮影画像記憶部３２４に出力し、記憶させる。
【０２０３】
ステップＳ２６において、表示制御部３２２は、２回目の撮影によって得られた撮影画像を表示する撮影結果確認画面をタッチパネルモニタ９２に表示させる。
【０２０４】
以上の処理が、あらかじめ設定されている撮影回数だけ繰り返される。撮影回数が例えば４回として設定されている場合、ステップＳ２７において、カメラ制御部３２３は３回目の撮影を行い、ステップＳ２８において、表示制御部３２２は、３回目の撮影によって得られた撮影画像を含む撮影結果確認画面をタッチパネルモニタ９２に表示させる。
【０２０５】
ステップＳ２９において、カメラ制御部３２３は４回目の撮影を行い、ステップＳ３０において、表示制御部３２２は、４回目の撮影によって得られた撮影画像を含む撮影結果確認画面をタッチパネルモニタ９２に表示させる。
【０２０６】
直前の撮影から次の撮影までの時間、すなわち撮影間隔についても、通常コースにおける時間より、証明写真コースにおける時間の方を長く確保するようにしてもよい。直前の撮影から次の撮影までの間、ライブビューが表示されることにより、利用者は、次の撮影に備えて身だしなみを整えたり、立ち位置を適切な位置に調整し直したりすることを、より時間をかけて行うことができる。
【０２０７】
また、４回の撮影の度に、撮影結果を確認させるのではなく、複数回の撮影を連続して行い、撮影結果をまとめて確認させるようにしてもよい。この場合、撮影回数を４回より多くすることができるので、利用者に、撮影結果として得られた多くの撮影画像の中から、例えば４枚の撮影画像を選択させることができる。また、図２５Ｂに示されるように、ライブビュー表示画面の左側に設けられた撮影結果表示領域４４１乃至４４３に、１乃至３回目の撮影によって得られた撮影結果を順次表示させることで、前回までの撮影によって得られた撮影結果をまとめて確認させるようにしてもよい。もちろん、２回目以降の撮影の度に撮影結果を確認させる場合にも、図２５Ｂに示されるライブビュー表示画面が表示されるようにしてもよい。
【０２０８】
ステップＳ３１において、表示制御部３２２は、通常コースの紹介画面をタッチパネルモニタ９２に表示させる。通常コースの紹介画面には、通常コース時に行うことができる、撮影画像の編集の内容を表す画像などが表示される。
【０２０９】
ステップＳ３２において、表示制御部３２２は、撮影を終えた利用者に対して、画像処理空間Ａ２−１または画像処理空間Ａ２−２への移動を案内する。画像処理空間Ａ２−１または画像処理空間Ａ２−２への移動の案内は、タッチパネルモニタ９２に画面を表示させることによって、または、スピーカ２２４から音声を出力することによっても行われる。
【０２１０】
利用者は、撮影空間Ａ１から出て、案内された方の画像処理空間に移動して証明写真用画像の調整を行うことになる。その後、図１８のステップＳ３に戻り、それ以降の処理が行われる。
【０２１１】
［証明写真コースにおける調整処理］
次に、図２６のフローチャートを参照して、図１８のステップＳ４において行われる証明写真用画像の調整処理について説明する。
【０２１２】
ステップＳ４１において、画像処理管理部３０２の表示制御部３３２は、撮影処理によって得られた例えば４枚の撮影画像を撮影画像記憶部３２４から読み出して取得し、画像選択画面をタブレット内蔵モニタ１３１に表示させる。画像選択画面は、４枚の撮影画像の中から証明写真用画像とする１枚の撮影画像を選択するのに用いられる画面である。
【０２１３】
図２７は、画像選択画面の例を示す図である。
【０２１４】
画像選択画面の上方中央には、画像の選択を促す「プリントしたい画像を１枚選んでください。」のメッセージが表示され、その下に、４枚の撮影画像４５１−１乃至４５１−４が撮影順に並べて表示される。撮影画像４５１−１乃至４５１−４は、４回の撮影によって得られた、構図の異なる４種類の静止画である。
【０２１５】
利用者は、タッチペン１３２Ａまたはタッチペン１３２Ｂで触れることによって好みの撮影画像を選択する。図２７の例においては、撮影画像４５１−１乃至４５１−４のうちの撮影画像４５１−１が選択中とされており、撮影画像４５１−１の枠がカーソルＣによって強調表示されている。
【０２１６】
撮影画像４５１−１乃至４５１−４の下には、証明写真用画像として用いる撮影画像を決定するときに操作されるOKボタン４５２が表示される。
【０２１７】
図２８は、撮影画像の枚数が３枚である場合の画像選択画面の例を示す図である。
【０２１８】
撮影処理における撮影回数が３回である場合、利用者は、図２８の画像選択画面を用いて、３枚の撮影画像の中から、証明写真用画像とする１枚の撮影画像を選択することになる。
【０２１９】
このように、撮影回数は任意に設定可能である。また、証明写真用画像とする撮影画像の枚数も１枚に限られるものではなく、複数枚の撮影画像を証明写真用画像として選択することができるようにしてもよい。
【０２２０】
画像選択画面から１枚の撮影画像が選択され、OKボタン４５２が操作された場合、ステップＳ４２において、表示制御部３３２は、証明写真用画像についての各種の注意をまとめた画面である警告画面をタブレット内蔵モニタ１３１に表示させる。
【０２２１】
図２９は、警告画面の例を示す図である。
【０２２２】
図２９に示すように、警告画面には、証明写真用画像の用途、証明写真用画像の補正（調整）の内容、シール紙に印刷される証明写真用画像の種類、証明写真用画像の印刷に用いられる印刷媒体の種類、実際に印刷される色味などに関する注意書きが表示される。
【０２２３】
各種の注意書きの下には、警告画面の表示を終了するときに操作されるSKIPボタン４６１が表示される。
【０２２４】
SKIPボタン４６１が操作されたとき、または警告画面を表示してから所定の時間が経過したとき、ステップＳ４３において、ガイダンス出力制御部３３１は、表示制御部３２２を制御し、証明写真用画像の調整の仕方を説明する画面をタブレット内蔵モニタ１３１に表示させるなどして、調整前ガイダンスを出力する。
【０２２５】
図３０は、調整前ガイダンス画面の例を示す図である。
【０２２６】
調整前ガイダンス画面は、調整画面全体のうち、説明の対象となっている機能に関する部分だけをカラー表示とし、それ以外の部分をグレーアウト表示とさせた画面である。
【０２２７】
図３０の例においては、調整画像表示領域５１１とボタン領域５１２がカラー表示になっている。調整画像表示領域５１１は、調整対象となる証明写真用画像の表示領域であり、ボタン領域５１２は、人物の位置の調整に用いられるボタンが表示される領域である。調整前のガイダンス中であるから、調整画像表示領域５１１には、モデルの人物Ｈ１が写る静止画が表示される。
【０２２８】
また、図３０の例においては、ボタン領域５１２に表示されるボタンを用いて行う位置の調整機能の説明中であることが、ボタン領域５１２を指す矢印画像５０１により表されている。「１番  人物の位置を調整」などの音声が、図３０の表示に合わせてガイダンス出力制御部３３１によりスピーカ２３１から出力される。例えば、証明写真用画像の調整は、人物の位置の調整、人物の大きさの調整、背景の色の調整、写りの調整の順に行われる。これらの４種類の調整の全てが行われるのではなく、４種類の調整のうちの少なくともいずれかが行われるようにしてもよい。また、証明写真用画像に写る人物の傾きの調整などの他の調整が行われるようにしてもよい。
【０２２９】
調整前ガイダンス画面においては、矢印画像５０１が説明中の機能に合わせて移動するとともに、カラー表示の部分が、人物の大きさの調整に用いられるボタンが表示される領域、背景の色の調整に用いられるボタンが表示される領域、写りの調整に用いられるボタンが表示される領域の順に切り替わる。
【０２３０】
カラー表示の部分が切り替わることに応じて、「２番  人物の大きさを調整」、「３番  背景カラーを選択」、「４番  写りを調整」などの音声がスピーカ２３１から出力される。調整前ガイダンス画面の右上には、調整前ガイダンスを終了させるときに操作されるSKIPボタン５０２も表示される。
【０２３１】
SKIPボタン５０２が操作されたとき、または調整前ガイダンスが終わったとき、ステップＳ４４において、表示制御部３３２は、調整画面をタブレット内蔵モニタ１３１に表示させる。SKIPボタン５０２を用いずに、調整前ガイダンス画面上をタッチペン１３２Ａ、タッチペン１３２Ｂで押す操作が行われたときにも調整前ガイダンスは終了となる。
【０２３２】
図３１は、調整画面の例を示す図である。
【０２３３】
調整画面の略中央の調整画像表示領域５１１には、利用者（人物Ｈ２）が写る証明写真用画像が表示される。調整画像表示領域５１１に表示される証明写真用画像は、画像選択画面において４枚の撮影画像の中から選択された１枚の撮影画像である。調整画像表示領域５１１の証明写真用画像の表示には、調整画面の各種のボタンを用いて行われた調整の内容がリアルタイムで反映される。
【０２３４】
調整画像表示領域５１１の左側には、ボタン領域５１２、人物の大きさの調整に用いられるボタンが表示される領域であるボタン領域５１３、および、背景の色の調整に用いられるボタンが表示される領域であるボタン領域５１４が設けられる。
【０２３５】
一方、調整画像表示領域５１１の右側には、一発レタッチに用いられるボタンが表示される領域であるボタン領域５１５と、こだわりレタッチに用いられるボタンが表示される領域であるボタン領域５１６が設けられる。ボタン領域５１５とボタン領域５１６が、写りの調整に用いられるボタンが表示される領域である。
【０２３６】
図３２は、図３１のボタン領域５１２、ボタン領域５１３、およびボタン領域５１４を拡大して示す図である。
【０２３７】
ボタン領域５１２には、左ボタン５１２Ａ、右ボタン５１２Ｂ、上ボタン５１２Ｃ、および下ボタン５１２Ｄが表示される。左ボタン５１２Ａは、人物の位置を左方向に移動させるときに操作されるボタンであり、右ボタン５１２Ｂは、人物の位置を右方向に移動させるときに操作されるボタンである。また、上ボタン５１２Ｃは、人物の位置を上方向に移動させるときに操作されるボタンであり、下ボタン５１２Ｄは、人物の位置を下方向に移動させるときに操作されるボタンである。ボタン領域５１２に表示されているボタンを押すごとに、人物の位置が所定の量だけ移動する。
【０２３８】
ボタン領域５１３には、マイナスボタン５１３Ａとプラスボタン５１３Ｂが表示される。マイナスボタン５１３Ａは、人物の大きさを小さくするときに操作されるボタンであり、プラスボタン５１３Ｂは、人物の大きさを大きくするときに操作されるボタンである。ボタン領域５１３に表示されているボタンを押すごとに、人物の大きさが所定の量だけ変化する。
【０２３９】
ボタン領域５１２に表示されるボタンとボタン領域５１３に表示されるボタンを用いた調整が、人物の位置と大きさの二段階目の調整となる。
【０２４０】
図３３は、人物の位置と大きさの二段階目の調整時の調整画面の表示例を示す図である。
【０２４１】
人物の位置と大きさの調整時、ライブビュー表示時と同様に、調整画像表示領域５１１には、証明写真用画像に重ねて、水平線５１１Ａ、５１１Ｂ、および垂直線５１１Ｃからなるガイドラインが表示される。水平線５１１Ａは、頭の一番上の位置の目安となる高さを表し、水平線５１１Ｂは、あごの位置の目安となる高さを表す。また、垂直線５１１Ｃは、顔の中心の水平方向の目安となる位置を表す。
【０２４２】
例えば、人物の位置の調整時、「人物の位置を調整します。ガイドラインの位置に合わせて調整してください。」などの音声がガイダンス出力制御部３３１によりスピーカ２３１から出力される。また、人物の大きさの調整時、「人物の大きさを調整します。ガイドラインの大きさに合わせて調整してください。」などの音声がガイダンス出力制御部３３１によりスピーカ２３１から出力される。
【０２４３】
利用者は、ボタン領域５１２とボタン領域５１３に表示されているボタンを操作して、垂直線５１１Ｃが中心を通るように顔の位置を合わせるとともに、水平線５１１Ａに頭の一番上の位置を合わせ、水平線５１１Ｂにあごの一番下の位置を合わせることになる。
【０２４４】
このように、撮影時には粗い調整のみを行い、その後、証明写真用画像の調整時にタッチペン１３２Ａ、１３２Ｂを用いて細かい調整を行うようにすることにより、証明写真用画像における人物の位置と大きさを正確に調整することが可能になる。
【０２４５】
撮影時の一段階目の調整と同様に、顔の位置と大きさの目安を表す画像は直線画像に限られるものではない。また、人物の、顔以外の部分の位置と大きさを表す画像が表示されるようにしてもよい。さらに、顔の位置と大きさのうちのいずれかの目安となる画像が表示されるようにしてもよい。
【０２４６】
撮影時の一段階目の調整時は粗い調整であるから、顔の位置と大きさのうちのいずれかの目安となる画像のみが表示され、細かい調整である二段階目の調整時に、顔の位置と大きさの両方の目安となる画像が表示されるようにすることも可能である。
【０２４７】
ライブビュー表示時には、利用者はライブビューを見て身だしなみの確認なども行う必要がある。ライブビューに重ねて表示する情報を減らすことにより、利用者が自分の様子をより確認しやすくなる。
【０２４８】
図３４Ａ，Ｂは、人物の位置と大きさの調整時の画像処理の例を示す図である。
【０２４９】
図３４Ａ，Ｂの画像Ｐ４１は、証明写真用画像の全体の画像であり、枠Ｆ１で示す範囲が、調整画像表示領域５１１に表示される範囲である。撮影においては、タブレット内蔵モニタ１３１に表示される範囲より広い範囲のデータが取得されており、取得された画像上で、枠Ｆ１に収める範囲を変えるようにして人物の位置と大きさの調整が行われる。
【０２５０】
例えば、調整部３３４は、ボタン領域５１２の左ボタン５１２Ａが操作される毎に、図３４Ａの白抜き矢印＃１１に示すように枠Ｆ１の範囲を所定の量だけ右方向に移動させ、これにより、枠Ｆ１内における人物の位置を左方向に移動させる。また、調整部３３４は、右ボタン５１２Ｂが操作される毎に、白抜き矢印＃１２に示すように枠Ｆ１の範囲を所定の量だけ左方向に移動させ、枠Ｆ１内における人物の位置を右方向に移動させる。
【０２５１】
調整部３３４は、ボタン領域５１２の上ボタン５１２Ｃ、下ボタン５１２Ｄが操作されたときも同様に、それぞれ、白抜き矢印＃１３，＃１４に示すように枠Ｆ１の範囲を所定の量だけ下方向または上方向に移動させ、枠Ｆ１内における人物の位置を移動させる。
【０２５２】
また、調整部３３４は、ボタン領域５１３のマイナスボタン５１３Ａが操作される毎に、図３４Ｂの外向きの白抜き矢印＃２１に示すように枠Ｆ１に収める範囲を、枠Ｆ１１に収まる範囲のように所定の量だけ広くし、枠Ｆ１に対する人物の相対的な大きさを小さくする。これにより、調整画像表示領域５１１に表示される人物は小さくなる。また、調整部３３４は、プラスボタン５１３Ｂが操作される毎に、内向きの白抜き矢印＃２２で示すように枠Ｆ１に収める範囲を、枠Ｆ１２に収まる範囲のように所定の量だけ狭くさせ、枠Ｆ１に対する人物の相対的な大きさを大きくする。これにより、調整画像表示領域５１１に表示される人物は大きくなる。
【０２５３】
調整が終わったとき、枠Ｆ１内の範囲がトリミングにより画像Ｐ４１から切り出され、証明写真用画像として用いられる。
【０２５４】
なお、人物の位置を調整する際、例えば人物の位置を下にずらしすぎたときには、図３４Ａの枠Ｆ１の上辺の位置が撮影画像Ｐ４１の上辺の位置より上の位置となり、枠Ｆ１に、撮影画像Ｐ４１の領域外の範囲が含まれることがある（撮影画像のデータとして、人物の上方の領域のデータがないことがある）。その場合、調整画像表示領域５１１に表示される人物の上方に余白が生じないようにするために、撮影画像Ｐ４１の上の、枠Ｆ１に含まれる範囲に背景領域（透明な背景領域）を加える処理が行われる。
【０２５５】
人物の大きさを調整する際において人物を小さくしすぎたときも同様に、図３４Ｂの枠Ｆ１１が撮影画像Ｐ４１より大きくなり、枠Ｆ１１に、撮影画像Ｐ４１の領域外の範囲が含まれることがある（撮影画像のデータとして、人物の周りの領域のデータがないことがある）。その場合、調整画像表示領域５１１に表示される人物の周りに余白が生じないようにするために、枠Ｆ１に含まれる撮影画像Ｐ４１の領域外の範囲に背景領域（透明な背景領域）を加える処理が行われる。
【０２５６】
なお、これらの処理は、利用者が撮影前ガイダンスに従わずに撮影を行った場合に行われるものである。利用者が撮影前ガイダンスに従って撮影を行っていることを前提とする場合には、枠Ｆ１に、撮影画像Ｐ４１の領域外の範囲が含まれないように、人物の位置や大きさの調整が制限されるようにしてもよい。
【０２５７】
図３２の説明に戻り、ボタン領域５１４には、背景画像の色の選択に用いられる背景カラー選択ボタン５１４Ａ乃至５１４Ｆが表示される。背景カラー選択ボタン５１４Ａ乃至５１４Ｆはそれぞれ異なる色のボタンである。図１１を参照して説明したように、証明写真用画像は、撮影画像の被写体を背景画像に合成することによって構成される。
【０２５８】
調整部３３４は、背景カラー選択ボタン５１４Ａ乃至５１４Ｆが操作されることに応じて、撮影画像の被写体に合成する背景画像を変え、色の調整を行う。例えば、背景の調整時、「背景を選択します。ご提出先の規定に背景の色指定がある場合、規定に沿ってお選びください。」などの音声がスピーカ２３１から出力される。
【０２５９】
図３５は、図３１のボタン領域５１５とボタン領域５１６を拡大して示す図である。
【０２６０】
ボタン領域５１５には、一発レタッチの機能を利用して写りの調整を行うときに操作されるモード選択ボタン５１５Ａ乃至５１５Ｃが表示される。一発レタッチの機能は、証明写真用画像に写る利用者の肌の明るさ、肌質、目の印象、および髪色のそれぞれの写りを、１回の操作で一括して調整する機能である。
【０２６１】
例えば、肌の明るさには、「健康的」（少し日焼けしたような肌の明るさを表す）、「おすすめ（ナチュラル）」、「明るめ」の名称が設定された３種類の明るさが用意され、肌質には、「マット」、「おすすめ（ナチュラル）」、「ふんわり」の名称が設定された３種類の肌質が用意される。目の印象には、「優しい」（目の輪郭をぼかした優しい雰囲気の印象を表す）、「おすすめ（ナチュラル）」、「はっきり」の名称が設定された３種類の印象が用意され、髪色には、「暗め」、「おすすめ（ナチュラル）」、「明るめ」の名称が設定された３種類の髪色が用意される。
【０２６２】
モード選択ボタン５１５Ａ乃至５１５Ｃは、それぞれ、「清潔感」、「健康的」、「華やか」の名称が設定されたモードで写りを一括して調整するときに操作されるボタンである。
【０２６３】
図３６は、一発レタッチの各モードを選択したときに用いられる写りの組み合わせの例を示す図である。
【０２６４】
「清潔感」のモードは、肌の明るさを「おすすめ（ナチュラル）」、肌質を「おすすめ（ナチュラル）」、目の印象を「優しい」、髪色を「暗め」として設定するモードである。「健康的」のモードは、肌の明るさを「健康的」、肌質を「マット」、目の印象を「おすすめ（ナチュラル）」、髪色を「おすすめ（ナチュラル）」として設定するモードである。「華やか」のモードは、肌の明るさを「明るめ」、肌質を「ふんわり」、目の印象を「はっきり」、髪色を「明るめ」として設定するモードである。当然、各モードと写りの組み合わせは図３６に示すものに限られるものではなく、他の組み合わせであってもよい。
【０２６５】
ボタン領域５１６には、一発レタッチの機能を利用しないで、肌の明るさ、肌質、目の印象、および髪色をそれぞれ個別に調整する機能であるこだわりレタッチに操作されるボタンが表示される。ボタン領域５１６には領域５３１乃至５３４が設けられる。
【０２６６】
領域５３１には、「健康的」、「おすすめ（ナチュラル）」、「明るめ」の３種類の中から好みの肌の明るさを選択するときに操作される写り選択ボタン５３１Ａ乃至５３１Ｃが表示される。「健康的」、「おすすめ（ナチュラル）」、「明るめ」のそれぞれの明るさには、色相、彩度、明度などの肌の色に関する各パラメータが対応付けられている。
【０２６７】
写り選択ボタン５３１Ａ乃至５３１Ｃの中からいずれかのボタンが操作された場合、調整部３３４は、被写体の肌の領域を検出し、選択された種類の明るさに応じたパラメータを設定することによって肌の明るさを調整する。
【０２６８】
領域５３２には、「マット」、「おすすめ（ナチュラル）」、「ふんわり」の３種類の中から好みの肌質を選択するときに操作される写り選択ボタン５３２Ａ乃至５３２Ｃが表示される。「マット」、「おすすめ（ナチュラル）」、「ふんわり」のそれぞれの肌質には、色相、彩度、明度などの色に関する各パラメータや、シャープネスなどのパラメータが対応付けられている。
【０２６９】
写り選択ボタン５３２Ａ乃至５３２Ｃの中からいずれかのボタンが操作された場合、調整部３３４は、被写体の肌の領域を検出し、選択された種類の肌質に応じたパラメータを設定することによって肌質を調整する。
【０２７０】
領域５３３には、「優しい」、「おすすめ（ナチュラル）」、「はっきり」の３種類の中から好みの目の印象を選択するときに操作される写り選択ボタン５３３Ａ乃至５３３Ｃが表示される。「優しい」、「おすすめ（ナチュラル）」、「はっきり」のそれぞれの目の印象には、シャープネスなどのパラメータが対応付けられている。
【０２７１】
写り選択ボタン５３３Ａ乃至５３３Ｃの中からいずれかのボタンが操作された場合、調整部３３４は、被写体の目を検出し、選択された種類の印象に応じたパラメータを設定することによって目の印象を調整する。
【０２７２】
領域５３４には、「暗め」、「おすすめ（ナチュラル）」、「明るめ」の３種類の中から好みの髪色を選択するときに操作される写り選択ボタン５３４Ａ乃至５３４Ｃが表示される。「暗め」、「おすすめ（ナチュラル）」、「明るめ」のそれぞれの髪色には、色相、彩度、明度などの髪の色に関する各パラメータが対応付けられている。
【０２７３】
写り選択ボタン５３４Ａ乃至５３４Ｃの中からいずれかのボタンが操作された場合、調整部３３４は、被写体の髪領域を検出し、選択された種類の色に応じたパラメータを設定することによって髪色を調整する。
【０２７４】
なお、ボタン領域５１５やボタン領域５１６に表示される各ボタンが操作されることによって調整される、肌の明るさ、肌質、目の印象、および髪色のそれぞれの写りは、ボタン領域５１４に表示されるカラー選択ボタン５１４Ａ乃至５１４Ｆが操作されることによって選択される背景画像の色に合わせて設定されるようにしてもよい。これにより、より見映えのよい証明写真用画像を得ることができるようになる。
【０２７５】
図３１の調整画像表示領域５１１の上には、調整中ボタン５４１と調整前ボタン５４２が表示される。調整中ボタン５４１は、調整中の証明写真用画像を調整画像表示領域５１１に表示させるときに操作されるボタンであり、調整前ボタン５４２は、調整前の証明写真用画像を調整画像表示領域５１１に表示させるときに操作されるボタンである。調整中ボタン５４１と調整前ボタン５４２のうちのいずれかが操作可能とされる。
【０２７６】
調整部３３４においては、調整前の証明写真用画像と調整中の証明写真用画像の２種類の証明写真用画像のデータが管理される。調整中ボタン５４１と調整前ボタン５４２に対する操作が行われることに応じて、調整部３３４により管理されるデータに基づいて調整画像表示領域５１１の表示が切り替えられる。
【０２７７】
利用者は、調整中ボタン５４１と調整前ボタン５４２を交互に操作することによって、各ボタンを用いて調整している調整中の証明写真用画像と、調整前、すなわち無調整の証明写真用画像を見比べることができる。なお、調整中の証明写真用画像と、調整前（無調整）の証明写真用画像とが並んで表示されるようにしてもよい。
【０２７８】
調整画面においては、人物の位置、人物の大きさ、背景の色、および写りの４種類の調整が行われるが、調整前ボタン５４２を操作したときに調整前の証明写真用画像として表示される画像を、人物の位置や大きさの調整すらも行っていない無調整の証明写真用画像としてもよいし、人物の位置、人物の大きさ、および背景の色のうちの少なくともいずれかの調整については調整済みの証明写真用画像としてもよい。
【０２７９】
例えば、調整前の証明写真用画像として、人物の位置、人物の大きさ、および背景の色の調整済みの画像が表示されるようにすることにより、利用者は、調整中の証明写真用画像と、写りの調整前の証明写真用画像とを比較することができ、単に、写りが気に入っているか否かを判断することが可能になる。
【０２８０】
また、調整済みの証明写真用画像が1枚以上記憶されるようにし、その記憶された調整済みの証明写真用画像と、調整中の証明写真用画像とを比較することができるようにしてもよい。また、調整済みの証明写真用画像が複数記憶されるようにした場合には、複数の調整済みの証明写真用画像の中から、最終的に印刷される証明写真用画像を選択させるようにしてもよい。これにより、利用者の好みの証明写真用画像が印刷されたシール紙を提供することができる。
【０２８１】
調整画像表示領域５１１の下には、各調整機能の説明を表示するときに操作される説明ボタン５４３、調整を最初からやり直すときに操作されるやり直しボタン５４４、および証明写真用画像の調整を終えるときに操作される終了ボタン５４５が表示される。
【０２８２】
調整画面の表示中、調整中ボタン５４１と調整前ボタン５４２を用いて行うことのできる内容を説明する「調整中・調整前ボタンを切り替えることで元の画像と見比べることができます。」などの音声や、説明ボタン５４３を用いて行うことのできる内容を説明する「困ったときは説明ボタンを押してください。」などの音声が所定のタイミングで出力される。また、やり直しボタン５４４を用いて行うことのできる内容を説明する「最初からやり直したい場合は、最初からやり直すボタンを押してください。」などの音声や、終了ボタン５４５を用いて行うことのできる内容を説明する「調整を終わらせたい場合は、調整終了ボタンを押してください。」などの音声が所定のタイミングで出力される。
【０２８３】
図３７は、説明ボタン５４３が操作されたときに表示される調整画面の例を示す図である。
【０２８４】
説明ボタン５４３が操作されたとき、調整画面上の各位置には、それぞれの調整内容の説明が表示される。例えば、一発レタッチの機能を用いるときに操作されるモード選択ボタン５１５Ａ乃至５１５Ｃの領域には、各モードを選択したときの写りのイメージの説明が表示される。
【０２８５】
調整画像表示領域５１１に重ねて表示される終了ボタン５５１が操作されたとき、調整画面の表示は図３１の表示に戻る。
【０２８６】
図３８は、やり直しボタン５４４が操作されたときに表示される調整画面の例を示す図である。
【０２８７】
やり直しボタン５４４が操作されたとき、調整画面にはウインドウ５６１が表示される。ウインドウ５６１の略中央には「今までの設定がすべて消えますがよろしいですか？」のメッセージが表示され、その下に、設定を消さないで調整を続けるときに操作されるNOボタンであるボタン５６１Ａと、設定を消して調整をやり直すときに操作されるYESボタンであるボタン５６１Ｂが表示される。
【０２８８】
NOボタンであるボタン５６１Ａが操作されたとき、ウインドウ５６１が消え、調整画面の表示は、調整中の証明写真用画像を含む状態に戻る。一方、YESボタンであるボタン５６１Ｂが操作されたとき、ウインドウ５６１が消え、調整画面の表示は、調整前の証明写真用画像を含む状態に戻る。
【０２８９】
図３９は、終了ボタン５４５が操作されたときに表示される調整画面の例を示す図である。
【０２９０】
終了ボタン５４５が操作されたとき、調整画面上にはウインドウ５６１が表示される。ウインドウ５６１の上方には「これで調整を終了しますがよろしいですか？」のメッセージが表示され、その下に、調整後の証明写真用画像をシール紙上に配置したときのイメージを表す印刷イメージ５８１が表示される。
【０２９１】
印刷イメージ５８１の下には、調整画面に戻り、調整を続けるときに操作される戻るボタン５８２Ａと、調整を終了するときに操作される終了ボタン５８２Ｂが表示される。
【０２９２】
戻るボタン５８２Ａが操作されたとき、ウインドウ５６１が消え、調整画面の表示は、調整中の証明写真用画像を含む状態に戻る。
【０２９３】
図２６の説明に戻り、ステップＳ４５において、調整部３３４は、調整画面のボタン領域５１２に表示されているボタンに対する利用者の操作に応じて、証明写真用画像における被写体の位置を調整する。被写体の位置の調整は図３４Ａを参照して説明したようにして行われる。
【０２９４】
ステップＳ４６において、調整部３３４は、ボタン領域５１３に表示されているボタンに対する利用者の操作に応じて、証明写真用画像における被写体の大きさを調整する。被写体の大きさの調整は図３４Ｂを参照して説明したようにして行われる。
【０２９５】
ステップＳ４７において、調整部３３４は、ボタン領域５１４に表示されているボタンに対する利用者の操作に応じて、証明写真用画像における被写体の背景の色を調整する。
【０２９６】
ステップＳ４８において、調整部３３４は、ボタン領域５１５とボタン領域５１６に表示されているボタンに対する利用者の操作に応じて、証明写真用画像における被写体の写りを調整する。
【０２９７】
すなわち、調整部３３４は、ボタン領域５１５に表示されているボタンが操作されたとき、利用者の肌の明るさ、肌質、目の印象、および髪色のそれぞれの写りに関するパラメータを一括して調整する。また、調整部３３４は、ボタン領域５１６に表示されているボタンが操作されたとき、利用者の肌の明るさ、肌質、目の印象、および髪色に関するパラメータを、それぞれ調整する。
【０２９８】
ボタン領域５１２乃至５１６のボタンが操作される毎に証明写真用画像の調整が行われ、調整後の証明写真用画像のデータが調整部３３４から表示制御部３３２に供給される。調整部３３４から供給されたデータに基づいて、調整画像表示領域５１１には、調整後の証明写真用画像が表示される。
【０２９９】
ステップＳ４９において、調整部３３４は、調整終了か否かを判定し、調整終了ではないと判定した場合、ステップＳ４５に戻り、以上の処理を繰り返す。ステップＳ４５乃至Ｓ４８の各処理については、必要な処理だけが、任意の順序で行われるようにしてもよい。
【０３００】
一方、終了ボタン５４５が操作され、続けて調整画面上に表示される終了ボタン５８２Ｂ（図３９）が操作されたことから、調整終了であると判定された場合、ステップＳ５０において、表示制御部３３２は、携帯送信の機能を利用するか否かの確認画面をタブレット内蔵モニタ１３１に表示させる。
【０３０１】
調整終了であると判定された場合、調整後の証明写真用画像が画像記憶部３３５に供給され、記憶される。なお、あらかじめ設定された制限時間が経過した場合も調整終了であると判定され、確認画面がタブレット内蔵モニタ１３１に表示される。証明写真用画像の調整にも制限時間が設定されている。事後接客空間Ａ３の空き状況や印刷の状況に応じて、適宜、制限時間が延長されるようにしてもよい。
【０３０２】
図４０は、確認画面の例を示す図である。
【０３０３】
確認画面の上方には、「証明写真用画像を携帯送信する？」のメッセージが表示され、その下に、携帯送信の機能を利用するときに操作されるYESボタンであるボタン５９１Ａと、携帯送信の機能を利用しないときに操作されるNOボタンであるボタン５９１Ｂが表示される。
【０３０４】
確認画面に対する利用者の選択内容を表す情報は、事後接客管理部３０４（図１３）に供給され、記憶される。
【０３０５】
ステップＳ５１において、表示制御部３３２は、通常コースの紹介画面をタブレット内蔵モニタ１３１に表示させる。通常コースの紹介画面には、例えば撮影画像の編集の内容を表す画像が表示される。紹介画面の表示に合わせて、「通常コースの落書き紹介です。ぜひ次は撮ってみてください！」などの音声がスピーカ２３１から出力される。
【０３０６】
ステップＳ５２において、表示制御部３３２は、証明写真用画像の調整を終えた利用者に対して事後接客空間Ａ３への移動を案内する。事後接客空間Ａ３への移動の案内は、タブレット内蔵モニタ１３１に画面を表示させることによって、またはスピーカ２３１から音声を出力させることによって行われる。その後、図１８のステップＳ４に戻り、それ以降の処理が行われる。
【０３０７】
［証明写真コースにおける印刷処理］
次に、図４１のフローチャートを参照して、図１８のステップＳ５において行われる証明写真用画像の印刷処理について説明する。
【０３０８】
ステップＳ６１において、印刷管理部３０３の印刷データ生成部３４１（図１６）は、画像記憶部３３５に記憶されている調整後の証明写真用画像を読み出して取得する。
【０３０９】
ステップＳ６２において、印刷データ生成部３４１は、調整後の証明写真用画像を所定のレイアウトに配置することによって印刷データを生成し、プリンタ制御部３４２に出力する。
【０３１０】
証明写真用画像のレイアウトは、あらかじめ決まっているようにしてもよいし、履歴書用、願書用、パスポート用などの、証明写真用画像の用途が選択されることに応じて自動的に選択されるようにしてもよい。また、利用者がサイズを指定することに応じて選択されるようにしてもよいし、あらかじめ用意されている複数のレイアウトの中から利用者が選択することができるようにしてもよい。
【０３１１】
ステップＳ６３において、プリンタ制御部３４２は、プリンタ２４１を制御し、印刷データ生成部３４１により生成された印刷データに基づいて、証明写真用画像をシール紙に印刷させる。
【０３１２】
これにより、図１０を参照して説明したようなシール紙が生成され、シール紙排出口１６３に排出される。その後、図１８のステップＳ５に戻り、それ以降の処理が行われる。
【０３１３】
［証明写真コースにおける事後接客処理］
次に、図４２のフローチャートを参照して、図１８のステップＳ６において行われる事後接客処理について説明する。図４２の事後接客処理は、図４０の選択画面において携帯送信の機能を利用することが選択された場合に行われる。
【０３１４】
ステップＳ７１において、事後接客管理部３０４の表示制御部３５１は、メールアドレスの入力画面をタブレット内蔵モニタ１６１に表示させる。この入力画面を用いて、利用者が持つ携帯電話機などの携帯端末のメールアドレスが入力される。
【０３１５】
写真シール作成装置１において生成された証明写真用画像は、写真シール作成装置１からサーバに送信され、所定の記憶領域が割り当てられて保存される。サーバは、例えば写真シール作成装置１のメーカーが管理するサーバである。利用者により入力されたメールアドレスは、その記憶領域を表すURLを利用者に通知するために用いられる。サーバから利用者の携帯端末に対して送信される電子メールには証明写真用画像の記憶領域を表すURLが含まれており、そのURLへのアクセスを指示することによって、利用者は携帯端末の画面上に証明写真用画像を表示させることができる。
【０３１６】
携帯送信機能は、このような仕組みによって、携帯端末の画面上で証明写真用画像を閲覧することができるようにするための機能である。
【０３１７】
例えば、写真シール作成装置１のメーカーが開設するウェブページなどから有料会員に登録することにより、証明写真用画像のデータを携帯端末にダウンロードすることができるようになされている。携帯端末にダウンロードされた証明写真用画像のデータは、電子履歴書の作成や証明写真用画像の焼き増しに用いることが可能とされる。
【０３１８】
図４３は、メールアドレスの入力画面の例を示す図である。
【０３１９】
入力画面の上方には、「携帯のアドレスを入力してね」のメッセージが表示され、その下に、入力されたメールアドレスが表示される表示欄６０１が設けられる。表示欄６０１の下にはアルファベットや数字などの入力に用いられる入力ボタン６０２が表示される。利用者は、入力ボタン６０２を操作して、自身の携帯端末のメールアドレスを入力する。
【０３２０】
入力ボタン６０２の下には、メールアドレスの入力を終了するときに操作されるOKボタン６０３が表示される。また、入力ボタン６０２の右側には、証明写真用画像のサムネイル画像６０４が表示される。サムネイル画像６０４は、画像記憶部３３５から読み出されたデータに基づいて表示される。
【０３２１】
このような入力画面に対してメールアドレスが入力され、OKボタン６０３が操作されたとき、ステップＳ７２において、通信制御部３５２は、画像記憶部３３５から読み出した調整後の証明写真用画像のデータとメールアドレスをサーバに送信する。
【０３２２】
表示制御部３５１は、図４４に示すような紹介画面をタブレット内蔵モニタ１６１に表示させ、処理を終了させる。その後、図１８のステップＳ６に戻り、証明写真コースの一連の処理が終了される。
【０３２３】
図４４は、紹介画面の例を示す図である。
【０３２４】
図４４の紹介画面は、メールアドレスを入力しないでも、証明写真用画像を携帯端末の画面上で閲覧できることを紹介する画面である。紹介画面の上方には、「アドレス入力できなくても画像がもらえるよ！」のメッセージが表示され、その下に、シール紙に印刷されているメールアドレスにいわゆる空メール（本文が空欄のメール）を送り、その時に返信されてくる電子メールに含まれるURLにアクセスしたときに表示されるウェブページの入力欄にシール紙に印刷されているIDを入力することによっても、携帯端末を使って証明写真用画像を閲覧することができることの説明が表示されている。
【０３２５】
以上のように、利用者は、証明写真コースを選択することによって、履歴書などに貼り付けるのに用いる証明写真用画像が印刷されたシール紙を得ることができる。
【０３２６】
［通常コースにおける撮影処理］
次に、図４５のフローチャートを参照して、図１８のステップＳ７において行われる通常コースにおける撮影処理について説明する。
【０３２７】
ステップＳ１０１において、撮影管理部３０１のガイダンス出力制御部３２１は、表示制御部３２２を制御し、撮影の仕方を説明する画面をタッチパネルモニタ９２に表示させるなどして撮影前ガイダンスを出力する。利用者は、タッチパネルモニタ９２に表示される画面を見て、撮影の仕方などを確認することになる。
【０３２８】
撮影前ガイダンスが終了したとき、ステップＳ１０２において、表示制御部３２２は、ライブビューの表示を開始する。カメラ９１による動画の撮影が開始され、撮影によって得られた、利用者が映る動画がカメラ制御部３２３から表示制御部３２２に供給される。
【０３２９】
図４６は、ライブビュー表示画面の例を示す図である。
【０３３０】
ライブビュー表示画面の中央上方には「撮影するよ！」のメッセージが表示され、その下に設けられた矩形の領域であるライブビュー表示領域７０１には、撮影空間Ａ１にいる利用者を撮影して得られた動画が表示される。図４６の例においては、図１９のコース選択画面において２人用の通常コースを選択した２人の利用者が撮影を行っているものとされている。
【０３３１】
ライブビュー表示領域７０１の左には、ライブビュー表示領域７０１の上辺に沿うように頭の位置を調整することを案内するメッセージが表示される。ライブビュー表示領域７０１の下には、ライブビュー表示領域７０１より小さい矩形の領域である撮影結果表示領域７０２−１乃至７０２−６が２行３列に並べて配置される。
【０３３２】
通常コースの静止画の撮影は例えば６回行われる。撮影結果表示領域７０２−１乃至７０２−６には、それぞれ、撮影が行われる毎に、撮影によって得られた撮影画像が撮影順に表示される。図４６の例においてはまだ撮影が行われていないことから、撮影結果表示領域７０２−１乃至７０２−６には画像が表示されていない。
【０３３３】
利用者は、このようなライブビュー表示画面を見て、自分の顔の位置を調整して撮影を行いながら、撮影結果を確認することができる。ライブビュー表示画面の表示は６回の撮影が終了するまで続けられる。
【０３３４】
ライブビュー表示画面がタッチパネルモニタ９２に表示された状態で撮影のタイミングになったとき、ステップＳ１０３において、カメラ制御部３２３は１回目の静止画の撮影を行う。カメラ制御部３２３は、撮影によって得られた静止画である撮影画像を表示制御部３２２に出力するとともに、撮影画像記憶部３２４に出力し、記憶させる。
【０３３５】
表示制御部３２２に出力された撮影画像は、ライブビュー表示画面の撮影結果表示領域７０２−１に縮小して表示される。利用者は、１回目の撮影結果を確認しながら、次の撮影の準備を行うことができる。
【０３３６】
その後、２回目以降の撮影が行われる。すなわち、２回目の撮影タイミングになったとき、ステップＳ１０４において、カメラ制御部３２３は、２回目の静止画の撮影を行う。カメラ制御部３２３は、撮影によって得られた撮影画像を表示制御部３２２に出力してライブビュー表示画面の撮影結果表示領域７０２−２に表示させるとともに、撮影画像記憶部３２４に出力し、記憶させる。
【０３３７】
ステップＳ１０５乃至Ｓ１０８において、カメラ制御部３２３は、それぞれ、３〜６回目の静止画の撮影を行う。カメラ制御部３２３は、撮影によって得られた撮影画像を表示制御部３２２に出力してライブビュー表示画面に表示させるとともに、撮影画像記憶部３２４に出力し、記憶させる。
【０３３８】
ステップＳ１０９において、表示制御部３２２は、落書きの紹介画面をタッチパネルモニタ９２に表示する。
【０３３９】
ステップＳ１１０において、表示制御部３２２は、撮影を終えた利用者に対して、画像処理空間Ａ２−１または画像処理空間Ａ２−２への移動を案内する。画像処理空間Ａ２−１または画像処理空間Ａ２−２への移動の案内は、タッチパネルモニタ９２に画面を表示させることによって、または、スピーカ２２４から音声を出力することによっても行われる。
【０３４０】
利用者は、撮影空間Ａ１から出て、案内された方の画像処理空間に移動して撮影画像の編集を行うことになる。その後、図１８のステップＳ７に戻り、それ以降の処理が行われる。
【０３４１】
［通常コースにおける編集処理］
次に、図４７のフローチャートを参照して、図１８のステップＳ８において行われる撮影画像の編集処理について説明する。
【０３４２】
ステップＳ１２１において、画像処理管理部３０２の表示制御部３３２は、名前入力画面をタブレット内蔵モニタ１３１に表示させる。名前入力画面に入力された利用者の名前に応じて、編集画面に用意される編集ツールの内容が変化する。例えば、利用者の名前を表すスタンプ画像などが編集ツールとして用意される。
【０３４３】
ステップＳ１２２において、表示制御部３３２は、撮影処理によって得られた例えば６枚の撮影画像を撮影画像記憶部３２４から読み出して取得し、目＆顔サイズ調整画面をタブレット内蔵モニタ１３１に表示させる。目＆顔サイズ調整画面は、撮影画像に写る利用者の目と顔の大きさの調整に用いられる画面である。
【０３４４】
図４８は、目＆顔サイズ調整画面の例を示す図である。
【０３４５】
目＆顔サイズ調整画面の中央上方には「１人ずつ目の大きさと顔の大きさを選んでね」のメッセージが表示され、その下に、顔画像表示領域７２１Ｌと顔画像表示領域７２１Ｒが離れて設けられる。顔画像表示領域７２１Ｌは、２人の利用者が写る撮影画像からトリミングによって切り出された、左側に写る人物の顔が拡大して表示される領域であり、顔画像表示領域７２１Ｒは、右側に写る人物の顔が拡大して表示される領域である。例えば、１枚目の撮影画像から切り出された人物の顔の領域が顔画像表示領域７２１Ｌと顔画像表示領域７２１Ｒに表示される。
【０３４６】
顔画像表示領域７２１Ｌの下にはボタン領域７２２Ｌが設けられ、顔画像表示領域７２１Ｒの下にはボタン領域７２２Ｒが設けられる。タブレット内蔵モニタ１３１に向かって左側に立つ利用者は、タブレット内蔵モニタ１３１の左側に用意されたタッチペン１３２Ａを使ってボタン領域７２２Ｌに表示されるボタンを操作し、ボタン領域７２２Ｌに表示された自分の画像の目と顔の大きさを調整することになる。一方、タブレット内蔵モニタ１３１に向かって右側に立つ利用者は、タブレット内蔵モニタ１３１の右側に用意されたタッチペン１３２Ｂを使ってボタン領域７２２Ｒに表示されるボタンを操作し、ボタン領域７２２Ｒに表示された自分の画像の目と顔の大きさを調整することになる。
【０３４７】
ボタン領域７２２Ｌの上段には、目の大きさの調整に用いられるボタンである目サイズ選択ボタン７３１−１Ｌ乃至７３１−３Ｌが表示される。目サイズ選択ボタン７３１−１Ｌ乃至７３１−３Ｌには、それぞれ、撮影画像からトリミングによって切り出された、大きさの異なる目の画像が表示される。
【０３４８】
目サイズ選択ボタン７３１−１Ｌは、目の大きさとして、撮影画像に写るそのままの大きさを選択するときに操作されるボタンであり、目サイズ選択ボタン７３１−２Ｌは、若干大きいサイズを選択するときに操作されるボタンである。目サイズ選択ボタン７３１−３Ｌは、大きいサイズを選択するときに操作されるボタンである。
【０３４９】
ボタン領域７２２Ｌの下段には、顔の大きさの調整に用いられるボタンである顔サイズ選択ボタン７３２−１Ｌ乃至７３２−３Ｌが表示される。顔サイズ選択ボタン７３２−１Ｌ乃至７３２−３Ｌには、それぞれ、撮影画像からトリミングによって切り出した、大きさの異なる顔の画像が表示される。
【０３５０】
顔サイズ選択ボタン７３２−１Ｌは、顔の大きさとして、撮影画像に写るそのままの大きさを選択するときに操作されるボタンであり、顔サイズ選択ボタン７３２−２Ｌは、若干小さいサイズを選択するときに操作されるボタンである。顔サイズ選択ボタン７３２−３Ｌは、小さいサイズを選択するときに操作されるボタンである。
【０３５１】
ボタン領域７２２Ｌの右下には、目と顔の大きさの調整を終えるときに操作されるOKボタン７３３Ｌが表示される。
【０３５２】
ボタン領域７２２Ｌに表示されるボタンと同じボタンがボタン領域７２２Ｒにも表示される。ボタン領域７２２Ｒの上段には、目の大きさの調整に用いられるボタンである目サイズ選択ボタン７３１−１Ｒ乃至７３１−３Ｒが表示され、下段には、顔の大きさの調整に用いられるボタンである顔サイズ選択ボタン７３２−１Ｒ乃至７３２−３Ｒが表示される。ボタン領域７２２Ｒの右下には、目と顔の大きさの調整を終えるときに操作されるOKボタン７３３Ｒが表示される。
【０３５３】
目サイズ選択ボタン７３１−１Ｌ乃至７３１−３Ｌのうちのいずれかのボタンが操作された場合、ステップＳ１２３において、調整部３３４は、それぞれの撮影画像から、顔画像表示領域７２１Ｌに表示されている人物と同じ人物の目の領域を検出し、検出した領域に含まれる目の大きさを、選択された大きさに応じて調整する。
【０３５４】
また、調整部３３４は、顔サイズ選択ボタン７３２−１Ｌ乃至７３２−３Ｌのうちのいずれかのボタンが操作された場合、それぞれの撮影画像から、顔画像表示領域７２１Ｌに表示されている人物と同じ人物の顔の領域を検出し、検出した領域に含まれる顔の大きさを、選択された大きさに応じて調整する。
【０３５５】
目サイズ選択ボタン７３１−１Ｒ乃至７３１−３Ｒが操作された場合、または顔サイズ選択ボタン７３２−１Ｒ乃至７３２−３Ｒが操作された場合も同様に、調整部３３４は、それぞれの撮影画像に写る、顔画像表示領域７２１Ｒに表示されている人物と同じ人物の目と顔の大きさを調整する。OKボタン７３３ＬとOKボタン７３３Ｒが操作された場合、目と顔の大きさの調整が終了される。
【０３５６】
このように、証明写真用画像の調整時には行われない顔の大きさの調整が、撮影画像の編集時には可能とされる。証明写真用画像に写る利用者の顔の大きさを本人が好みに応じて調整することができるとした場合、証明写真用画像の信ぴょう性が損なわれることから好ましくない。撮影画像の編集時には調整できるが証明写真用画像の調整時には調整できないような内容を設定することにより、証明写真用画像の信ぴょう性が損なわれるのを防ぐことができる。
【０３５７】
撮影画像の編集時には化粧風の画像処理を撮影画像に施したり顔の形を細くしたりすることができるが、それらの調整を証明写真用画像の調整時には行うことができなくするといったように、他の処理の内容について、撮影画像の編集時と証明写真用画像の調整時とで差を設定することも可能である。
【０３５８】
ステップＳ１２４において、表示制御部３２２は、撮影画像に写る利用者の肌の明るさの調整に用いられる画面である明るさ調整画面をタブレット内蔵モニタ１３１に表示させる。
【０３５９】
図４９は、明るさ調整画面の例を示す図である。
【０３６０】
明るさ調整画面の中央上方には「明るさを選んでね」のメッセージが表示され、その下に表示領域７４１が設けられる。表示領域７４１には、６枚の撮影画像の中から選択された例えば１枚目の撮影画像が表示される。
【０３６１】
表示領域７４１の下のボタン領域７４２には、肌の明るさの調整に用いられるボタンである明るさ選択ボタン７５１−１乃至７５１−５が表示される。より左側に表示されるボ
タンが、より暗い色の肌を選択するときに操作されるボタンであり、より右側に表示されるボタンが、より明るい色の肌を選択するときに操作されるボタンである。表示領域７４１に表示されている撮影画像に写る人物の肌の色を変えた画像が、明るさ選択ボタン７５１−１乃至７５１−５として用いられる。
【０３６２】
明るさ選択ボタン７５１−５の右側には、明るさの調整を終えるときに操作されるOKボタン７５２が表示される。
【０３６３】
明るさ選択ボタン７５１−１乃至７５５−５のうちのいずれかのボタンが操作された場合、ステップＳ１２５において、調整部３３４は、それぞれの撮影画像から人物の肌の領域を検出し、検出した領域を、選択された明るさに応じて調整する。OKボタン７５２が操作された場合、明るさの調整が終了される。
【０３６４】
ステップＳ１２６において、表示制御部３２２は、撮影画像に写る利用者の背景の選択に用いられる画面である背景選択画面をタブレット内蔵モニタ１３１に表示させる。
【０３６５】
図５０は、背景選択画面の例を示す図である。
【０３６６】
背景選択画面の上方中央には、「好きなセット背景を選択してね」のメッセージが表示され、その下に、６枚の撮影画像が２行３列に配置して表示される。セット背景は、あらかじめ設定された背景画像のセットであり、所定のテーマに沿って選択された複数の背景画像から構成される。撮影画像が６枚ある場合、１つのセット背景は６枚の背景画像の組み合わせによって構成される。利用者は、撮影画像７７１−１乃至７７１−６に合成するセット背景を図５０の背景選択画面から選択することができる。
【０３６７】
６枚の撮影画像の上段には、左から順に撮影画像７７１−１乃至７７１−３が配置され、下段には、左から順に撮影画像７７１−４乃至７７１−６が配置される。撮影画像７７１−１乃至７７１−６は例えば撮影順に配置される。
【０３６８】
撮影画像７７１−１乃至７７１−６は、目の大きさや顔の大きさの調整などが施された画像であり、被写体として写る２人の利用者の背景には、撮影空間Ａ１の内側の白色無地の壁面（背面パネル５１の内側）が写っている。撮影画像７７１−１乃至７７１−６に写る利用者の背景は、背景画像が選択されることに応じてリアルタイムで変更される。
【０３６９】
撮影画像７７１−１乃至７７１−６の下には、選択肢としてのセット背景や背景画像のサンプル画像が表示される横長の領域である背景画像パレット７７２が表示される。背景画像パレット７７２は、表示領域７８１の左側にタブ７９１Ｌ乃至７９４Ｌが縦に並べて表示され、右側にタブ７９１Ｒ乃至７９４Ｒが縦に並べて表示されることによって構成される。
【０３７０】
各タブには名称が設定されており、選択されたタブのグループに属するセット背景のサンプル画像が表示領域７８１に表示される。図５０の例においては、タブ７９１Ｌとタブ７９１Ｒが選択状態となっており、他のタブより大きく表示されている。
【０３７１】
表示領域７８１には、８種類のセット背景（セット背景のサンプル画像）であるセット背景８０１−１乃至８０１−８が上段に４枚、下段に４枚ずつ並べて表示されている。セット背景８０１−１乃至８０１−８は、所定の色の背景画像からなるセット背景とされている。それぞれのセット背景を構成する６枚の背景画像は、それぞれ、対応する位置に配置されている撮影画像の合成に用いられる。
【０３７２】
セット背景８０１−８の右側に表示されているボタン８０２とボタン８０３は、セット背景８０１−１乃至８０１−８上に人物（撮影画像に写る利用者）を表示させるか、表示させないかを選択するときに操作されるボタンである。
【０３７３】
図５０の例においては、例えば左側の利用者によりセット背景８０１−１がタッチペン１３２Ａで選択され、セット背景８０１−１を囲むようにカーソルＣが表示されている。セット背景８０１−１が選択されていることにより、撮影画像７７１−１乃至７７１−６は、セット背景８０１−１を構成する背景画像が合成された状態で表示される。
【０３７４】
撮影画像７７１−１乃至７７１−６の右側には、背景の選択を終了するときに操作されるOKボタン７７３が表示される。例えばセット背景８０１−２を選択した状態でOKボタン７７３が押された場合、背景の選択が終了し、セット背景８０１−２を構成する背景画像が撮影画像に合成される。
【０３７５】
背景選択画面のOKボタン７７３が押された場合、ステップＳ１２７において、調整部３３４は、利用者により選択された背景画像（背景セットを構成する背景画像）を合成することによって撮影画像の背景を調整し、編集対象となる撮影画像を生成する。編集対象となる撮影画像は、撮影画像に写る利用者の目と顔の大きさ、肌の明るさ、および背景が調整された画像となる。
【０３７６】
背景画像の選択が終了したとき、ステップＳ１２８において、表示制御部３３２は、編集画面をタブレット内蔵モニタ１３１に表示させる。
【０３７７】
図５１は、編集画面の例を示す図である。
【０３７８】
編集画面は、主な構成が左右対称に設けられることによって構成される。左半分の領域である領域８１２Ｌは、タブレット内蔵モニタ１３１に向かって左側にいる利用者により用いられる領域であり、右半分の領域である領域８１２Ｒは、タブレット内蔵モニタ１３１に向かって右側にいる利用者により用いられる領域である。中央上方の領域８１１には編集処理の残り時間などが表示される。なお、図５１の各領域を囲む一点鎖線と破線は画面に実際に表示されるものではない。
【０３７９】
領域８１２Ｌの中央上方のサムネイル画像表示領域８２１Ｌは、撮影画像を表すサムネイル画像の表示領域である。利用者は、サムネイル画像表示領域８２１Ｌに表示されているサムネイル画像を選択することによって、編集対象とする撮影画像を選択する。
【０３８０】
図５１の例においては、６枚の撮影画像を表すサムネイル画像Ｐ５１乃至Ｐ５６が撮影順に並べて表示され、左端のサムネイル画像Ｐ５１が選択されることによって、１枚目の撮影画像が編集対象とされている。
【０３８１】
領域８１２Ｌの略中央に設けられた比較的大きな編集領域８２２Ｌは、編集対象として選択された撮影画像の表示領域である。利用者は、編集用パレット８３１Ｌにサンプルが表示されるものの中から好みの編集ツールをタッチペン１３２Ａを用いて選択し、続けて、編集領域８２２Ｌに表示された撮影画像上の位置を指定することにより、指定した位置に、手書きの文字やスタンプ画像などの合成用画像を撮影画像に合成させて編集を行うことができる。
【０３８２】
編集領域８２２Ｌの下の編集用パレット表示領域８２３Ｌは、スタンプ画像などの各種の編集ツールの選択に用いられる編集用パレット８３１Ｌの表示領域である。編集用パレットに表示される編集ツールはカテゴリ毎に分かれており、タブを選択することによって、編集用パレット８３１Ｌに表示させる編集ツールを切り替えることができるようになされている。
【０３８３】
編集用パレット表示領域８２３Ｌの上の修正ツール選択領域８２４Ｌは、入力した編集を消すときに用いられるツールである消しゴムツールの選択に用いられるボタンや、１つ前または１つ後の作業に戻るときに操作されるボタンが並べて表示される領域である。
【０３８４】
編集領域８２２Ｌの右側の一発落書きボタン８２５Ｌは、一発落書き機能を使って編集を行うときに操作されるボタンである。一発落書き機能は、複数種類の編集ツールを組み合わせることによってあらかじめ設定された内容の編集を一括して編集対象の撮影画像に合成する機能である。
【０３８５】
一発落書きボタン８２５Ｌの上には、編集処理を終了するときに操作される終了ボタン８２６Ｌが表示される。
【０３８６】
領域８１２Ｒには、領域８１２Ｌの構成と同じ構成が位置を対称にして配置される。図５１の例においては、サムネイル画像表示領域８２１Ｒからサムネイル画像Ｐ５３を選択することによって、３枚目の撮影画像が編集対象とされている。
【０３８７】
図４７の説明に戻り、ステップＳ１２９において、編集部３３３は、編集画面に対する利用者の操作に応じて撮影画像の編集を行う。編集が行われることによって生成された編集画像は編集部３３３から画像記憶部３３５に供給され、記憶される。撮影画像の編集は、例えば、あらかじめ設定された所定の時間が経過するまで、または、編集画面に用意された終了ボタン８２６Ｌ，８２６Ｒが操作されるまで続けられる。
【０３８８】
ステップＳ１３０において、編集部３３３は、編集終了か否かを判定し、終了ではないと判定した場合、ステップＳ１２８以降の処理を繰り返す。
【０３８９】
制限時間が経過したことから、または編集画面の終了ボタン８２６Ｌ，８２６Ｒが操作されたことから編集終了であるとステップＳ１３０において判定された場合、ステップＳ１３１において、表示制御部３３２は、分割数選択画面をタブレット内蔵モニタ１３１に表示させる。分割数選択画面は、編集作業によって生成された編集画像をシール紙に印刷するときのレイアウトの選択に用いられる画面である。
【０３９０】
図５２は、分割数選択画面の例を示す図である。
【０３９１】
分割数選択画面の中央上方には「分割数を選んでね」のメッセージが表示され、その下に、「おすすめ分割」を選択するときに操作される選択ボタン８５１、「切れてる分割」を選択するときに操作される選択ボタン８５２、および「小分割・大分割」を選択するときに操作される選択ボタン８５３が表示される。選択ボタン８５１乃至８５３が操作されることに応じて、その下の領域８５４に表示される分割数の選択肢の表示が切り替わる。
【０３９２】
領域８５４は、主な構成が左右にそれぞれ配置されることによって構成される。２人の利用者は、それぞれ好みの分割数を選択することができる。
【０３９３】
領域８５４の左側には、選択中の分割数を表す印刷イメージ８６１Ｌが表示される。印刷イメージ８６１Ｌは、編集処理によって生成された編集画像が、選択中のレイアウトで配置された画像である。印刷イメージ８６１Ｌの左側には、縦横選択ボタン８６２ＬとOKボタン８６３Ｌが表示される。OKボタン８６３Ｌは分割数の選択を終えるときに操作されるボタンである。
【０３９４】
レイアウト表示領域８６４Ｌには、分割数のサンプル画像である画像８７１−１乃至８７１−３が表示される。
【０３９５】
領域８５４の右側にも同様に、選択中の分割数を表す印刷イメージ８６１Ｒが表示され、その右側に、縦横選択ボタン８６２ＲとOKボタン８６３Ｒが表示される。レイアウト表示領域８６４Ｒには、分割数のサンプル画像である画像８７１−１乃至８７１−３が表示される。
【０３９６】
このような分割数選択画面から所定のレイアウトが選択されたとき、ステップＳ１３２において、表示制御部３３２は、撮影画像の編集を終えた利用者に対して事後接客空間Ａ３への移動を案内する。事後接客空間Ａ３への移動の案内は、タブレット内蔵モニタ１３１に画面を表示させることによって、またはスピーカ２３１から音声を出力させることによって行われる。その後、図１８のステップＳ８に戻り、それ以降の処理が行われる。
【０３９７】
［通常コースにおける印刷処理］
次に、図５３のフローチャートを参照して、図１８のステップＳ９において行われる編集画像の印刷処理について説明する。
【０３９８】
ステップＳ１４１において、印刷管理部３０３の印刷データ生成部３４１は、画像記憶部３３５に記憶されている編集画像を読み出して取得する。
【０３９９】
ステップＳ１４２において、印刷データ生成部３４１は、分割数選択画面を用いて利用者により選択されたレイアウトに従って編集画像を配置し、印刷データを生成する。印刷データ生成部３４１は、生成した印刷データをプリンタ制御部３４２に出力する。
【０４００】
ステップＳ１４３において、プリンタ制御部３４２は、プリンタ２４１を制御し、印刷データ生成部３４１により生成された印刷データに基づいて、編集画像をシール紙に印刷させる。これにより、図８を参照して説明したようなシール紙が生成され、シール紙排出口１６３に排出される。その後、図１８のステップＳ９に戻り、それ以降の処理が行われる。
【０４０１】
［通常コースにおける事後接客処理］
次に、図５４のフローチャートを参照して、図１８のステップＳ１０において行われる事後接客処理について説明する。
【０４０２】
ステップＳ１５１において、事後接客管理部３０４の表示制御部３５１は、メールアドレスの入力画面をタブレット内蔵モニタ１６１に表示させる。メールアドレスの入力画面は、図４３を参照して説明した画面と同様の画面である。
【０４０３】
入力画面に対してメールアドレスが入力されたとき、ステップＳ１５２において、通信制御部３５２は、画像記憶部３３５から読み出した編集画像のデータとメールアドレスをサーバに送信する。表示制御部３５１は、写真シール作成装置１の紹介画面をタブレット内蔵モニタ１６１に表示させ、処理を終了させる。その後、図１８のステップＳ１０に戻り、通常コースの一連の処理が終了される。
【０４０４】
以上のように、利用者は、通常コースを選択することによって、友達などと一緒に撮影し、編集などで遊んだ後に、編集画像が印刷されたシール紙を得ることができる。
【０４０５】
上述したように、写真シール作成装置１は、通常コースの一連の処理によって、従来の写真シール機と同様、編集画像が印刷されたシール紙を利用者に提供する他、証明写真作成装置として、証明写真コースの一連の処理によって、証明写真用画像が印刷されたシール紙を利用者に提供することができる。
【０４０６】
＜変形例＞
なお、写真シール作成装置１は、証明写真コースの一連の処理において、以下で説明するような機能をさらに提供することもできる。
【０４０７】
［ライブビュー表示時のガイダンス］
以上においては、図２３を参照して説明したように、ライブビューの表示に合わせて、身だしなみを整えたり、顔の位置を合わせたりすることを促す音声のガイダンスが出力されるものとしたが、これに加え、ガイダンス出力制御部３２１により、顔の表情を直すことを促す音声のガイダンスが出力されたり、このようなガイダンスで出力される内容が文字情報として列挙されたチェックリストや、図５５に示されるような、撮影準備の完成の度合いを示す完成度がライブビュー表示画面に表示されるようにしてもよい。
【０４０８】
図５５に示されるライブビュー表示画面には、画像表示領域４３１の下側に、完成度を表す「完成度  ８０％」の文字情報が表示されている。この完成度が所定の値を超えない場合には、撮影前のカウントダウンが開始されないようにしてもよい。これにより、より完成度の高い撮影画像を得ることができるようになる。
【０４０９】
［名前の入力］
以上においては、通常コースの編集処理において、利用者に名前を入力させるようにしたが、証明写真コースにおいても、利用者に名前を入力させるようにしてもよい。
【０４１０】
具体的には、証明写真コースにおいて、印刷処理が開始される前、例えば、調整処理において、携帯送信の機能の利用を選択するときに操作される確認画面（図４０）の後に、図５６に示されるような名前入力画面が表示されるようにする。
【０４１１】
図５６に示されるように、名前入力画面の上方には、「名前を入力してね」のメッセージが表示され、その下に、入力された名前が表示される表示欄９１１が設けられる。表示欄９１１の右には、表示欄９１１に表示された文字を１文字分消去するときに操作される戻るボタン９１２と、表示欄９１１に表示された文字を全て消去するときに操作される消去ボタン９１３が表示され、表示欄９１１の下にはひらがなの入力に用いられる入力ボタン９１４が表示される。
【０４１２】
さらに、入力ボタン９１４の下には、表示欄９１１に表示されたひらがなを漢字やカタカナに変換するときに操作される変換ボタン９１５、名前の入力を終了するときに操作されるOKボタン９１６、および、名前の入力をスキップ（省略）するときに操作されるスキップボタン９１７が表示される。
【０４１３】
利用者は、入力ボタン９１４を操作し、必要に応じて変換ボタン９１５を操作することで、自身の名前を入力することができる。
【０４１４】
このようにして入力された名前は、印刷管理部３０３によって実行される印刷処理において、証明写真用画像とともにシール紙に印刷されるようにようにする。
【０４１５】
例えば、図５７Ａに示されるように、シール紙の縁の余白領域に、撮影日時９２１などとともに、利用者に入力された名前９２２が印刷されるようにしてもよいし、図５７Ｂに示されるように、シール紙の証明写真用画像が印刷される面の裏側に、名前９２３と撮影日時９２４が印刷されるようにしてもよい。図５７Ｂにおいては、図中破線で示される、シール紙の証明写真用画像それぞれが印刷される位置に対応した位置に、名前９２３と撮影日時９２４が印刷されている。これにより、シール紙に印刷された証明写真用画像がはさみなどで切り取られた場合であっても、その証明写真が誰のもので、いつ撮影されたかがわかるようになる。なお、上述したように、証明写真用画像が印刷される印刷媒体は、シール紙に限らず、写真用紙とすることができる。また、シール紙や写真用紙の証明写真用画像が印刷される面の裏側に、名前や撮影日時が印刷される場合には、プリンタ２４１に加え、裏面印刷専用のプリンタを設けるようにしてもよい。
【０４１６】
［領収証の印刷］
以上においては、証明写真用画像が印刷されるシール紙には、領収証もあわせて印刷されるものとしたが、利用者に領収証を印刷するか否かを選択させるようにしてもよい。
【０４１７】
具体的には、証明写真コースにおいて、印刷処理が開始される前、例えば、調整処理において、携帯送信の機能の利用を選択するときに操作される確認画面（図４０）の後に、図５８に示されるような確認画面が表示されるようする。
【０４１８】
図５８に示されるように、確認画面の上方には、「領収証を印刷する？」のメッセージが表示され、その下に、領収証を印刷するときに操作されるYESボタンであるボタン９３１Ａと、領収証を印刷しないときに操作されるNOボタンであるボタン９３１Ｂが表示される。
【０４１９】
ボタン９３１Ａが操作された場合には、印刷管理部３０３によって実行される印刷処理において、上述で説明したように、シール紙には証明写真用画像とともに領収証が印刷される。一方、ボタン９３１Ｂが操作された場合には、シール紙には領収証は印刷されない。この場合、図５９に示されるように、シール紙において領収証が印刷される領域にも証明写真用画像を印刷することで、１枚のシール紙に印刷される証明写真用画像の数を多くすることができる。
【０４２０】
また、シール紙に領収証が印刷される場合、領収証を発行する側の住所および会社名を含む領収証が印刷されるようにしてもよい。
【０４２１】
携帯送信の機能を実現する構成の１つであるサーバには、写真シール作成装置１が設置されている店舗の名称や住所等を含む店舗情報が記憶・管理されている。そこで、印刷処理において、印刷管理部３０３がサーバにアクセスし、サーバが、写真シール作成装置１を特定する筐体情報に基づいて、その写真シール作成装置１が設置されている店舗の店舗情報を写真シール作成装置１に送信するようにする。これにより、印刷管理部３０３によって、図６０に示されるように、写真シール作成装置１が設置されている店舗の住所および会社名（店舗名でもよい）を含む領収証が、証明写真用画像とともにシール紙に印刷されるようになる。
【０４２２】
なお、サーバにおいて、アクセスのあった写真シール作成装置１の筐体情報と、サーバで管理されている店舗情報とがマッチしないと判定された場合には、店舗の住所および店舗名を含まない領収証が、シール紙に印刷されるようになる。
【０４２３】
［証明写真用画像のレイアウト］
上述した説明において、シール紙に印刷される証明写真用画像のレイアウトは、あらかじめ用意されている複数のレイアウトの中から利用者が選択することができるようにしてもよいとしたが、その１つとして、図６１に示されるように、６枚の証明写真用画像が横１列に配置されてシール紙に印刷されるレイアウトが用意されるようにしてもよい。
【０４２４】
このようなレイアウトにより、シール紙全体を横長の形状とすることができ、例えば、長財布を利用している利用者は、紙幣などと一緒に、印刷されたシール紙を携帯することができるようになる。さらに、シール紙に印刷された証明写真用画像をはさみなどで切り取る際、証明写真用画像が２行３列で配置されている場合と比較して、切断する箇所が少なくなり、より簡単に切り取ることができる。なお、レイアウトとして、６枚の証明写真用画像が縦１列に配置されてシール紙に印刷されるレイアウトが用意されるようにしてもよい。
【０４２５】
さらに、あらかじめ用意されている複数のレイアウトの１つとして、図６２に示されるように、証明写真用画像が印刷されたシール紙の縁の余白領域に、通常コースの編集処理において用いられるようなスタンプ画像が印刷されるレイアウトが用意されるようにしてもよい。図６２の例では、ハート型のスタンプ画像が、シール紙の縁の領域に印刷されている。
【０４２６】
なお、図６２に示されるようなスタンプ画像を、あらかじめ用意されているレイアウトによって配置されるのではなく、例えば、図３９に示される調整画面において、通常コースの編集処理で表示される編集画面と同様に、スタンプ画像などの各種の編集ツールの選択に用いられる編集用パレットを表示させ、選択されたスタンプ画像が、タッチペン１３２Ａまたは１３２Ｂの軌跡に沿って、印刷イメージ５８１におけるシール紙の縁の領域に連続的に合成されるようにしてもよい。
【０４２７】
このように、証明写真用画像が印刷されたシール紙の縁の領域に、スタンプ画像が印刷されるようにすることで、シール紙全体としてのデザイン性を高めることができるようになる。
【０４２８】
なお、図６２の例では、証明写真用画像が印刷されたシール紙の縁の領域に、スタンプ画像が印刷されるものとしたが、証明写真用画像それぞれの縁の部分にも、スタンプ画像が印刷されるようにしてもよい。
【０４２９】
［証明写真用画像の背景選択］
以上においては、調整処理において選択される背景の色は１つであるため、最終的にシール紙に印刷される６枚の証明写真用画像それぞれの背景の色はいずれも同じ色となる。そこで、調整処理において選択可能な背景の色の数を複数にすることで、最終的にシール紙に印刷される６枚の証明写真用画像それぞれの背景の色を異なる色とするようにしてもよい。
【０４３０】
例えば、調整処理において背景の色として２つの色を選択可能とした場合、最終的にシール紙に印刷される６枚の証明写真用画像のうち、３枚の証明写真用画像の背景の色を１つの色とし、もう３枚の証明写真用画像の背景の色を他の１つの色とすることができる。これにより、例えば履歴書の提出先が２つある場合には、利用者は、それぞれの提出先の規定に合わせた背景の色の証明写真を得ることができる。
【０４３１】
［証明写真用画像の利用］
以上においては、証明写真用画像は、シール紙に印刷される他、携帯送信の機能によって、利用者の携帯端末にダウンロードされて電子履歴書の作成や証明写真用画像の焼き増しに用いられるものとしたが、これ以外にも、写真入りの名刺（写真名刺）に用いられるようにしてもよい。
【０４３２】
具体的には、証明写真コースにおいて、印刷処理が開始される前、例えば、調整処理において、携帯送信の機能の利用を選択するときに操作される確認画面（図４０）において、ボタン５９１Ａが選択された後に、利用者の操作に応じて、証明写真用画像を所定のサイズにトリミングさせることによって、写真名刺用の画像が生成されるようにする。この場合、生成された写真名刺用の画像が、写真シール作成装置１からサーバに送信され、携帯端末にダウンロードされるようになる。利用者は、携帯端末にダウンロードされた写真名刺用の画像を用いて、写真名刺を作成することができる。
【０４３３】
なお、図５６を参照して説明した名前入力画面において、利用者に名前を入力させるとともに、住所などの情報を入力させるようにし、また、事後接客部２１０の構成として、シール紙に画像や文字を印刷するプリンタ２４１に加え、名刺を印刷可能なプリンタを備えることで、生成された写真名刺用の画像と、利用者に入力された名前や住所などの情報を用いて、写真名刺が印刷されるようにしてもよい。
【０４３４】
［携帯端末でのアプリケーション］
以上においては、証明写真用画像が、携帯送信の機能によって、サーバから利用者の携帯端末にダウンロードされるものとしたが、証明写真用画像の撮影に関するアプリケーションが、サーバから利用者の携帯端末にダウンロードされるようにしてもよい。
【０４３５】
例えば、証明写真コースの撮影処理において出力される、撮影の仕方を説明する撮影前ガイダンスを、例えば、履歴用、願書用、パスポート用などの用途毎に、画像や文字として表示したり、音声として出力するアプリケーションが、利用者の携帯端末にダウンロードされるようにしてもよい。
【０４３６】
これにより、利用者は、そのアプリケーションによって、あらかじめ撮影前ガイダンスを確認しておくことで、証明写真コースでの撮影の際に戸惑うことなく、用途に適した証明写真用画像を得ることができるようになる。
【０４３７】
また例えば、GPS（Global Positioning System）機能を用いて、携帯端末の位置を基準として、証明写真コースの一連の処理を実行可能な写真シール作成装置の位置を、地図上に表示するアプリケーションがダウンロードされるようにしてもよい。
【０４３８】
これにより、急遽、証明写真が必要になった場合でも、利用者は、証明写真コースの一連の処理を実行可能な写真シール作成装置の位置を確認して、最寄りの写真シール作成装置で証明写真の撮影を行うことができる。
【０４３９】
以上、説明した変形例は、それぞれ組み合わせて適用することも可能であり、以下において説明する処理においても適用することが可能である。
【０４４０】
ところで、上述した処理においては、利用者の撮影の経験の有無に問わず、証明写真の撮影が行われるものとした。
【０４４１】
そこで、以下においては、写真シール作成装置１において過去に証明写真を撮影したことのある利用者に対して、証明写真を提供する処理について説明する。
【０４４２】
＜証明写真の提供例１＞
［証明写真コースにおける撮影処理］
まず、図６３のフローチャートを参照して、証明写真コースにおける撮影処理について説明する。
【０４４３】
なお、ステップＳ２２４乃至Ｓ２３５の処理は、図２１を参照して説明したステップＳ２１乃至Ｓ３２の処理と同様の処理である。
【０４４４】
すなわち、ステップＳ２２１において、撮影管理部３０１の表示制御部３２２は、撮影経験の有無を選択させるための撮影経験確認画面をタッチパネルモニタ９２に表示させる。
【０４４５】
図６４は、撮影経験確認画面の例を示す図である。
【０４４６】
撮影経験確認画面の上方には、「撮影経験はありますか？」のメッセージが表示され、その下に、撮影経験があるときに操作されるボタン９４１Ａ、および、撮影経験がないときに操作されるボタン９４１Ｂが表示される。
【０４４７】
ステップＳ２２２において、表示制御部３２２は、撮影経験確認画面において、ボタン９４１Ａが操作されて、撮影経験があることが選択されたか否かを判定する。
【０４４８】
ボタン９４１Ａが操作され、撮影経験があることが選択された場合、ステップＳ２２３において、撮影管理部３０１は、利用者の証明写真の印刷履歴の有無を判別する。例えば、撮影管理部３０１は、表示制御部３２２を制御し、証明写真用画像とともにシール紙に印刷されるID（シールID）を利用者に入力させるシールID入力画面をタッチパネルモニタ９２に表示させる。
【０４４９】
図６５は、シールID入力画面の例を示す図である。
【０４５０】
シールID入力画面の上方には、「シールIDを入力してください」のメッセージが表示され、その下に、入力されたシールIDが表示される表示欄９６１が設けられる。表示欄９６１の下にはアルファベットや数字などの入力に用いられる入力ボタン９６２が表示される。利用者は、入力ボタン９６２を操作して、自身が持っているシール紙のシールIDを入力する。
【０４５１】
シールID入力画面が表示されてから所定の時間が経過した後、撮影管理部３０１は、入力されたシールIDが印刷（印字）されたシール紙の印刷履歴があるか否かを判別する。シール紙の印刷履歴は、そのシール紙に印刷された証明写真用画像とともに、写真シール作成装置１の記憶部２０２に記憶されるようにしてもよいし、携帯送信が行われるサーバに保存されるようにしてもよい。
【０４５２】
ここでは、所定期間内の印刷履歴の有無が判別されるものとする。例えば、その当日から過去３か月以内の印刷履歴があるか否かが判別されるようにする。もちろん、過去３か月に限らず、過去１週間以内などの他の期間の印刷履歴の有無が判別されるようにしてもよい。
【０４５３】
所定期間内の印刷履歴があると判別された場合、撮影管理部３０１によって、入力されたシール紙IDが画像処理管理部３０２に供給され、処理はステップＳ２２４に進む。
【０４５４】
なお、所定期間内の印刷履歴がないと判別された場合や、入力されたシールIDに対応する印刷履歴が存在しなかった場合、シールID入力画面が表示されてから所定の時間が経過したときに、正しいシールIDが入力されなかった場合には、何もされずに、処理はステップＳ２２４に進む。
【０４５５】
また、ステップＳ２２２において、ボタン９４１Ｂが操作され、撮影経験がないことが選択された場合、ステップＳ２２３はスキップされ、処理はステップＳ２２４に進む。
【０４５６】
［証明写真コースにおける調整処理］
次に、図６６のフローチャートを参照して、図６３の撮影処理において印刷履歴があると判別された場合の証明写真用画像の調整処理について説明する。
【０４５７】
なお、ステップＳ２４１乃至Ｓ２４９，Ｓ２５１乃至Ｓ２５３の処理は、図２６を参照して説明したステップＳ４１乃至Ｓ５２の処理と同様の処理である。
【０４５８】
すなわち、ステップＳ２５０において、画像処理管理部３０２の表示制御部３３２は、撮影管理部３０１から供給されたシールIDを用いて、シールIDに対応する証明写真用画像を、記憶部２０２またはサーバから読み出して取得し、取得した証明写真用画像を調整後の撮影画像とともに表示するための画像比較画面をタブレット内蔵モニタ１３１に表示させる。
【０４５９】
図６７は、画像比較画面の例を示す図である。
【０４６０】
画像比較画面の上方中央には、「前に印刷した画像と比較してください」のメッセージが表示され、その下に、過去（所定期間内）に証明写真用画像として印刷された撮影画像１０１１と、今回撮影された調整後の撮影画像１０１２とが並べて表示される。
【０４６１】
利用者は、タッチペン１３２Ａまたはタッチペン１３２Ｂで触れることによって好みの撮影画像を選択する。
【０４６２】
撮影画像１０１１，１０１２の下には、証明写真用画像として用いる撮影画像を決定するときに操作されるOKボタン１０１３が表示される。
【０４６３】
図６８は、過去に証明写真用画像として印刷された撮影画像が複数枚ある場合の画像比較画面の例を示す図である。
【０４６４】
過去に証明写真用画像として印刷された撮影画像が２枚ある場合、利用者は、図６８の画像比較画面を用いて、過去に印刷された撮影画像１０１１−１，１０１１−２、および今回撮影された調整後の撮影画像１０１２の３枚の撮影画像の中から、証明写真用画像とする１枚の撮影画像を選択することになる。
【０４６５】
なお、今回撮影された撮影画像とともに表示される、過去に証明写真用画像として印刷された撮影画像の枚数は、所定期間内の印刷履歴があるものであれば、上述した枚数に限られない。
【０４６６】
また、以上においては、画像比較画面に表示される、今回撮影された撮影画像と過去に印刷された撮影画像は、いずれも調整済みの画像であるものとしたが、調整前の画像であってもよい。
【０４６７】
この場合、図６６のフローチャートのステップＳ２４１において、画像処理管理部３０２の表示制御部３３２が、撮影管理部３０１から供給されたシールIDを用いて、シールIDに対応する撮影画像が調整される前の画像を、撮影画像記憶部３２４から読み出して取得するとともに、撮影処理によって得られた例えば４枚の撮影画像を撮影画像記憶部３２４から読み出して取得し、画像選択画面をタブレット内蔵モニタ１３１に表示させる。
【０４６８】
図６９は、画像選択画面の例を示す図である。
【０４６９】
画像選択画面の上方中央には、「前に撮影した画像と比較してください」のメッセージが表示され、その下に、過去に撮影された撮影画像１０２１と、今回撮影された４枚の撮影画像１０２２−１乃至１０２２−４とが並べて表示される。
【０４７０】
利用者は、タッチペン１３２Ａまたはタッチペン１３２Ｂで触れることによって好みの撮影画像を選択する。
【０４７１】
撮影画像１０２１，１０２２−１乃至１０２２−４の下には、証明写真用画像として用いる撮影画像を決定するときに操作されるOKボタン１０２３が表示される。
【０４７２】
このように、今回撮影された撮影画像と、過去に撮影された撮影画像とが並べて表示されるので、利用者は、今回撮影された撮影画像を、過去に撮影した証明写真と見比べることができ、さらに、気に入った方を選択して証明写真用画像とすることができる。これにより、利用者に、より好みの証明写真用画像が印刷されたシール紙を提供することができる。
【０４７３】
以上においては、過去に証明写真の撮影経験のある利用者が、再度撮影を行った場合の処理について説明してきたが、このような利用者に対して、撮影を行わせることなく、過去に撮影した証明写真を再度印刷させるようにすることもできる。
【０４７４】
＜証明写真の提供例２＞
［シール作成ゲーム提供処理］
まず、図７０のフローチャートを参照して、過去に印刷した証明写真用画像の再印刷を行う場合のシール作成ゲーム提供処理について説明する。
【０４７５】
なお、ステップＳ３０１，Ｓ３０２，Ｓ３０４，Ｓ３０６，Ｓ３０７，Ｓ３１０，Ｓ３１２，Ｓ３１３の処理は、図１８を参照して説明したステップＳ１乃至Ｓ１０の処理と同様の処理である。
【０４７６】
すなわち、図１９のコース選択画面において証明写真コース選択ボタン４０４が操作され、続けて図２０のポップアップにおいてボタン４１１Ａが操作されることによって証明写真コースが選択された場合、ステップＳ３０３において、撮影管理部３０１の表示制御部３２２は、過去に撮影した撮影画像の再印刷を行う（以下、焼き増しするなどという）コース（焼き増しコース）を選択させるための焼き増しコース選択画面をタッチパネルモニタ９２に表示させる。
【０４７７】
図７１は、焼き増しコース選択画面の例を示す図である。
【０４７８】
焼き増しコース選択画面の上方には、「焼き増ししますか？」のメッセージが表示され、その下に、焼き増しコースを選択するときに操作されるボタン１１１１Ａ、および、焼き増しコースを選択しないときに操作されるボタン１１１１Ｂが表示される。
【０４７９】
焼き増しコース選択画面においてボタン１１１１Ｂが操作され、焼き増しコースを選択しないことが選択された場合、処理はステップＳ３０４に進み、上述で説明した証明写真コースの撮影処理が行われる。
【０４８０】
一方、焼き増しコース選択画面においてボタン１１１１Ａが操作され、焼き増しコースを選択することが選択された場合、ステップＳ３０８において、撮影管理部３０１は、証明写真コースのうちの焼き増しコースにおける焼き増し準備処理を行う。
【０４８１】
ステップＳ３０９において、印刷管理部３０３は、焼き増しコースにおける印刷処理を行う。この印刷処理により、過去に証明写真用画像として印刷された撮影画像の再印刷が行われる（焼き増しされる）。
【０４８２】
［焼き増しコースにおける焼き増し準備処理］
次に、図７２のフローチャートを参照して、図６９のステップＳ３０８において行われる焼き増しコースにおける焼き増し準備処理について説明する。
【０４８３】
ステップＳ３３１において、撮影管理部３０１は、利用者の証明写真の印刷履歴の有無を判別する。例えば、撮影管理部３０１は、図６３のフローチャートのステップＳ２２３と同様に、表示制御部３２２を制御し、シールID入力画面をタッチパネルモニタ９２に表示させることで、利用者の証明写真の印刷履歴の有無を判別する。
【０４８４】
印刷履歴があると判別された場合、撮影管理部３０１によって、入力されたシール紙IDが印刷管理部３０３に供給され、処理はステップＳ３３２に進む。
【０４８５】
なお、印刷履歴がないと判別された場合などには、表示制御部３２２がその旨のメッセージをタッチパネルモニタ９２に表示させるなどして、例えば、処理がステップＳ３０３に戻るようにする。
【０４８６】
ステップＳ３３２において、表示制御部３２２は、入力されたシールIDを用いて、シールIDに対応する証明写真用画像を、記憶部２０２またはサーバから読み出して取得し、取得した証明写真用画像を表示する焼き増し確認画面をタブレット内蔵モニタ１３１に表示させる。
【０４８７】
図７３は、焼き増し確認画面の例を示す図である。
【０４８８】
焼き増し確認画面の中央には、過去に印刷された、シールIDに対応する証明写真用画像１１５１が表示され、その下に、証明写真用画像１１５１を焼き増しすることを決定するときに操作されるボタン１１５２と、証明写真用画像１１５１を焼き増しすることをやめるときに操作されるボタン１１５３とが表示される。
【０４８９】
図７４は、過去に印刷された証明写真用画像が複数枚ある場合の焼き増し確認画面の例を示す図である。
【０４９０】
過去に印刷された証明写真用画像が２枚（２種類）ある場合、利用者は、図７４の焼き増し確認画面を用いて、過去に印刷された証明写真用画像１０５１−１，１０５１−２の２枚の証明写真用画像の中から、焼き増しする１枚の証明写真用画像を選択し決定することになる。
【０４９１】
焼き増し確認画面において、焼き増しすることが決定された場合、処理はステップＳ３３３に進み、表示制御部３３２は、利用者に対して事後接客空間Ａ３への移動を案内する。事後接客空間Ａ３への移動の案内は、タブレット内蔵モニタ１３１に画面を表示させることによって、またはスピーカ２３１から音声を出力させることによって行われる。その後、図７０のステップＳ３０８に戻り、ステップＳ３０９の印刷処理が行われる。ステップＳ３０９の印刷処理は、図４１を参照して説明した証明写真コースの印刷処理と基本的に同様にして行われる。
【０４９２】
以上のようにして、過去に印刷した証明写真を再度印刷することが可能となる。
【０４９３】
なお、以上においては、過去に印刷された証明写真用画像は、写真シール作成装置１に記憶部２０２またはサーバから取得されるものとしたが、利用者の携帯端末に証明写真用画像のデータがダウンロードされている場合には、その携帯端末から証明写真用画像が取得されるようにしてもよい。
【０４９４】
具体的には、焼き増し準備処理において、撮影管理部３０１が、赤外線通信や非接触通信などの所定の通信方法により携帯端末と通信を行うことにより、証明写真用画像を取得するようにする。なお、この場合にも、携帯端末にダウンロードされている証明写真用画像が、所定期間内に撮影されたか否かが判定されるようにする。
【０４９５】
また、焼き増しコースにおける印刷処理においては、証明写真用画像が印刷される印刷媒体は、シール紙ではなく写真用紙とするようにしてもよい。
【０４９６】
なお、焼き増し確認画面においてボタン１１５３が操作され、焼き増しすることをやめることが選択された場合には、例えば、処理がステップＳ３０３に戻るようにする。
【０４９７】
このように、焼き増しコースにおける焼き増し準備処理において、焼き増しすることが決定された場合、利用者は、撮影空間Ａ１から、画像処理空間Ａ２−１または画像処理空間Ａ２−２を飛ばして、事後接客空間Ａ３へ移動し、シール紙の印刷が終わるのを待つことになる。
【０４９８】
このとき、画像処理空間Ａ２−１または画像処理空間Ａ２−２で、他の利用者が画像処理を行っている場合、証明写真コースにおける調整処理または通常コースにおける編集処理を終えた利用者と、焼き増しコースにおける焼き増し準備処理を終えた利用者とが、事後接客空間Ａ３で鉢合わせしないようにする必要がある。
【０４９９】
そこで、以下においては、焼き増しコースにおける焼き増し準備処理を終えた利用者と、画像処理空間Ａ２−１または画像処理空間Ａ２−２から移動してくる利用者とが、事後接客空間Ａ３で鉢合わせしないようにする処理について説明する。
【０５００】
［証明写真コースにおける調整処理］
まず、図７５のフローチャートを参照して、証明写真コースの調整処理について説明する。
【０５０１】
なお、ステップＳ３５１乃至Ｓ３５８，Ｓ３６１乃至Ｓ３６４の処理は、図２６を参照して説明したステップＳ４１乃至Ｓ５２の処理と同様の処理である。
【０５０２】
すなわち、ステップＳ３５９において、画像処理管理部３０２は、撮影空間Ａ１において、焼き増し準備処理が行われているか否かを判定する。
【０５０３】
ステップＳ３５９において、焼き増し準備処理が行われていると判定された場合、ステップＳ３６０において、表示制御部３３２は、調整終了を受け付けない画面を、タブレット内蔵モニタ１３１に表示させる。
【０５０４】
具体的には、表示制御部３３２は、図３１の調整画面において、右上方に表示されている、調整処理の残り時間のカウントダウンを停止したり、残り時間を増やすようにするとともに、終了ボタン５４５に対する操作を無効にすることで、強制的に、ステップＳ３５５乃至Ｓ３５８の処理を繰り返させる。
【０５０５】
一方、ステップＳ３５９において、焼き増し準備処理が行われていないと判定された場合、処理はステップＳ３６１に進む。
【０５０６】
このように、撮影空間Ａ１において、焼き増し準備処理が行われている場合には、利用者の事後接客空間Ａ３への移動を抑止するように、調整終了を受け付けない画面が表示される。これにより、焼き増しコースにおける焼き増し準備処理を終えた利用者と、証明写真コースにおける調整処理を終えた利用者とが、事後接客空間Ａ３で鉢合わせすることを避けることができる。
【０５０７】
なお、以上においては、調整画面において、利用者の事後接客空間への移動を抑止するような表示が行われるようにしたが、ステップＳ３６２において表示される携帯送信の機能を利用するか否かの確認画面や、ステップＳ３６３において表示される通常コースの紹介画面において、利用者の事後接客空間Ａ３への移動を抑止するような表示が行われるようにしてもよい。
【０５０８】
［通常コースにおける調整処理］
次に、図７６のフローチャートを参照して、通常コースの調整処理について説明する。
【０５０９】
なお、ステップＳ３７１乃至Ｓ３７９，Ｓ３８２乃至Ｓ３８４の処理は、図４７を参照して説明したステップＳ１２１乃至Ｓ１３２の処理と同様の処理である。
【０５１０】
すなわち、ステップＳ３８０において、画像処理管理部３０２は、撮影空間Ａ１において、焼き増し準備処理が行われているか否かを判定する。
【０５１１】
ステップＳ３８０において、焼き増し準備処理が行われていると判定された場合、ステップＳ３８１において、表示制御部３３２は、編集終了を受け付けない画面を、タブレット内蔵モニタ１３１に表示させる。
【０５１２】
具体的には、表示制御部３３２は、図５１の編集画面において、中央上方に表示されている、編集処理の残り時間のカウントダウンを停止したり、残り時間を増やすようにするとともに、終了ボタン８２６Ｌ，８２６Ｒに対する操作を無効にすることで、強制的に、ステップＳ３７８，Ｓ３７９の処理を繰り返させる。
【０５１３】
一方、ステップＳ３８０において、焼き増し準備処理が行われていないと判定された場合、処理はステップＳ３８２に進む。
【０５１４】
このように、撮影空間Ａ１において、焼き増し準備処理が行われている場合には、利用者の事後接客空間への移動を抑止するように、編集終了を受け付けない画面が表示される。これにより、焼き増しコースにおける焼き増し準備処理を終えた利用者と、通常コースにおける編集処理を終えた利用者とが、事後接客空間Ａ３で鉢合わせすることを避けることができる。
【０５１５】
なお、以上においては、編集画面において、利用者の事後接客空間Ａ３への移動を抑止するような表示が行われるようにしたが、ステップＳ３８３において表示される分割数画面において、利用者の事後接客空間Ａ３への移動を抑止するような表示が行われるようにしてもよいし、ステップＳ３８３の後に、証明写真コースの紹介画面を表示するようにし、その紹介画面において、利用者の事後接客空間への移動を抑止するような表示が行われるようにしてもよい。
【０５１６】
［利用者の動きについて］
ここで、図７７乃至図８１のタイミングチャートを参照して、撮影空間Ａ１、画像処理空間Ａ２−１，Ａ２−２，事後接客空間Ａ３それぞれの間の利用者の動きについて説明する。
【０５１７】
（第１の例）
図７７の例は、３組の利用者（利用者１、利用者２、利用者３）が順番にそれぞれ撮影処理（撮影１、撮影２、撮影３）を行う場合の利用者の動きを示している。
【０５１８】
なお、以下においては、撮影処理は、証明写真コースの撮影処理であってもよいし、通常コースの撮影処理であってもよく、画像処理は、証明写真コースの調整処理であってもよいし、通常コースの編集処理であってもよいものとする。
【０５１９】
時刻ｔ１において、利用者１の撮影処理（撮影１）が終了すると、利用者１は画像処理空間Ａ２−１へ移動し、画像処理（画像処理１）を開始する。また、利用者２は撮影空間Ａ１に入り、撮影処理（撮影２）を開始する。
【０５２０】
時刻ｔ２において、利用者２の撮影処理（撮影２）が終了すると、利用者２は、空いている方の画像処理空間Ａ２−２へ移動し、画像処理（画像処理２）を開始する。また、利用者３は撮影空間Ａ１に入り、撮影処理（撮影３）を開始する。
【０５２１】
時刻ｔ３において、利用者１の画像処理（画像処理１）が終了すると、利用者１は、事後接客空間Ａ３へ移動し、シール紙の印刷（印刷１）の終了を待つ。このとき、画像処理空間Ａ２−１は空くようになる。
【０５２２】
時刻ｔ４において、利用者３の撮影処理（撮影３）が終了すると、利用者３は、利用者１の移動により空いた画像処理空間Ａ２−１へ移動し、画像処理（画像処理３）を開始する。
【０５２３】
時刻ｔ５になると、シール紙の印刷（印刷１）が終了し、事後接客空間Ａ３は空くようになる。
【０５２４】
時刻ｔ６において、利用者２の画像処理（画像処理２）が終了すると、利用者２は、印刷１が終了することで空いた事後接客空間Ａ３へ移動し、シール紙の印刷（印刷２）の終了を待つ。
【０５２５】
時刻ｔ７になると、シール紙の印刷（印刷２）が終了し、事後接客空間Ａ３は空くようになる。
【０５２６】
時刻ｔ８において、利用者３の画像処理（画像処理３）が終了すると、利用者３は、印刷２が終了することで空いた事後接客空間Ａ３へ移動し、シール紙の印刷（印刷３）の終了を待つ。
【０５２７】
時刻ｔ９になると、シール紙の印刷（印刷３）が終了する。
【０５２８】
このように、３組の利用者が順番にそれぞれ撮影処理を行う場合には、異なる組の利用者同士が事後接客空間Ａ３で鉢合わせすることはない。
【０５２９】
（第２の例）
図７８の例は、３組の利用者（利用者１、利用者２、利用者３）が順番に、焼き増し準備処理、撮影処理、撮影処理（焼増１、撮影２、撮影３）を行う場合の利用者の動きを示している。
【０５３０】
時刻ｔ１１において、利用者１の焼き増し準備処理（焼増１）が終了すると、利用者１は事後接客空間Ａ３へ移動し、シール紙の印刷（印刷１）の終了を待つ。また、利用者２は撮影空間Ａ１に入り、撮影処理（撮影２）を開始する。
【０５３１】
時刻ｔ１２になると、シール紙の印刷（印刷１）が終了し、事後接客空間Ａ３は空くようになる。
【０５３２】
時刻ｔ１３において、利用者２の撮影処理（撮影２）が終了すると、利用者２は、画像処理空間Ａ２−１へ移動し、画像処理（画像処理２）を開始する。また、利用者３は撮影空間Ａ１に入り、撮影処理（撮影３）を開始する。
【０５３３】
時刻ｔ１４において、利用者３の撮影処理（撮影３）が終了すると、利用者３は、空いている方の画像処理空間Ａ２−２へ移動し、画像処理（画像処理３）を開始する。
【０５３４】
時刻ｔ１５において、利用者２の画像処理（画像処理２）が終了すると、利用者２は、印刷１が終了することで空いた事後接客空間Ａ３へ移動し、シール紙の印刷（印刷２）の終了を待つ。
【０５３５】
時刻ｔ１６になると、シール紙の印刷（印刷２）が終了し、事後接客空間Ａ３は空くようになる。
【０５３６】
時刻ｔ１７において、利用者３の画像処理（画像処理３）が終了すると、利用者３は、印刷２が終了することで空いた事後接客空間Ａ３へ移動し、シール紙の印刷（印刷３）の終了を待つ。
【０５３７】
時刻ｔ１８になると、シール紙の印刷（印刷３）が終了する。
【０５３８】
このように、３組の利用者が順番に、焼き増し準備処理、撮影処理、撮影処理を行う場合にも、異なる組の利用者同士が事後接客空間Ａ３で鉢合わせすることはない。
【０５３９】
（第３の例）
図７９の例は、３組の利用者（利用者１、利用者２、利用者３）が順番に、撮影処理、焼き増し準備処理、撮影処理（撮影１、焼増２、撮影３）を行う場合の利用者の動きを示している。
【０５４０】
時刻ｔ２１において、利用者１の撮影処理（撮影１）が終了すると、利用者１は、画像処理空間Ａ２−１へ移動し、画像処理（画像処理１）を開始する。また、利用者２は撮影空間Ａ１に入り、焼き増し準備処理（焼増１）を開始する。
【０５４１】
時刻ｔ２２において、利用者２の焼き増し準備処理（焼増２）が終了すると、利用者２は事後接客空間Ａ３へ移動し、シール紙の印刷（印刷２）の終了を待つ。また、利用者３は撮影空間Ａ１に入り、撮影処理（撮影３）を開始する。
【０５４２】
時刻ｔ２３になると、シール紙の印刷（印刷２）が終了し、事後接客空間Ａ３は空くようになる。
【０５４３】
時刻ｔ２４において、利用者３の撮影処理（撮影３）が終了すると、利用者３は、空いている方の画像処理空間Ａ２−２へ移動し、画像処理（画像処理３）を開始する。
【０５４４】
時刻ｔ２５において、利用者１の画像処理（画像処理１）が終了すると、利用者１は、印刷２が終了することで空いた事後接客空間Ａ３へ移動し、シール紙の印刷（印刷１）の終了を待つ。
【０５４５】
時刻ｔ２６になると、シール紙の印刷（印刷１）が終了し、事後接客空間Ａ３は空くようになる。
【０５４６】
時刻ｔ２７において、利用者３の画像処理（画像処理３）が終了すると、利用者３は、印刷２が終了することで空いた事後接客空間Ａ３へ移動し、シール紙の印刷（印刷３）の終了を待つ。
【０５４７】
時刻ｔ２８になると、シール紙の印刷（印刷３）が終了する。
【０５４８】
このように、３組の利用者が順番に、撮影処理、焼き増し準備処理、撮影処理を行う場合にも、異なる組の利用者同士が事後接客空間Ａ３で鉢合わせすることはない。
【０５４９】
（第４の例）
図８０の例は、３組の利用者（利用者１、利用者２、利用者３）が順番に、撮影処理、撮影処理、焼き増し準備処理（撮影１、撮影２、焼増３）を行う場合の利用者の動きを示している。
【０５５０】
時刻ｔ３１において、利用者１の撮影処理（撮影１）が終了すると、利用者１は画像処理空間Ａ２−１へ移動し、画像処理（画像処理１）を開始する。また、利用者２は撮影空間Ａ１に入り、撮影処理（撮影２）を開始する。
【０５５１】
時刻ｔ３２において、利用者２の撮影処理（撮影２）が終了すると、利用者２は、空いている方の画像処理空間Ａ２−２へ移動し、画像処理（画像処理２）を開始する。また、利用者３は撮影空間Ａ１に入り、焼き増し準備処理（焼増３）を開始する。
【０５５２】
時刻ｔ３３において、利用者３の焼き増し準備処理（焼増３）が終了すると、利用者３は事後接客空間Ａ３へ移動し、シール紙の印刷（印刷３）の終了を待つ。
【０５５３】
その直後、時刻ｔ３４において、利用者１の画像処理（画像処理１）が終了すると、利用者１は、事後接客空間Ａ３へ移動し、シール紙の印刷（印刷１）の終了を待つことになるが、このとき、事後接客空間Ａ３では、焼き増し準備処理（焼増３）を終えた利用者３が、シール紙の印刷（印刷３）の終了を待っている。
【０５５４】
このように、３組の利用者が順番に、撮影処理、撮影処理、焼き増し準備処理を行う場合、異なる組の利用者同士が事後接客空間Ａ３で鉢合わせしてしまう。
【０５５５】
そこで、図７５および図７６のフローチャートを参照して説明したように、証明写真コースの調整処理および通常コースの編集処理では、撮影空間Ａ１において焼き増し準備処理が行われており、異なる組の利用者同士が事後接客空間Ａ３で鉢合わせするような場合には、画像処理空間Ａ２−１および画像処理空間Ａ２−２にいる利用者の事後接客空間への移動を抑止するようになされる。
【０５５６】
（第５の例）
図８１の例は、図８０の例と同様、３組の利用者（利用者１、利用者２、利用者３）が順番に、撮影処理、撮影処理、焼き増し準備処理（撮影１、撮影２、焼増３）を行う場合の利用者の動きを示している。
【０５５７】
時刻ｔ４１において、利用者１の撮影処理（撮影１）が終了すると、利用者１は画像処理空間Ａ２−１へ移動し、画像処理（画像処理１）を開始する。また、利用者２は撮影空間Ａ１に入り、撮影処理（撮影２）を開始する。
【０５５８】
時刻ｔ４２において、利用者２の撮影処理（撮影２）が終了すると、利用者２は、空いている方の画像処理空間Ａ２−２へ移動し、画像処理（画像処理２）を開始する。また、利用者３は撮影空間Ａ１に入り、焼き増し準備処理（焼増３）を開始する。
【０５５９】
このとき、画像処理部２０９Ａを制御する画像処理管理部３０２は、例えば、焼き増し準備処理（焼増３）が開始された時刻ｔ４２が、画像処理空間Ａ２−１で行われている画像処理（画像処理１１）が開始された時刻ｔ４１から所定時間以上経過しているか否かを判定する。
【０５６０】
焼増３が開始された時刻が、画像処理１が開始された時刻から所定時間以上経過していると判定された場合、画像処理管理部３０２は、図７５および図７６のフローチャートを参照して説明した証明写真コースの調整処理または通常コースの編集処理を行うことで、画像処理空間Ａ２−１で行われている画像処理１の処理時間を時間Ｔだけ延長する。
【０５６１】
このとき、画像処理空間Ａ２−２で行われている画像処理２の処理時間についても、同様に、時間Ｔだけ延長される。
【０５６２】
時刻ｔ４３において、利用者３の焼き増し準備処理（焼増３）が終了すると、利用者３は事後接客空間Ａ３へ移動し、シール紙の印刷（印刷３）の終了を待つ。
【０５６３】
時刻ｔ４４になると、シール紙の印刷（印刷３）が終了し、事後接客空間Ａ３は空くようになる。
【０５６４】
その後、時刻ｔ４５において、時間Ｔだけ延長された利用者１の画像処理（画像処理１）が終了すると、利用者１は、印刷３が終了することで空いた事後接客空間Ａ３へ移動し、シール紙の印刷（印刷１）の終了を待つ。
【０５６５】
時刻ｔ４６になると、シール紙の印刷（印刷１）が終了し、事後接客空間Ａ３は空くようになる。
【０５６６】
時刻ｔ４７において、時間Ｔだけ延長された利用者２の画像処理（画像処理２）が終了すると、利用者２は、印刷１が終了することで空いた事後接客空間Ａ３へ移動し、シール紙の印刷（印刷２）の終了を待つ。
【０５６７】
そして、時刻ｔ４８になると、シール紙の印刷（印刷２）が終了する。
【０５６８】
このように、３組の利用者が順番に、撮影処理、撮影処理、焼き増し準備処理を行う場合にも、図７５および図７６のフローチャートを参照して説明した証明写真コースの調整処理または通常コースの編集処理が行われることで、異なる組の利用者同士が事後接客空間Ａ３で鉢合わせするのを避けることができ、利用者を困惑させることなく、再印刷を行わせることができる。
【０５６９】
以上においては、焼き増しコースが選択されることで再印刷が行われるようにしたが、証明写真コースにおいて印刷されるシール紙が追加で印刷されるようにしてもよい。
【０５７０】
例えば、画像処理部２０９Ａおよび画像処理部２０９Ｂに硬貨投入返却口を設けるようにして、証明写真コースの処理が行われる中で、硬貨投入返却口に対する硬貨の投入が検出された場合、投入された金額に応じた枚数のシール紙が、追加で印刷されるようにする。 
【０５７１】
ところで、上述したように、証明写真用画像は、シール紙に印刷されるとともに、携帯送信の機能によって利用者の所有する携帯端末へ提供されるようになされる。
【０５７２】
＜画像提供システムについて＞
そこで、以下においては、携帯端末への画像の提供を実現する画像提供システムについて説明する。
【０５７３】
［画像提供システムの構成例］
図８２は、上述で説明してきた写真シール作成装置１を含む画像提供システムの構成例を示している。
【０５７４】
図８２の画像提供システムは、写真シール作成装置１、サーバ１２０１、および携帯端末１２０２から構成される。サーバ１２０１は、例えば写真シール作成装置１のメーカーが管理するサーバであり、携帯端末１２０２は、写真シール作成装置１が提供するゲームを行い、シール紙を受け取る利用者が携帯している携帯電話機などの端末である。
【０５７５】
写真シール作成装置１とサーバ１２０１の間、サーバ１２０１と携帯端末１２０２の間の情報の送受信は、インターネットなどの通信ネットワークを介して行われる。
【０５７６】
サーバ１２０１においては、携帯端末１２０２の利用者による写真シール作成装置１の利用によって得られた画像（証明写真用画像および編集画像）が管理されている。
【０５７７】
［サーバの構成例］
図８３は、サーバ１２０１のハードウェア構成例を示すブロック図である。
【０５７８】
CPU１２１１、ROM１２１２、RAM１２１３は、バス１２１４により相互に接続される。
【０５７９】
バス１２１４には、さらに、入出力インタフェース１２１５が接続される。入出力インタフェース１２１５には、キーボード、マウスなどよりなる入力部１２１６、ディスプレイ、スピーカなどよりなる出力部１２１７が接続される。また、入出力インタフェース１２１５には、ハードディスクや不揮発性のメモリなどより構成され、各種の情報を記憶する記憶部１２１８、ネットワークインタフェースなどより構成され、写真シール作成装置１や携帯端末１２０２と通信を行う通信部１２１９、リムーバブルメディア１２２１を駆動するドライブ１２２０が接続される。
【０５８０】
記憶部１２１８には、写真シール作成装置１から送信されてきた画像や、サーバ１２０１が管理する各種のウェブサイトの情報などが記憶される。
【０５８１】
［携帯端末の構成例］
図８４は、携帯端末１２０２の機能構成例を示すブロック図である。
【０５８２】
携帯端末１２０２は、制御部１２５１、アンテナ１２５２、通信部１２５３、記憶部１２５４、表示部１２５５、および操作部１２５６から構成される。
【０５８３】
制御部１２５１は、CPU，ROM，RAMなどよりなり、所定のプログラムを実行し、携帯端末１２０２の全体の動作を制御する。例えば、制御部１２５１は、通信部１２５３を制御してサーバ１２０１と通信を行う。
【０５８４】
通信部１２５３は、基地局から送信された電波が受信されることに応じてアンテナ１２５２から供給された信号の復調処理を行い、復調処理を行うことによって得られた情報を制御部１２５１に出力する。また、通信部１２５３は、制御部１２５１から供給された情報に対して変調処理を施し、得られた信号をアンテナ１２５２から送信する。
【０５８５】
記憶部１２５４は、フラッシュメモリなどよりなり、サーバ１２０１からダウンロードされた画像などの各種の情報を記憶する。
【０５８６】
表示部１２５５は、LCDなどよりなり、各種の情報を表示する。例えば表示部１２５５には、サーバ１２０１から送信され、通信部１２５３において受信された携帯送信用画像が表示される。
【０５８７】
操作部１２５６は、各種のボタンや表示部１２５５に重ねて設けられたタッチパネルより構成され、利用者の操作の内容を表す信号を制御部１２５１に出力する。
【０５８８】
なお、携帯端末１２０２には、非接触型ICをさらに設けるようにしてもよい。これにより、写真シール作成装置１に非接触型ICリーダ／ライタが設けられている場合、携帯端末１２０２は、その通信可能範囲において、非接触型ICリーダ／ライタと近接通信を行うことができる。
【０５８９】
［画像提供システムの動作］
次に、図８５のフローチャートを参照して、写真シール作成装置１において得られた証明写真用画像を、サーバ１２０１に送信し、携帯端末１２０２に提供するまでの一連の処理について説明する。
【０５９０】
写真シール作成装置１において、携帯送信の機能を利用することが選択された場合に、事後接客処理が開始されると、ステップＳ４３１において、事後接客管理部３０４は、生成された証明写真用画像を、利用者によって入力された、利用者の携帯端末１２０２のメールアドレスとともに、サーバ１２０１に送信する。
【０５９１】
このとき、事後接客管理部３０４は、送信される証明写真用画像に、その証明写真用画に関する情報を付加してサーバ１２０１に送信する。
【０５９２】
ステップＳ４５１において、サーバ１２０１（通信部１２１９）は、写真シール作成装置１から送信されてきた証明写真用画像とメールアドレスを受信する。
【０５９３】
ステップＳ４５２において、サーバ１２０１は、写真シール作成装置１から送信されてきた証明写真用画像に対して、保存先URLを割り当て、写真シール作成装置１から送信されてきた携帯端末１２０２のメールアドレスと証明写真用画像とを対応付けて記憶部１２１８に記憶させる。
【０５９４】
ステップＳ４５３において、サ−バ１２０１は、携帯端末１２０２のメールアドレス宛てに、ステップＳ４５２において割り当てた証明写真用画像の保存先URLを含む電子メールを送信する。
【０５９５】
ステップＳ４７１において、携帯端末１２０２は、サーバ１２０１から送信されてきた、証明写真用画像の保存先URLを含む電子メールを受信する。
【０５９６】
ステップＳ４７２において、携帯端末１２０２は、電子メールの内容を確認した利用者により証明写真用画像の表示が指示された場合、受信した電子メールに含まれるURLに基づいてサーバ１２０１にアクセスし、証明写真用画像の表示を要求する。
【０５９７】
ステップＳ４５４において、サーバ１２０１は、携帯端末１２０２の要求に応じて、証明写真用画像の保存先を指定し、指定された保存先の証明写真用画像を読み出す。
【０５９８】
ステップＳ４５５において、サーバ１２０１は、読み出した証明写真用画像を含むウェブページを携帯端末１２０２に提供する。
【０５９９】
ステップＳ４７３において、携帯端末１２０２は、サーバ１２０１から提供された、証明写真用画像を含むウェブページを表示部１２５５に表示させる。
【０６００】
上述した説明においては、証明写真用画像は、携帯端末に送信されるものとしたが、携帯端末に限らず、パーソナルコンピュータなどの、利用者が所有する端末装置に送信されるようにすることができる。
【０６０１】
以上のようにして、写真シール作成装置１において得られた証明写真用画像が、携帯端末１２０２に提供され表示されるようになる。なお、写真シール作成装置１において得られた編集画像についても、上述した処理と同様にして、携帯端末１２０２に提供され表示される。
【０６０２】
ところで、近年、証明写真を貼る履歴書を電子データ化した電子履歴書を作成し、企業などに送付するシステムが知られている。このような電子履歴書作成システムにおいては、例えば、あらかじめ決められた入力フォームに従って必要な情報が入力されることで電子履歴書が作成される。作成された電子履歴書には、応募者の証明写真データが対応付けられる。
【０６０３】
そこで、以下においては、上述した、写真シール作成装置１を含む画像提供システムによって電子履歴書作成システムを実現する例について説明する。
【０６０４】
［電子履歴書作成システムの構成例］
図８６は、写真シール作成装置１を含む電子履歴書作成システムの構成例を示している。
【０６０５】
図８６の電子履歴書作成システムにおいては、図８２の画像提供システムの構成に、求人サイトサーバ１３０１が追加されている。求人サイトサーバ１３０１は、様々な企業の求人情報を提供するウェブサイト（求人サイト）を運営する求人サイト運営会社により管理されるサーバである。求人サイトサーバ１３０１とサーバ１２０１の間、求人サイトサーバ１３０１と携帯端末１２０２の間の情報の送受信もまた、インターネットなどの通信ネットワークを介して行われる。
【０６０６】
電子履歴書作成システムにおいて、写真シール作成装置１は、証明写真用画像とともに、利用者により入力されたメールアドレスや名前などの入力情報をサーバ１２０１に送信する。
【０６０７】
携帯端末１２０２は、利用者の操作によって、サーバ１２０１により提供される履歴書作成サイトにアクセスし、利用者により入力された、履歴書作成に必要な住所や生年月日などの入力情報をサーバ１２０１に送信する。
【０６０８】
サーバ１２０１は、写真シール作成装置１からの証明写真用画像および入力情報と、携帯端末１２０２からの入力情報とを用いて、利用者の電子履歴書を作成する。サーバ１２０１によって作成された電子履歴書のデータ（履歴書データ）は、求人サイトサーバ１３０１に提供されたり、印刷用のデータとして、携帯端末１２０２に提供されるようになされる。
【０６０９】
また、携帯端末１２０２は、利用者の操作によって、求人サイトサーバ１３０１により提供される求人サイトにアクセスし、利用者により入力された、その求人サイトに登録するための登録情報を求人サイトサーバ１３０１に送信する。
【０６１０】
求人サイトサーバ１３０１においては、サーバ１２０１からの履歴書データと、携帯端末１２０２からの登録情報とが対応付けて管理され、その履歴書データは、必要に応じて、求人サイトに対して求人情報を提供している企業Ａや企業Ｂに管理されるコンピュータ１３１１，１３１２などに提供される。
【０６１１】
［サーバの機能構成例］
ここで、サーバ１２０１の機能構成例について説明する。
【０６１２】
図８７は、サーバ１２０１の機能構成例を示すブロック図である。図８７に示す機能ブロックのうちの少なくとも一部は、図８３のCPU１２１１により所定のプログラムが実行されることによって実現される。サーバ１２０１においては、データ管理部１４０１、ウェブページ提供部１４０２、および履歴書作成部１４０３がCPU１２１１により実現される。
【０６１３】
データ管理部１４０１は、写真シール作成装置１から送信され、記憶部１２１８に記憶される証明写真用画像１４１１や、その証明写真用画像に関する情報などの各種のデータを管理する。
【０６１４】
ウェブページ提供部１４０２は、携帯端末１２０２からの要求に応じて、サーバ１２０１が管理するウェブサイトを構成するウェブページを、通信部１２１９を介して、携帯端末１２０２に提供する。
【０６１５】
履歴書作成部１４０３は、写真シール作成装置１から送信されてくる証明写真用画像および入力情報や、携帯端末１２０２から送信されてくる入力情報を用いて、履歴書データ１４１２を作成し、記憶部１２１８に記憶させる。
【０６１６】
記憶部１２１８には、利用者（携帯端末）毎に付与されるIDなどにより、証明写真用画像１４１１と履歴書データ１４１２が対応付けて記憶される。なお、証明写真用画像１４１１は、１人の利用者について複数枚記憶されるようにすることができる。
【０６１７】
［電子履歴書作成システムの動作］
次に、図８８のフローチャートを参照して、携帯端末１２０２がサーバ１２０１により提供される履歴書作成サイトにアクセスし、電子履歴書を作成するまでの一連の処理について説明する。
【０６１８】
ステップＳ５１１において、携帯端末１２０２は、履歴書作成サイトのURLに基づいてサーバ１２０１にアクセスすると、ステップＳ５３１において、サーバ１２０１は、そのアクセスに基づいて、携帯端末１２０２の利用者を認証する。
【０６１９】
ステップＳ５１２において、携帯端末１２０２は、利用者による操作に応じて、電子履歴書の作成に必要な情報を入力するための入力フォームを要求すると、ステップＳ５３２において、サーバ１２０１は、その要求を受信する。
【０６２０】
ステップＳ５３３において、サーバ１２０１のウェブページ提供部１４０２は、要求された入力フォームを携帯端末１２０２に送信する。
【０６２１】
携帯端末１２０２は、ステップＳ５１３において、サーバ１２０１からの入力フォームを受信すると、ステップＳ５１４において、入力フォームを表示し、住所や生年月日などの入力を受け付ける。ステップＳ５１５において、携帯端末１２０２は、入力フォームに入力された入力情報をサーバ１２０１に送信する。
【０６２２】
ステップＳ５３４において、サーバ１２０１は、携帯端末１２０２からの入力情報を受信すると、ステップＳ５３５において、履歴書作成部１４０３は、記憶部１２１８において、認証された利用者のIDに対応付けて記憶されている証明写真用画像および入力情報（利用者の名前）と、携帯端末１２０２からの入力情報（住所や生年月日など）を用いて、履歴書データを、例えばPDF形式で作成する。
【０６２３】
作成された履歴書データは、記憶部１２１８に、利用者のIDによって証明写真用画像に対応付けて記憶される。また、記憶部１２１８に記憶されている履歴書データは、携帯端末１２０２からの要求に応じて、印刷用のデータに変換されて携帯端末１２０２に送信されたり、求人サイトサーバ１３０１に送信される。
【０６２４】
求人サイトサーバ１３０１に送信された履歴書データは、必要に応じて、求人サイトに対して求人情報を提供している企業に送信されるが、一般的に、履歴書に貼る証明写真のサイズは、その提出先や用途によって異なる。
【０６２５】
そこで、写真シール作成装置１が、１枚の証明写真用画像から、サイズの異なる複数の証明写真用画像を生成し、サーバ１２０１に送信するようにし、サーバ１２０１の履歴書作成部１４０３が、履歴書データの送信先に応じたサイズの証明写真用画像を用いて、履歴書データを作成するようにしてもよい。
【０６２６】
図８９は、異なるサイズの証明写真用画像を用いて作成された電子履歴書の例である。
【０６２７】
図８９Ａに示される電子履歴書１４２１においては、縦：横の比が４：３である証明写真用画像１４３１が配置されている一方、図８９Ｂに示される電子履歴書１４２２においては、縦：横の比が１：１である証明写真用画像１４３２が配置されている。
【０６２８】
このように、提出先に応じたサイズの証明写真用画像が配置された電子履歴書を、その企業に送信することができる。
【０６２９】
また、上述したように、記憶部１２１８において、証明写真用画像は、１人の利用者について複数枚記憶されるようにすることができるので、一度作成された履歴書データに用いられている証明写真用画像を、他の証明写真用画像に変更できるようにしてもよい。
【０６３０】
［証明写真用画像の変更］
そこで、        図９０のフローチャートを参照して、履歴書データ用いられている証明写真用画像を変更する処理について説明する。
【０６３１】
ステップＳ５５１において、携帯端末１２０２は、履歴書作成サイトのURLに基づいてサーバ１２０１にアクセスすると、ステップＳ５７１において、サーバ１２０１は、そのアクセスに基づいて、携帯端末１２０２の利用者を認証する。
【０６３２】
ステップＳ５５２において、携帯端末１２０２は、利用者による操作に応じて、既に作成された電子履歴書に用いられた証明写真用画像の変更を要求すると、ステップＳ５７２において、サーバ１２０１は、その要求を受信する。
【０６３３】
ステップＳ５７３において、サーバ１２０１のウェブページ提供部１４０２は、認証された利用者のIDに対応付けて記憶されている複数の証明写真用画像からいずれか１枚を選択させるための選択フォームを携帯端末１２０２に送信する。
【０６３４】
携帯端末１２０２は、ステップＳ５５３において、サーバ１２０１からの選択フォームを受信すると、ステップＳ５５４において、選択フォームを表示し、証明写真用画像の選択を受け付ける。ステップＳ５５５において、携帯端末１２０２は、選択された証明写真用画像を表す選択情報をサーバ１２０１に送信する。
【０６３５】
ステップＳ５７４において、サーバ１２０１は、携帯端末１２０２からの選択情報を受信すると、ステップＳ５７５において、履歴書作成部１４０３は、認証された利用者のIDに対応付けて記憶されている履歴書データに用いられている証明写真用画像を、選択情報で表される証明写真用画像に変更する。
【０６３６】
以上のようにして、一度作成された履歴書データに用いられている証明写真用画像を、他の証明写真用画像に変更することができる。
【０６３７】
ところで、近年、モデルやタレントのオーディションにおいては、応募者が、証明写真が貼られた履歴書を提出する他に、自己ＰＲをしている自身の動画像を提出することが行われている。
【０６３８】
そこで、以下においては、静止画像に加えて動画像を撮影し、得られた静止画像および動画像を、証明写真用画像として電子履歴書の作成に用いる例について説明する。
【０６３９】
［証明写真コースにおける撮影処理］
まず、図９１のフローチャートを参照して、利用者の用途に応じて、動画像の撮影を行う証明写真コースにおける撮影処理について説明する。
【０６４０】
なお、ステップＳ６１２乃至Ｓ６２０，Ｓ６２３乃至Ｓ６２５の処理は、図２１を参照して説明したステップＳ２１乃至Ｓ３２の処理と同様の処理である。
【０６４１】
すなわち、ステップＳ６１１において、撮影管理部３０１の表示制御部３２２は、証明写真の用途を選択させるための用途選択画面をタッチパネルモニタ９２に表示させる。
【０６４２】
図９２は、用途選択画面の例を示す図である。
【０６４３】
用途選択画面の上方には、「用途を選んでね」のメッセージが表示され、その下に、証明写真の用途が履歴書用であるときに操作されるボタン１５１１、証明写真の用途が受験用（願書用）であるときに操作されるボタン１５１２、証明写真の用途がオーディション用であるときに操作されるボタン１５１３、および、証明写真の用途がお見合い用であるときに操作されるボタン１５１４が表示される。
【０６４４】
ボタン１５１１乃至１５１４によって選択される用途のうち、履歴書用、受験用、およびお見合い用は、証明写真として静止画像が必要とされ、オーディション用は、証明写真として、静止画像に加え、動画像が必要とされるものとする。
【０６４５】
また、用途選択画面において、ボタン１５１１が操作された場合、すなわち、用途として履歴書用が選択された場合、表示制御部３２２が、証明写真の用途として履歴書の提出先を分類する業種を選択させるための業種選択画面をタッチパネルモニタ９２に表示させるようにしてもよい。
【０６４６】
図９３は、業種選択画面の例を示す図である。
【０６４７】
業種選択画面の上方には、「業種を選んでね」のメッセージが表示され、その下に、証明写真の提出先の業種が金融または公務員（「金融・公務員」）であるときに操作されるボタン１５９１、証明写真の提出先の業種が商社またはサービス業（「商社・サービス」）であるときに操作されるボタン１５９２、および、証明写真の提出先の業種（職種）が航空会社（キャビンアテンダント）またはテレビ局（アナウンサー）（「エアライン・アナウンサー」）であるときに操作されるボタン１５９３が表示される。
【０６４８】
ボタン１５９１乃至１５９３によって選択される業種のうち、「金融・公務員」および「商社・サービス」は、証明写真として静止画像が必要とされ、「エアライン・アナウンサー」は、証明写真として、静止画像に加え、動画像が必要とされるものとする。
【０６４９】
ステップＳ６１１の後、４回の静止画像の撮影が行われると、ステップＳ６２１において、撮影管理部３０１は、利用者の用途選択画面に対する操作によって、動画像の撮影を行う用途が選択されたか否かを判定する。
【０６５０】
ステップＳ６２１において、動画像の撮影を行う用途が選択されたと判定された場合、すなわち、用途選択画面において、ボタン１５１３が利用者によって操作されることによって、用途として、オーディション用が選択されるか、または、業種選択画面において、ボタン１５９３が利用者によって操作されることによって、業種として、エアライン・アナウンサーが選択された場合、ガイダンス出力制御部３２１が、動画像の撮影前ガイダンスを出力し、処理はステップＳ６２２に進む。
【０６５１】
ステップＳ６２２において、カメラ制御部３２３は動画像の撮影を行う。カメラ制御部３２３は、撮影によって得られた動画像を、撮影画像記憶部３２４に出力し、記憶させる。
【０６５２】
このようにして、写真シール作成装置１において、用途または業種によって、静止画像に加えて得られた動画像は、証明写真用画像としてサーバ１２０１に送信される。
【０６５３】
この場合、サーバ１２０１の記憶部１２１８には、図９４に示されるように、利用者毎に付与されるIDなどにより、静止画像の証明写真用画像１４１１および履歴書データ１４１２に加えて、動画像１６０１が対応付けて記憶されるようになる。
【０６５４】
具体的には、図８８のフローチャートをステップＳ５３５において、履歴書作成部１４０３は、記憶部１２１８において、認証された利用者のIDに対応付けて記憶されている証明写真用画像（静止画像および動画像）および入力情報と、携帯端末１２０２からの入力情報を用いて、履歴書データを作成する。作成された履歴書データは、記憶部１２１８に、利用者のIDによって証明写真用画像（静止画像および動画像）に対応付けて記憶される。
【０６５５】
図９５は、証明写真用画像として、静止画像と動画像を用いて作成された電子履歴書の例を示す図である。
【０６５６】
図９５Ａに示される電子履歴書１６２１は、例えば、求人サイトに求人情報を提供している企業のコンピュータに表示されているものとする。電子履歴書１６２１には、静止画像である証明写真用画像１６３１とともに、動画再生ボタン１６３２が配置されている。
【０６５７】
例えば、企業のコンピュータを操作する採用担当者などにより、動画再生ボタン１６３２が選択されると、そのコンピュータにインストールされているメディアプレーヤー（動画再生アプリケーションソフト）１６４１が起動し、動画像が再生されるようになされている。
【０６５８】
以上のように、静止画像に加えて動画像を用いて、より手軽に、用途に合った電子履歴書を作成することができるので、例えば、モデルやタレントのオーディションを受ける応募者は、よりはっきりと自己ＰＲをすることができるようになる。
【０６５９】
なお、以上においては、履歴書作成部１４０３は、証明写真用画像として、静止画像および動画像と入力情報とを用いて、履歴書データを作成するようにしたが、証明写真用画像として、動画像のみを用いるようにしてもよい。
【０６６０】
ところで、例えば、写真シール作成装置１のゲームになれていない利用者などにとっては、証明写真コースにおける調整処理での調整に手間取ってしまい、あらかじめ設定された制限時間内に、所望の調整を行うことができないおそれがある。
【０６６１】
＜携帯端末からの調整＞
そこで、携帯送信の機能により、サーバ１２０１に送信された証明写真用画像に対して、利用者が携帯端末１２０２を操作することにより、証明写真用画像の調整を行うことができるようにしてもよい。
【０６６２】
［サーバにおける調整処理について］
図９６のフローチャートを参照して、サーバ１２０１において証明写真用画像の調整を行う処理について説明する。
【０６６３】
ステップＳ６５１において、携帯端末１２０２は、証明写真用画像が閲覧可能なサイトのURLに基づいてサーバ１２０１にアクセスすると、ステップＳ６７１において、サーバ１２０１は、そのアクセスに基づいて、携帯端末１２０２の利用者を認証する。
【０６６４】
ステップＳ６５２において、携帯端末１２０２は、利用者による操作に応じて、既にサーバ１２０１に送信された証明写真用画像の調整を要求すると、ステップＳ６７２において、サーバ１２０１は、その要求を受信する。
【０６６５】
ステップＳ６７３において、サーバ１２０１のウェブページ提供部１４０２は、認証された利用者のIDに対応付けて記憶されている証明写真用画像を調整するための調整画面を携帯端末１２０２に送信する。
【０６６６】
携帯端末１２０２は、ステップＳ６５３において、サーバ１２０１からの調整画面を受信すると、ステップＳ６５４において、調整画面を表示し、証明写真用画像の調整を受け付ける。
【０６６７】
図９７は、携帯端末１２０２の表示部１２５５に表示される調整画面の例を示している。
【０６６８】
携帯端末１２０２に表示される調整画面の構成は、図３１を参照して説明した調整画面の構成と基本的には同様であるが、図３１の調整画面の右上方に表示されるような残り時間は表示されない。すなわち、利用者は、残り時間を気にすることなく、所望の調整を行うことができる。
【０６６９】
このようにして、利用者により、携帯端末１２０２に対して調整を行う操作がなされると、ステップＳ６５５において、携帯端末１２０２は、調整内容を表す情報をサーバ１２０１に送信する。
【０６７０】
ステップＳ６７４において、サーバ１２０１は、携帯端末１２０２からの調整内容を表す情報を受信すると、ステップＳ６７５において、データ管理部１４０１は、その情報に基づいて、認証された利用者のIDに対応付けて記憶されている証明写真用画像を調整する。
【０６７１】
そして、利用者により、携帯端末１２０２に対して調整を終了する操作がなされると、ステップＳ６７５において、携帯端末１２０２は、調整終了の指示をサーバ１２０１に送信する。
【０６７２】
ステップＳ６７６において、データ管理部１４０１は、携帯端末１２０２からの指示に応じて、調整された証明写真用画像を記憶部１２１８に記憶させる。
【０６７３】
以上の処理によれば、写真シール作成装置１において、所望の調整を行うことができなかった場合でも、利用者は、残り時間を気にすることなく、所望の調整を行うことが可能となる。
【０６７４】
なお、調整の対象となる証明写真用画像が、何らかの調整が既に施された画像であってもよいし、一切調整が施されていない画像であってもよい。特に後者の場合、写真シール作成装置１において、調整処理を省略するようにできるので、写真シール作成装置１における作業時間の短縮を図ることができる。
【０６７５】
さらに、携帯端末に対する操作によって調整された証明写真用画像は、利用者の自宅などにあるプリンタから印刷されるようにしてもよい。具体的には、調整された証明写真用画像のデータを、携帯端末１２０２にダウンロードし、携帯端末１２０２とプリンタとの間で所定の通信方法による通信を行うようにすることで、証明写真用画像がプリンタから印刷されるようになる。
【０６７６】
さらにまた、携帯端末に対する操作によって調整された証明写真用画像が、街中にあるコンビニエンスストアなどに設置されている専用プリンタから印刷されるようにしてもよい。この場合、携帯端末１２０２にダウンロードされた証明写真用画像のデータを、所定のアプリケーションによって、専用プリンタを管理する管理サーバに、電子メールに添付するなどして送信し、その管理サーバが、利用者の現在位置の最も近くに設置されている専用プリンタへ送信するようにする。このとき、携帯端末１２０２から管理サーバに送信される電子メールには、例えばGPSに基づいた携帯端末１２０２の位置情報が含まれるようにし、管理サーバは、その位置情報に基づいて、携帯端末１２０２の位置から最も近い位置に設置されている専用プリンタの地図情報などを、携帯端末１２０２に返信するようにする。 
【０６７７】
なお、以上のようにして記憶部１２１８に記憶された証明写真用画像は、過去に撮影された画像として、今回撮影された画像と比較されるようにしてもよいし、焼き増しされる画像や、電子履歴書に配置される画像として用いられるようにすることができる。
【０６７８】
＜携帯端末の画面表示＞ 
上述したように、利用者は、携帯端末１２０２を操作することでアクセスされたサイト上で、証明写真用画像を閲覧することができる。そこで、以下においては、携帯端末１２０２の画面表示を参照しながら、サーバ１２０１によって提供される証明写真用画像に関する機能について説明する。
【０６７９】
［受信メールの表示］
上述したように、シール作成ゲーム提供処理によって生成された画像が、写真シール作成装置１からサーバ１２０１に送信された後、サーバ１２０１は、利用者の携帯端末１２０２に、画像の保存を確定するためのURLを含む電子メールを送信する。
【０６８０】
図９８は、サーバ１２０１から携帯端末１２０２に送信される電子メールの例を示している。
【０６８１】
図９８Ａは、シール作成ゲーム提供処理において通常コースの処理が行われることで編集画像がサーバ１２０１に送信された場合に、携帯端末１２０２に送信される電子メールの例である。
【０６８２】
図９８Ａのメール本文には、編集画像の保存を確定するためのURL１３１１の他に、携帯送信の機能に関する注意書きが記載されている。
【０６８３】
一方、図９８Ｂは、シール作成ゲーム提供処理において証明写真コースの処理が行われることで証明写真用画像がサーバ１２０１に送信された場合に、携帯端末１２０２に送信される電子メールの例である。
【０６８４】
図９８Ｂのメール本文にも、証明写真用画像の保存を確定するためのURL１３１２の他に、携帯送信の機能に関する注意書きが記載されている。
【０６８５】
このサイトにおいては、利用者は会員登録を行うことで、サーバ１２０１に送信された画像の保存を確定し、以降、このサイトにアクセスすることで、保存された画像の閲覧などを行うことができる。
【０６８６】
このサイトの会員には、無料会員と有料会員とがある。無料会員となった利用者は、写真シール作成装置１からサーバ１２０１に送信される、通常コースの処理によって得られた複数の編集画像のうちの１枚をのみ閲覧することができるが、証明写真コースの処理によって得られた証明写真用画像を閲覧することはできない。一方、有料会員となった利用者は、写真シール作成装置１からサーバ１２０１に送信される、通常コースの処理によって得られた複数の編集画像の全てを閲覧することができる上に、証明写真コースの処理によって得られた証明写真用画像を閲覧することができる。
【０６８７】
したがって、図９８Ｂのメール本文には、図９８Ａのメール本文の記載に加えて、「証明プリを保存するには、ピクトリンク有料会員登録が必要です。」といった記載がなされている。ここで、証明プリは、証明写真用画像を示し、ピクトリンクは、このサイトの名称を示している。これにより、利用者は、証明写真用画像を閲覧することができるようになる。
【０６８８】
なお、サーバ１２０１は、携帯送信の機能により、携帯端末１２０２に送信される画像が、編集画像であるか、または、証明写真用画像であるかを判別することで、携帯端末１２０２に送信されるメール本文の記載を変更するようになされている。この場合、写真シール作成装置１において、サーバ１２０１に送信する画像に、その画像が、編集画像であるか、または、証明写真用画像であるかを表す情報が付加されることで、サーバ１２０１が画像の判別を行うようにすることができる。
【０６８９】
［サイトの画面表示］
利用者が有料会員である場合、図９８Ｂのメール本文におけるURL１３１２が選択されると、携帯端末１２０２（表示部１２５５）には、図９９に示される画面Ｐ０１が表示される。
【０６９０】
画面Ｐ０１は、有料会員が証明写真用画像の保存を確定する際に表示されるトップページである。画面Ｐ０１には、保存しようとしている証明写真用画像のサンプル画像１３２１が表示される。サンプル画像１３２１は、有料会員である利用者本人の写る証明写真用画像に、「SAMPLE」の文字が重畳された画像とするが、予め撮影されたモデルが写るモデル画像に、「SAMPLE」の文字が重畳された画像であってもよい。
【０６９１】
なお、サンプル画像１３２１は、写真シール作成装置１において、携帯送信の機能によって送信される証明写真用画像に基づいて生成されたものとし、証明写真用画像とともに、写真シール作成装置１からサーバ１２０１に送信されるものとする。
【０６９２】
また、画面Ｐ０１において、サンプル画像１３２１の下側には、証明写真用画像の保存を確定する際に選択される保存ボタン１３２２が表示される。保存ボタン１３２２が選択されると、携帯端末１２０２には、保存完了画面が表示される。
【０６９３】
このとき、サーバ１２０１において、有料会員である利用者は、ＰＵＲＩＭＯ会員であるか否かが判定され、その判定結果によって、異なる保存完了画面が表示される。
【０６９４】
ＰＵＲＩＭＯ会員は、有料会員である利用者のうち、保存されている画像を他の有料会員の利用者に公開することができる利用者とされ、ファッション雑誌などにおけるいわゆる読者モデルに相当する利用者である。他の有料会員の利用者は、ＰＵＲＩＭＯ会員の利用者の写る編集画像を閲覧することで、そのＰＵＲＩＭＯ会員の利用者の服装や化粧などを参考にすることができる。
【０６９５】
ここで、図９９の説明に戻り、画面Ｐ０１において、保存ボタン１３２２が選択された場合、利用者がＰＵＲＩＭＯ会員でないとき、携帯端末１２０２には、保存完了画面Ｐ０２が表示される。
【０６９６】
保存完了画面Ｐ０２には、写真シール作成装置１からサーバ１２０１に送信されたサンプル画像のサムネイル画像１３２３と、証明写真用画像のサムネイル画像１３２４とが表示される。２つのサムネイル画像のいずれかが選択されると、携帯端末１２０２には、選択されたサムネイル画像に対応するサンプル画像または証明写真用画像が拡大されて表示されるようになる。なお、サンプル画像は、通常、利用者によって削除される。
【０６９７】
保存完了画面Ｐ０２において、サムネイル画像１３２３，１３２４の上側には、リンク表示１３２５が表示されている。リンク表示１３２５が選択されると、携帯送信１２０２には、その利用者（ＰＵＲＩＭＯ会員でない）が過去に保存した画像を閲覧することができる保存ＢＯＸ画面が表示される。
【０６９８】
一方、画面Ｐ０１において、保存ボタン１３２２が選択された場合、利用者がＰＵＲＩＭＯ会員であるとき、携帯端末１２０２には、保存完了画面Ｐ０３が表示される。
【０６９９】
保存完了画面Ｐ０３には、保存完了画面Ｐ０２と同様、写真シール作成装置１からサーバ１２０１に送信されたサンプル画像のサムネイル画像１３２３と、証明写真用画像のサムネイル画像１３２４とが表示される。
【０７００】
保存完了画面Ｐ０３において、サムネイル画像１３２３，１３２４の上側には、設定ボタン１３２６が表示されている。設定ボタン１３２６が選択されると、携帯送信１２０２には、その利用者（ＰＵＲＩＭＯ会員である）が過去に保存した画像を閲覧するとともに、他の有料会員に対する画像の公開の設定を行うことができる公開設定画面が表示される。
【０７０１】
（保存ＢＯＸ画面の表示）
ここで、まず、図１００を参照して、利用者がＰＵＲＩＭＯ会員でない場合に表示される保存ＢＯＸ画面の表示について説明する。
【０７０２】
保存完了画面Ｐ０２において、リンク表示１３２５が選択されると、携帯送信１２０２には、図１００に示される画面Ｐ１１が表示される。
【０７０３】
画面Ｐ１１には、利用者が過去に保存した画像を閲覧するときに選択されるタブ１３３１と、利用者が過去に保存した画像に対して所定の加工を施すときに選択されるタブ１３３２とが表示される。図１００の例は、タブ１３３１が選択された状態とされる。
【０７０４】
タブ１３３１が選択された画面Ｐ１１には、ソート順選択ボタン１３４１が表示される。ソート順選択ボタン１３４１において、「新着順」が選択されると、ソート順選択ボタン１３４１の下側には、利用者が過去に保存した画像が新着順に表示される。
【０７０５】
画面Ｐ１１の例では、ソート順選択ボタン１３４１において、「新着順」が選択されており、ソート順選択ボタン１３４１の下側には、図９９の保存完了画面Ｐ０２において保存が確定されたサンプル画像１３５１および証明写真用画像１３５２と、さらに以前に保存された編集画像１３５３，１３５４が表示されている。
【０７０６】
サンプル画像１３５１、証明写真用画像１３５２、編集画像１３５３，１３５４のいずれかが選択されると、携帯端末１２０２には、選択された画像が拡大されて表示されるようになる。
【０７０７】
ソート順選択ボタン１３４１において、「日付順」が選択されると、携帯端末１２０２の表示は、画面Ｐ１２に切り替わり、ソート順選択ボタン１３４１の下側には、利用者が過去に保存した画像が日付順に表示される。具体的には、撮影された日付と、その日に撮影された画像の枚数、そして、その日に撮影された画像のうちの１枚のサムネイル画像が、日付順に表示される。画面Ｐ１２の例では、上から、直近に撮影された１枚の証明写真用画像のサムネイル画像１３６１、それより以前に撮影された８枚の編集画像のうちの１枚のサムネイル画像１３６２、さらに以前に撮影された１０枚の編集画像のうちの１枚のサムネイル画像１３６３が、順番に表示されている。
【０７０８】
サムネイル画像１３６１乃至１３６３のいずれかが選択されると、携帯端末１２０２には、選択されたサムネイル画像に対応する日付に撮影された画像の一覧が表示され、さらに、そのうちのいずれかが選択されると、その選択された画像が拡大されて表示されるようになる。
【０７０９】
ソート順選択ボタン１３４１において、「プリ機別」が選択されると、携帯端末１２０２の表示は、画面Ｐ１３に切り替わり、ソート順選択ボタン１３４１の下側には、利用者が過去に保存した画像が、撮影された写真シール機の機種毎に表示される。具体的には、撮影された写真シール機の機種名と、その機種の写真シール機で撮影された画像の枚数、そして、その機種の写真シール機を示すアイコン画像が、写真シール機の機種毎に表示される。画面Ｐ１３の例では、上から、１枚の証明写真用画像が撮影された機種の写真シール機のアイコン画像１３７１、８枚の編集画像が撮影された機種の写真シール機のアイコン画像１３７２、１０枚の編集画像が撮影された機種の写真シール機のアイコン画像１３７３が、順番に表示されている。
【０７１０】
アイコン画像１３７１乃至１３７３のいずれかが選択されると、携帯端末１２０２には、選択されたアイコン画像に対応する機種の写真シール機で撮影された画像の一覧が表示され、さらに、そのうちのいずれかが選択されると、その選択された画像が拡大されて表示されるようになる。
【０７１１】
このようにして、過去に保存した画像が、様々なソート順で表示されるので、利用者は、所望の条件で画像を検索することができるようになる。
【０７１２】
なお、ソート順選択ボタン１３４１に代えて、画像種別選択ボタンが設けられるようにしてもよい。
【０７１３】
具体的には、図１０１の画面Ｐ２１に示されるように、画像種別選択ボタン１３８１が表示されるようにする。画像種別選択ボタン１３８１において、「プリ」が選択されると、画像種別選択ボタン１３８１の下側には、利用者が過去に保存した画像のうちの編集画像のみが、例えば新着順に表示される。
【０７１４】
画面Ｐ２１の例では、ソート順選択ボタン１３４１の下側に、過去に保存された編集画像１３５３，１３５４が表示されている。
【０７１５】
画像種別選択ボタン１３８１において、「証明プリ」が選択されると、携帯端末１２０２の表示は、画面Ｐ２２に切り替わり、画像種別選択ボタン１３８１の下側には、図９９の保存完了画面Ｐ０２において保存が確定されたサンプル画像１３５１および証明写真用画像１３５２が表示される。
【０７１６】
このようにして、過去に保存した画像が、編集画像か、または、証明写真用画像かを区別する画像種別毎に表示されるので、利用者は、画像の用途に応じて、画像を検索することができるようになる。
【０７１７】
（公開設定画面の表示）
次に、図１０２を参照して、利用者がＰＵＲＩＭＯ会員である場合に表示される公開設定画面の表示について説明する。
【０７１８】
保存完了画面Ｐ０３において、設定ボタン１３２６が選択されると、携帯送信１２０２には、図１０２に示される画面Ｐ３１が表示される。
【０７１９】
画面Ｐ３１には、利用者が保存を確定した画像の公開を設定（確定）するときに選択される設定ボタン１４１１が表示される。
【０７２０】
また、設定ボタン１４１１の下側には、他のＰＵＲＩＭＯ会員により保存され公開されている編集画像１４２１乃至１４２３が表示される。
【０７２１】
画面Ｐ３１において、設定ボタン１４１１が選択されると、携帯端末１２０２の表示は、そのＰＵＲＩＭＯ会員のマイページの画面Ｐ３２に切り替わる。トップ画面Ｐ３２には、図９９の保存完了画面Ｐ０２において保存が確定されたサンプル画像１４３１および証明写真用画像１４３２が表示される。
【０７２２】
もちろん、画面Ｐ３２においては、他の有料会員への公開を設定したサンプル画像１４３１および証明写真用画像１４３２以外に、過去に保存した他の画像を、公開の設定の有無にかかわらず表示させることもできる。
【０７２３】
このようにして、利用者がＰＵＲＩＭＯ会員である場合には、過去に保存した画像として、編集画像に加え、証明写真用画像を、他の有料会員へ公開することができる。
【０７２４】
なお、画面Ｐ３１において、編集画像１４２１乃至１４２３のいずれかが選択されると、携帯端末１２０２の表示は、選択された編集画像に対応する他のＰＵＲＩＭＯ会員のマイページの画面に切り替わる。他のＰＵＲＩＭＯ会員のマイページの画面においては、公開の設定が行われた画像のみが表示されるようになる。
【０７２５】
なお、ＰＵＲＩＭＯ会員が、写真シール作成装置１において証明写真用画像の撮影を行い、携帯送信の機能により、その証明写真用画像がサーバ１２０１に送信され、さらに、その証明写真用画像の公開が設定された場合には、ＰＵＲＩＭＯ会員でない有料会員の携帯端末１２０２に、その旨が表示されるようにしてもよい。
【０７２６】
具体的には、ＰＵＲＩＭＯ会員が証明写真用画像の公開を設定したときに、例えば、図１０３の画面Ｐ４１や画面Ｐ４２に示される、利用者がＰＵＲＩＭＯ会員でない場合に表示される保存ＢＯＸ画面において、「〇〇ちゃんが証明プリを撮ったよ！」といったメッセージからなるリンク表示１４４１が表示されるようにしてもよい。
【０７２７】
画面Ｐ４１，Ｐ４２において、リンク表示１４４１が選択されると、携帯端末１２０２には、そのＰＵＲＩＭＯ会員の証明写真用画像が表示されるようになる。
【０７２８】
また、画面Ｐ４１，Ｐ４２において、リンク表示１４４１が選択されたときに、図１０４の画面Ｐ５１に示されるように、ＰＵＲＩＭＯ会員全ての証明写真用画像が表示されるようにしてもよい。画面Ｐ５１の例では、４人のＰＵＲＩＭＯ会員の証明写真用画像１４５１乃至１４５４が表示されている。
【０７２９】
これにより、ＰＵＲＩＭＯ会員でない有料会員は、ＰＵＲＩＭＯ会員が証明写真用画像を撮影したことを知ることができ、さらに、公開されているＰＵＲＩＭＯ会員の証明写真用画像を閲覧することができる。ＰＵＲＩＭＯ会員でない有料会員は、ＰＵＲＩＭＯ会員の証明写真用画像を見ることで、自身が、写真シール作成装置１において、証明写真用画像を撮影する際の参考にすることができる。
【０７３０】
本発明の実施の形態は、上述した実施の形態に限定されるものではなく、本発明の要旨を逸脱しない範囲において種々の変更が可能である。
【符号の説明】
【０７３１】
１  写真シール作成装置，  １１  撮影ユニット，  １２  画像処理ユニット，  ２０１  制御部，  ３０１  撮影管理部，  ３０２  画像処理管理部，  ３０３  印刷管理部，  ３０４  事後接客管理部，  ３０５  シーケンス管理部，  １２０１  サーバ，  １２０２  携帯端末，  １４０１  データ管理部，  １４０２  ウェブページ提供部，  １４０３  履歴書作成部
【図１】
2015165259.tif 000003
【図２】
2015165259.tif 000004
【図３】
2015165259.tif 000005
【図４】
2015165259.tif 000006
【図５】
2015165259.tif 000007
【図６】
2015165259.tif 000008
【図７】
2015165259.tif 000009
【図８】
2015165259.tif 000010
【図９】
2015165259.tif 000011
【図１０】
2015165259.tif 000012
【図１１】
2015165259.tif 000013
【図１２】
2015165259.tif 000014
【図１３】
2015165259.tif 000015
【図１４】
2015165259.tif 000016
【図１５】
2015165259.tif 000017
【図１６】
2015165259.tif 000018
【図１７】
2015165259.tif 000019
【図１８】
2015165259.tif 000020
【図１９】
2015165259.tif 000021
【図２０】
2015165259.tif 000022
【図２１】
2015165259.tif 000023
【図２２】
2015165259.tif 000024
【図２３】
2015165259.tif 000025
【図２４】
2015165259.tif 000026
【図２５】
2015165259.tif 000027
【図２６】
2015165259.tif 000028
【図２７】
2015165259.tif 000029
【図２８】
2015165259.tif 000030
【図２９】
2015165259.tif 000031
【図３０】
2015165259.tif 000032
【図３１】
2015165259.tif 000033
【図３２】
2015165259.tif 000034
【図３３】
2015165259.tif 000035
【図３４】
2015165259.tif 000036
【図３５】
2015165259.tif 000037
【図３６】
2015165259.tif 000038
【図３７】
2015165259.tif 000039
【図３８】
2015165259.tif 000040
【図３９】
2015165259.tif 000041
【図４０】
2015165259.tif 000042
【図４１】
2015165259.tif 000043
【図４２】
2015165259.tif 000044
【図４３】
2015165259.tif 000045
【図４４】
2015165259.tif 000046
【図４５】
2015165259.tif 000047
【図４６】
2015165259.tif 000048
【図４７】
2015165259.tif 000049
【図４８】
2015165259.tif 000050
【図４９】
2015165259.tif 000051
【図５０】
2015165259.tif 000052
【図５１】
2015165259.tif 000053
【図５２】
2015165259.tif 000054
【図５３】
2015165259.tif 000055
【図５４】
2015165259.tif 000056
【図５５】
2015165259.tif 000057
【図５６】
2015165259.tif 000058
【図５７】
2015165259.tif 000059
【図５８】
2015165259.tif 000060
【図５９】
2015165259.tif 000061
【図６０】
2015165259.tif 000062
【図６１】
2015165259.tif 000063
【図６２】
2015165259.tif 000064
【図６３】
2015165259.tif 000065
【図６４】
2015165259.tif 000066
【図６５】
2015165259.tif 000067
【図６６】
2015165259.tif 000068
【図６７】
2015165259.tif 000069
【図６８】
2015165259.tif 000070
【図６９】
2015165259.tif 000071
【図７０】
2015165259.tif 000072
【図７１】
2015165259.tif 000073
【図７２】
2015165259.tif 000074
【図７３】
2015165259.tif 000075
【図７４】
2015165259.tif 000076
【図７５】
2015165259.tif 000077
【図７６】
2015165259.tif 000078
【図７７】
2015165259.tif 000079
【図７８】
2015165259.tif 000080
【図７９】
2015165259.tif 000081
【図８０】
2015165259.tif 000082
【図８１】
2015165259.tif 000083
【図８２】
2015165259.tif 000084
【図８３】
2015165259.tif 000085
【図８４】
2015165259.tif 000086
【図８５】
2015165259.tif 000087
【図８６】
2015165259.tif 000088
【図８７】
2015165259.tif 000089
【図８８】
2015165259.tif 000090
【図８９】
2015165259.tif 000091
【図９０】
2015165259.tif 000092
【図９１】
2015165259.tif 000093
【図９２】
2015165259.tif 000094
【図９３】
2015165259.tif 000095
【図９４】
2015165259.tif 000096
【図９５】
2015165259.tif 000097
【図９６】
2015165259.tif 000098
【図９７】
2015165259.tif 000099
【図９８】
2015165259.tif 000100
【図９９】
2015165259.tif 000101
【図１００】
2015165259.tif 000102
【図１０１】
2015165259.tif 000103
【図１０２】
2015165259.tif 000104
【図１０３】
2015165259.tif 000105
【図１０４】
2015165259.tif 000106